(57)【要約】  【課題】  先行技術の問題点の少なくとも１つを防ぐか、又は軽減する放射源を提供する。  【解決手段】  放射源は、燃料液滴のストリームを軌道に沿ってプラズマ形成位置へと誘導するノズルを備える。放射源は、使用時に、第１の分量の放射がプラズマ形成位置で燃料液滴に入射するように、第１の分量の放射を受ける。第１の分量の放射はエネルギーを燃料液滴に伝達して、第２の分量の放射を放出する放射生成プラズマを生成する。放射源は、第１のセンサ配置と第２のセンサ配置とを有するアライメント検出器をさらに備える。第１のセンサ配置は、第１の分量の放射の合焦位置を示す第３の分量の放射の特性を測定する。第２のセンサ配置は、第１の分量の放射が入射する燃料液滴によって反射される第１の分量の放射の一部である第４の分量の放射の特性を測定する。【選択図】  図３
2015502665.tif 000002
【特許請求の範囲】
【請求項１】
放射ビームをリソグラフィ装置のイルミネータに提供するのに適する放射源であって、前記放射源が、
燃料液滴のストリームを軌道に沿ってプラズマ形成位置に向けて誘導するノズルを備え、
前記放射源が、使用時に、第１の分量の放射がプラズマ形成位置で燃料液滴に入射するように、前記第１の分量の放射を受け、
前記放射源が、第１のセンサ配置と第２のセンサ配置とを有するアライメント検出器をさらに備え、
前記第１のセンサ配置が、前記第１の分量の放射の合焦位置を示す第３の分量の放射の特性を測定し、
前記第２のセンサ配置が、前記第１の分量の放射が入射する前記燃料液滴によって反射される前記第１の分量の放射の一部である第４の分量の放射の特性を測定する、放射源。
【請求項２】
前記第２のセンサ配置によって測定された前記第４の分量の放射の特性が、前記燃料液滴の位置を示す、請求項１に記載の放射源。
【請求項３】
前記アライメント検出器がビーム分割装置を備え、前記放射源が、前記第１の分量の放射の少なくとも一部が前記ビーム分割装置の少なくとも一部に入射するように構成され、前記ビーム分割装置が、前記第１の分量の放射の前記少なくとも一部のうちの前記少なくとも一部分が前記第１のセンサ配置に入射するように前記第１の分量の放射の前記少なくとも一部のうちの前記少なくとも一部分を誘導し、前記第１のセンサ配置に入射するように前記ビームスプリッタ装置によって誘導される前記第１の分量の放射の前記少なくとも一部のうちの前記少なくとも一部分が前記第３の分量の放射であり、前記放射源が、前記第４の分量の放射の前記少なくとも一部が前記ビーム分割装置の少なくとも一部に入射するように構成され、前記ビーム分割装置が、前記第４の分量の放射の前記少なくとも一部のうちの前記少なくとも一部分が前記第２のセンサ配置に入射するように、前記第４の分量の放射の前記少なくとも一部のうちの前記少なくとも一部分を誘導する、請求項１又は２に記載の放射源。
【請求項４】
前記ビーム分割装置がビームスプリッタであるか、又はビームスプリッタを備える、請求項３に記載の放射源。
【請求項５】
ビーム分割位置で、前記ビーム分割装置が、前記第１の分量の放射の前記少なくとも一部のうちの前記少なくとも一部分が前記前記第１のセンサ配置に入射するように前記第１の分量の放射の前記少なくとも一部のうちの前記少なくとも一部分の伝搬方向を変更し、前記第４の分量の放射の一部のうちの前記少なくとも一部分が前記第２のセンサ配置に入射するように前記第４の分量の放射の一部のうちの前記少なくとも一部分の伝搬方向を変更する、両方を行うように前記放射源が構成された、請求項３又は４に記載の放射源。
【請求項６】
前記放射源が、前記第１の分量の放射を生成する二次放射源と、前記二次放射源に接続され、前記二次放射源が前記第１の分量の放射を生成するタイミングを制御するタイミングコントローラと、を備える、請求項１から５のいずれかに記載の放射源。
【請求項７】
前記アライメント検出器が前記第３の分量の放射を生成するアライメント放射源を備え、前記アライメント放射源が、前記第３の分量の放射の伝搬方向が前記第１の分量の放射の伝搬方向と実質的に平行であるように前記二次放射源に装着され、前記放射源が、前記第３の分量の放射の少なくとも一部が前記第１のセンサ配置に入射するように構成された、請求項１又は請求項２のいずれかに従属する、請求項６に記載の放射源。
【請求項８】
前記アライメント検出器がビームスプリッタ装置を備え、前記放射源が、前記第４の分量の放射の少なくとも一部が前記ビーム分割装置の少なくとも一部に入射するように構成され、前記ビーム分割装置が、前記第４の分量の放射の前記少なくとも一部のうちの前記少なくとも一部分が前記第２のセンサ配置に入射するように前記第４の分量の放射の前記少なくとも一部のうちの前記少なくとも一部分を誘導する、請求項７に記載の放射源。
【請求項９】
前記第１のセンサ配置及び／又は第２のセンサ配置が圧電センサアレイを備える、請求項１から８のいずれかに記載の放射源。
【請求項１０】
前記プラズマ形成位置が、真空又はガスを含む第１のチャンバ内に位置し、前記アライメント検出器が前記第１のチャンバの外部に位置する、請求項１から９のいずれかに記載の放射源。
【請求項１１】
前記放射源が、前記第１の分量の放射を誘導し、それによって前記第１の分量の放射の合焦位置を判定する放射誘導デバイスをさらに備える、請求項１から１０のいずれかに記載の放射源。
【請求項１２】
前記放射誘導デバイスが、使用時に、少なくとも一部が前記第１の分量の放射の経路内に位置する第１の誘導リフレクタと、前記第１の誘導リフレクタに機械的に連結された少なくとも１つの第１のリフレクタアクチュエータとを備え、それによって前記少なくとも１つの第１のリフレクタアクチュエータの運動が、前記第１の分量の放射の前記経路に対する前記第１の誘導リフレクタの向き及び／又は位置を変化させる、請求項１１に記載の放射源。
【請求項１３】
前記ビーム分割装置が、前記第４の分量の放射の前記伝搬方向に対して前記第１の誘導リフレクタの下流に位置する、請求項１２に記載の放射源。
【請求項１４】
前記ビーム分割装置が、前記第４の分量の放射の伝搬方向に対して前記第１の誘導リフレクタの上流に位置する、請求項１２に記載の放射源。
【請求項１５】
前記放射誘導デバイスが、使用時に、少なくとも一部が前記第１の分量の放射の経路内に位置する第２の誘導リフレクタと、前記第２の誘導リフレクタに機械的に連結された少なくとも１つの第２のリフレクタアクチュエータとを備え、それによって前記少なくとも１つの第２のリフレクタアクチュエータの運動が、前記第１の分量の放射の前記経路に対する前記第２の誘導リフレクタの向き及び／又は位置を変化させる、請求項１２から１４のいずれかに記載の放射源。
【請求項１６】
前記ビーム分割装置が、前記第４の分量の放射の前記伝搬方向に対して前記第２の誘導リフレクタの上流に位置する、請求項１５に記載の放射源。
【請求項１７】
前記ノズルが少なくとも１つのノズルアクチュエータに機械的に連結され、それによって前記少なくとも１つのノズルアクチュエータの運動が前記放射源の残りの部分に対する前記ノズルの前記位置及び／又は向き、したがって前記燃料液滴のストリームの軌道を変化させる、請求項１から１６のいずれかに記載の放射源。
【請求項１８】
前記放射源がコントローラをさらに備え、
前記第１のセンサ配置が第１のセンサ信号を前記コントローラに提供し、前記第２のセンサ配置が第２の信号を前記コントローラに提供し、
前記コントローラが、前記第１及び第２のセンサ信号に基づいて前記燃料液滴と前記第１の分量の放射の合焦位置との相対的アライメントを制御する、請求項１から１７のいずれかに記載の放射源。
【請求項１９】
前記コントローラが、前記第１及び第２のセンサ信号に基づいて、以下の、
前記放射源の残りの部分に対する前記ノズルの位置、したがって前記燃料液滴のストリームの前記軌道、
前記第１の分量の放射の伝搬方向、したがって前記第１の分量の放射の合焦位置、及び、
前記第１の分量の放射が前記燃料液滴に入射するタイミング、
のうち少なくとも１つを制御することによって、前記燃料液滴と前記第１の分量の放射の合焦位置との相対的アライメントを制御する、請求項１４に記載の放射源。
【請求項２０】
パターニングデバイスから基板にパターンを投影するリソグラフィ装置であって、前記リソグラフィ装置が放射ビームを前記パターニングデバイスに提供する放射源を備え、前記放射源が、
燃料液滴のストリームを軌道に沿ってプラズマ形成位置に向けて誘導するノズルを備え、
前記放射源が、使用時に、前記第１の分量の放射が前記プラズマ形成位置で燃料液滴に入射するように、前記第１の分量の放射を受け、
前記放射源が、第１のセンサ配置と第２ンセンサ配置とを有するアライメント検出器をさらに備え、
前記第１のセンサ配置が、前記第１の分量の放射の合焦位置を示す第３の分量の放射の特性を測定し、
前記第２のセンサ配置が、前記第１の分量の放射が入射する前記燃料液滴によって反射される前記第１の分量の放射の一部である第４の分量の放射の特性を測定する、リソグラフィ装置。
【請求項２１】
リソグラフィ装置のイルミネータに放射ビームを提供するのに適した放射源を動作する方法であって、前記放射源が、ノズルと、コントローラと、第１のセンサ配置と第２のセンサ配置とを有するアライメント検出器と、を備え、前記方法が、
燃料液滴のストリームを前記ノズルから軌道に沿ってプラズマ形成位置へと誘導するステップと、
第１の分量の放射が前記プラズマ形成位置で前記燃料液滴に入射するように、前記第１の分量の放射を前記燃料液滴に誘導するステップと、
前記第１のセンサ配置が、前記第１の分量の放射の合焦位置を示す第３の分量の放射の特性を測定するステップと、
前記第２のセンサ配置が、前記第１の分量の放射が入射する前記燃料液滴によって反射される前記第１の分量の放射の一部である第４の分量の放射の特性を測定するステップと、
前記第１のセンサ配置が、前記第１の分量の放射の合焦位置を示す第１のセンサ信号を前記コントローラに提供するステップと、
前記第２のセンサ配置が、第２の信号を前記コントローラに提供するステップと、
前記コントローラが、前記第１及び第２のセンサ信号に基づいて前記燃料液滴と前記第１の分量の放射の合焦位置との相対的アライメントを判定するステップと、を含む、方法。
【請求項２２】
前記放射源が、放射誘導デバイスと、二次放射源と、前記二次放射源に接続されたタイミングコントローラと、をさらに備え、前記方法が、
前記二次放射源が前記第１の分量の放射を生成するステップと、
前記タイミングコントローラが、前記二次放射源が前記第１の分量の放射を生成するタイミングを制御するステップと、
前記放射誘導デバイスが前記第１の分量の放射を誘導し、それによって前記第１の分量の放射の合焦位置を判定するステップと、
前記コントローラが、前記第１及び第２のセンサ信号に基づいて、以下の、
前記放射源の残りの部分に対する前記ノズルの位置、したがって前記燃料液滴のストリーム、
前記放射誘導デバイスを制御し、それによって前記第１の分量の放射の伝搬方向、したがって前記第１の分量の放射の合焦位置を制御すること、及び、
前記第１の分量の放射が前記燃料液滴に入射するタイミングを制御するように前記タイミングコントローラを制御すること、
の少なくとも１つを制御することによって前記燃料液滴と前記第１の分量の放射の合焦位置との相対的アライメントを制御するステップと、を含む、請求項２１に記載の放射源を動作する方法。
【請求項２３】
リソグラフィ装置のイルミネータに放射ビームを提供するのに適した放射源を動作する方法であって、前記放射源が、
ノズルと、コントローラと、第１のセンサ配置及び第２のセンサ配置、第３のセンサ配置、及び第４のセンサ配置を有するアライメント検出器とを備え、前記方法が、
燃料液滴のストリームを前記ノズルから軌道に沿ってプラズマ形成位置へと誘導するステップと、
前記第１の分量の放射が前記プラズマ形成位置で前記燃料液滴に入射するように、且つ前記第１の分量の放射が前記燃料液滴にエネルギーを伝達して修正された燃料分布を生成するように前記第１の分量の放射を前記燃料液滴に誘導するステップと、
前記第１のセンサ配置が、前記第１の分量の放射の合焦位置を示す第３の分量の放射の特性を測定するステップと、
前記第２のセンサ配置が、前記第１の分量の放射が入射する前記燃料液滴によって反射される前記第１の分量の放射の一部である第４の分量の放射の特性を測定するステップと、
前記第１のセンサ配置が、前記第１の分量の放射の合焦位置を示す第１のセンサ信号を前記コントローラに提供するステップと、
前記第２のセンサ配置が、第２の信号を前記コントローラに提供するステップと、
前記コントローラが、前記第１及び第２のセンサ信号に基づいて、前記燃料液滴と前記第１の分量の放射の合焦位置との相対的アライメントを判定するステップと、
第５の分量の放射が前記修正された燃料分布に入射するように、且つ前記第５の分量の放射が修正された燃料分布にエネルギーを伝達して第２の分量の放射を放出する放射生成プラズマを生成するように前記第５の分量の放射を前記修正された燃料分布に誘導するステップと、
前記第３のセンサ配置が、前記第５の分量の放射の合焦位置を示す第６の分量の放射の特性を測定するステップと、
前記第４のセンサ配置が、前記第５の分量の放射が入射する前記修正された燃料分布によって反射される前記第５の分量の放射の一部である第７の分量の放射の特性を測定するステップと、
前記第３のセンサ配置が、前記第５の分量の放射の合焦位置を示す第３のセンサ信号を前記コントローラに提供するステップと、
前記第４のセンサ配置が第４のセンサ信号を前記コントローラに提供し、前記コントローラが、前記第３及び第４のセンサ信号に基づいて、前記修正された燃料分布と前記第５の分量の放射の合焦位置との相対的アライメントを判定するステップと、を含む、方法。
【請求項２４】
前記第１と第３のセンサ配置とが同一であり、前記第２と第４のセンサ配置とが同一である、請求項２３に記載の放射源を動作する方法。
【請求項２５】
リソグラフィ装置のイルミネータに放射ビームを提供するのに適した放射源であって、前記放射源が、
燃料液滴のストリームを軌道に沿ってプラズマ形成位置へと誘導するノズルを備え、
前記放射源が、使用時に、第１の分量の放射がプラズマ形成位置で燃料液滴に入射するように、前記第１の分量の放射を受け、
前記放射源が、第１のセンサ配置と第２ンセンサ配置とを有するアライメント検出器をさらに備え、
前記第１のセンサ配置が、第１の分量の放射の合焦位置を示す第３の分量の放射の特性を測定し、
前記第２のセンサ配置が、前記第１の分量の放射が入射する前記燃料液滴によって反射される前記第１の分量の放射の一部である第４の分量の放射の特性を測定する、放射源。
【請求項２６】
前記第２のセンサ配置によって測定された前記第４の分量の放射の特性が、前記燃料液滴の位置を示す、請求項２５に記載の放射源。
【請求項２７】
前記アライメント検出器がビーム分割装置を備え、前記放射源が、前記第１の分量の放射の少なくとも一部が前記ビーム分割装置の少なくとも一部に入射するように構成され、
前記ビーム分割装置が、前記第１の分量の放射の前記少なくとも一部のうちの前記少なくとも一部分が前記第１のセンサ配置に入射するように、前記第１の分量の放射の前記少なくとも一部のうちの前記少なくとも一部分を誘導し、
前記第１のセンサ配置に入射するように前記ビーム分割装置によって誘導される前記第１の分量の放射の前記少なくとも一部の前記少なくとも一部分が、第３の分量の放射であり、
前記放射源が、前記第４の分量の放射の少なくとも一部が前記ビーム分割装置に入射するように構成され、
前記ビーム分割装置が、前記第４の分量の放射の前記少なくとも一部の前記少なくとも一部分が前記第２のセンサ配置に入射するように前記第４の分量の放射の前記少なくとも一部の前記少なくとも一部分を誘導する、請求項２５に記載の放射源。
【請求項２８】
前記ビーム分割装置がビームスプリッタであるか、又はビームスプリッタを備える、請求項２７に記載の放射源。
【請求項２９】
前記ビーム分割位置で前記ビーム分割装置が、
前記第１の分量の放射の前記少なくとも一部のうちの前記少なくとも一部分が前記前記第１のセンサ配置に入射するように前記第１の分量の放射の前記少なくとも一部のうちの前記少なくとも一部分の伝搬方向を変更し、
前記第４の分量の放射の一部のうちの前記少なくとも一部分が前記第２のセンサ配置に入射するように前記第４の分量の放射の一部のうちの前記少なくとも一部分の伝搬方向を変更する、両方を行うように前記放射源が構成された、請求項２７に記載の放射源。
【請求項３０】
前記放射源が、
前記第１の分量の放射を生成する二次放射源と、
前記二次放射源に接続され、前記二次放射源が前記第１の分量の放射を生成するタイミングを制御するタイミングコントローラと、を備える、請求項２５に記載の放射源。
【請求項３１】
前記アライメント検出器が、前記第３の分量の放射を生成するアライメント放射源を備え、前記アライメント放射源が、前記第３の分量の放射の伝搬方向が前記第１の分量の放射の伝搬方向と実質的に平行になるように前記二次放射源に装着され、前記放射源が、前記第３の分量の放射の少なくとも一部が前記第１のセンサ配置に入射するように構成された、請求項３０に記載の放射源。
【請求項３２】
前記アライメント検出器がビームスプリッタ装置を備え、前記放射源が、前記第４の分量の放射の少なくとも一部が前記ビーム分割装置の少なくとも一部に入射するように構成され、前記ビーム分割装置が、前記第４の分量の放射の前記少なくとも一部のうちの前記少なくとも一部分が前記第２のセンサ配置に入射するように前記第４の分量の放射の前記少なくとも一部のうちの前記少なくとも一部分を誘導する、請求項３１に記載の放射源。
【請求項３３】
前記第１のセンサ配置及び／又は前記第２のセンサ配置が、圧電センサアレイを備える、請求項３２に記載の放射源。
【請求項３４】
前記プラズマ形成位置が、真空又はガスを含む第１のチャンバ内に位置し、前記アライメント検出器が前記第１のチャンバの外部に位置する、請求項３３に記載の放射源。
【請求項３５】
前記放射源が、前記第１の分量の放射を誘導し、それによって前記第１の分量の放射の合焦位置を判定する放射誘導デバイスをさらに備える、請求項３４に記載の放射源。
【請求項３６】
前記放射誘導デバイスが、使用時に、少なくとも一部が前記第１の分量の放射の経路内に位置する誘導リフレクタと、前記誘導リフレクタに機械的に連結された少なくとも１つのリフレクタアクチュエータとを備え、それによって前記少なくとも１つのリフレクタアクチュエータの運動が、前記第１の分量の放射の前記経路に対する前記誘導リフレクタの向き及び／又は位置を変化させる、請求項３５に記載の放射源。
【請求項３７】
前記ノズルが前記少なくとも１つのノズルアクチュエータに機械的に連結され、それによって前記少なくとも１つのノズルアクチュエータの運動は、前記放射源の残りの部分に対する前記ノズルの位置及び／又は向きを、したがって前記燃料液滴のストリームの軌道を変化させる、請求項２５に記載の放射源。
【請求項３８】
前記放射源がコントローラをさらに備え、
前記第１のセンサ配置が第１のセンサ信号を前記コントローラに提供し、前記第２のセンサ配置が第２の信号を前記コントローラに提供し、
前記コントローラが、前記第１及び第２のセンサ信号に基づいて前記燃料液滴と前記第１の分量の放射の合焦位置との相対的アライメントを制御する、請求項３７に記載の放射源。
【請求項３９】
前記コントローラが、前記第１及び第２のセンサ信号に基づいて、以下の、
前記放射源の残りの部分に対する前記ノズルの位置、したがって前記燃料液滴のストリームの前記軌道、
前記第１の分量の放射の伝搬方向、したがって前記第１の分量の放射の合焦位置、及び、
前記第１の分量の放射が前記燃料液滴に入射するタイミング、
のうち少なくとも１つを制御することによって、前記燃料液滴と前記第１の分量の放射の合焦位置との相対的アライメントを制御する、請求項３８に記載の放射源。
【請求項４０】
パターニングデバイスから基板にパターンを投影するリソグラフィ装置であって、放射ビームを前記パターニングデバイスに提供する放射源を備え、前記放射源が、
燃料液滴のストリームを軌道に沿ってプラズマ形成位置へと誘導するノズルを備え、
前記放射源が、使用時に、第１の分量の放射がプラズマ形成位置で燃料液滴に入射するように、前記第１の分量の放射を受け、
前記放射源が、第１のセンサ配置と第２ンセンサ配置とを有するアライメント検出器をさらに備え、
前記第１のセンサ配置が、第１の分量の放射の合焦位置を示す第３の分量の放射の特性を測定し、
前記第２のセンサ配置が、前記第１の分量の放射が入射する前記燃料液滴によって反射される前記第１の分量の放射の一部である第４の分量の放射の特性を測定する、リソグラフィ装置。
【請求項４１】
リソグラフィ装置のイルミネータに放射ビームを提供するのに適した放射源を動作する方法であって、前記放射源が、ノズルと、コントローラと、第１のセンサ配置及び第２のセンサ配置を有するアライメント検出器と、を備え、前記方法が、
燃料液滴のストリームを前記ノズルから軌道に沿ってプラズマ形成位置へと誘導するステップと、
第１の分量の放射が前記プラズマ形成位置で前記燃料液滴に入射するように、前記第１の分量の放射を前記燃料液滴に誘導するステップと、
前記第１のセンサ配置で、前記第１の分量の放射の合焦位置を示す第３の分量の放射の特性を測定するステップと、
前記第２のセンサ配置で、前記第１の分量の放射が入射する前記燃料液滴によって反射される前記第１の分量の放射の一部である第４の分量の放射の特性を測定するステップと、
前記第１のセンサ配置によって、前記第１の分量の放射の合焦位置を示す第１のセンサ信号を前記コントローラに提供するステップと、
前記第２のセンサ配置で、第２のセンサ信号を前記コントローラに提供するステップと、
前記コントローラによって、前記第１及び第２のセンサ信号に基づいて、前記燃料液滴と前記第１の分量の放射の合焦位置との相対的アライメントを判定するステップと、を含む方法。
【請求項４２】
前記放射源が、放射誘導デバイスと、二次放射源と、前記二次放射源に接続されたタイミングコントローラと、をさらに備え、前記方法が、
前記二次放射源で前記第１の分量の放射を生成するステップと、
前記タイミングコントローラで、前記二次放射源が前記第１の分量の放射を生成するタイミングを制御するステップと、
前記放射誘導デバイスで前記第１の分量の放射を誘導し、それによって前記第１の分量の放射の合焦位置を判定するステップと、
前記コントローラで、前記第１及び第２のセンサ信号に基づいて、以下の、
前記放射源の残りの部分に対する前記ノズルの位置、したがって前記燃料液滴のストリームの軌道を制御すること、
前記放射誘導デバイスを制御し、それによって前記第１の分量の放射の伝搬方向、したがって前記第１の分量の放射の合焦位置を制御すること、及び、
前記第１の分量の放射が前記燃料液滴に入射するタイミングを制御するように前記タイミングコントローラを制御すること、
のうち少なくとも１つを制御することによって前記燃料液滴と前記第１の分量の放射の合焦位置の相対的アライメントを制御するステップと、を含む、請求項４１に記載の放射源を動作する方法。
【請求項４３】
リソグラフィ装置のイルミネータに放射ビームを提供するのに適した放射源を動作する方法であって、前記放射源が、
ノズルと、コントローラと、第１のセンサ配置及び第２のセンサ配置、第３のセンサ配置、及び第４のセンサ配置を有するアライメント検出器とを備え、前記方法が、
燃料液滴のストリームを前記ノズルから軌道に沿ってプラズマ形成位置へと誘導するステップと、
前記第１の分量の放射が前記プラズマ形成位置で前記燃料液滴に入射するように、且つ前記第１の分量の放射が前記燃料液滴にエネルギーを伝達して修正された燃料分布を生成するように前記第１の分量の放射を前記燃料液滴に誘導するステップと、
前記第１のセンサ配置が、前記第１の分量の放射の合焦位置を示す第３の分量の放射の特性を測定するステップと、
前記第２のセンサ配置が、前記第１の分量の放射が入射する前記燃料液滴によって反射される前記第１の分量の放射の一部である第４の分量の放射の特性を測定するステップと、
前記第１のセンサ配置が、前記第１の分量の放射の合焦位置を示す第１のセンサ信号を前記コントローラに提供するステップと、
前記第２のセンサ配置が、第２のセンサ信号を前記コントローラに提供するステップと、
前記コントローラが、前記第１及び第２のセンサ信号に基づいて、前記燃料液滴と前記第１の分量の放射の合焦位置との相対的アライメントを判定するステップと、
第５の分量の放射が前記修正された燃料分布に入射するように、且つ前記第５の分量の放射が修正された燃料分布にエネルギーを伝達して第２の分量の放射を放出する放射生成プラズマを生成するように前記第５の分量の放射を前記修正された燃料分布に誘導するステップと、
前記第３のセンサ配置が、前記第５の分量の放射の合焦位置を示す第６の分量の放射の特性を測定するステップと、
前記第４のセンサ配置が、前記第５の分量の放射が入射する前記修正された燃料分布によって反射される前記第５の分量の放射の一部である第７の分量の放射の特性を測定するステップと、
前記第３のセンサ配置が、前記第５の分量の放射の合焦位置を示す第３のセンサ信号を前記コントローラに提供するステップと、
前記第４のセンサ配置が第４のセンサ信号を前記コントローラに提供し、前記コントローラが、前記第３及び第４のセンサ信号に基づいて、前記修正された燃料分布と前記第５の分量の放射の合焦位置との相対的アライメントを判定するステップと、を含む方法。
【請求項４４】
前記第１と第３のセンサ配置とが同一であり、前記第２と第４のセンサ配置とが同一である、請求項４３に記載の放射源を動作する方法。
【請求項４５】
前記放射源が、第１の誘導デバイスと、二次放射源と、前記二次放射源に接続されたタイミングコントローラと、をさらに備え、前記方法が、
前記二次放射源で前記第１の分量の放射を生成するステップと、
前記タイミングコントローラで、前記二次放射源が前記第１の分量の放射を生成するタイミングを制御するステップと、
前記第１の放射誘導デバイスで、前記第１の分量の放射を誘導し、それによって前記第１の分量の放射の合焦位置を判定するステップと、
前記コントローラで、また前記第１及び第２のセンサ信号の少なくとも１つに基づいて、前記放射誘導デバイスを制御し、それによって前記第１の分量の放射の伝搬方向、したがって前記第１の分量の放射の合焦位置を制御することによって、前記燃料液滴と前記第１の分量の放射の合焦位置との相対的アライメントを制御するステップと、を含む、請求項４３又は４４に記載の放射源を動作する方法。
【請求項４６】
前記放射源が、第２の放射誘導デバイスと、二次放射源と、前記二次放射源に接続されたタイミングコントローラと、をさらに備え、前記方法が、
前記二次放射源で前記第５の分量の放射を生成するステップと、
前記タイミングコントローラで、前記二次放射源が前記第５の分量の放射を生成するタイミングを制御するステップと、
前記第２の放射誘導デバイスで、前記第５の分量の放射を誘導し、それによって前記第５の分量の放射の合焦位置を判定するステップと、
前記コントローラで、また前記第１及び第２のセンサ信号の少なくとも１つに基づいて、前記放射誘導デバイスを制御し、それによって前記第５の分量の放射の伝搬方向、したがって前記第５の分量の放射の合焦位置を制御することによって、前記修正された燃料分布と前記第５の分量の放射の合焦位置との相対的アライメントを制御するステップと、を含む、請求項４３から４５のいずれか１項に記載の放射源を動作する方法。
【請求項４７】
前記第１及び第２の放射誘導デバイスが、同一の放射誘導デバイスではない、請求項４５に従属する、請求項４６に記載の放射源を動作する方法。
【請求項４８】
前記第１の分量の放射が前記第２の放射誘導デバイスに入射しない、請求項４７に記載の放射源を動作する方法。
【請求項４９】
前記放射源が、第３の放射誘導デバイスをさらに備え、前記方法が、
前記第３の放射誘導デバイスで前記第５の分量の放射を前記第２の放射誘導デバイスへと誘導するステップをさらに含み、
前記第１の分量の放射が前記第３の放射誘導デバイスと相互作用しない、請求項４８に記載の放射源を動作する方法。
【請求項５０】
リソグラフィ装置のイルミネータに放射ビームを提供するのに適した放射源であって、前記放射源が、使用時に、前記第１の分量の放射が前記少なくとも１つの放射誘導素子に入射し、次にプラズマ形成位置で燃料液滴に入射するように第１の分量の放射を受け、
前記放射源が、前記第１の分量の放射の合焦位置を示す第３の分量の放射の特性を測定する第１のセンサ配置をさらに備え、
使用時に、前記第少なくとも１つの放射誘導素子に入射する前記第３の分量の放射の少なくとも一部が前記少なくとも１つの放射誘導素子に入射する前記第１の分量の放射と重なるように前記第３の分量の放射が前記少なくとも１つの放射誘導素子に入射する、放射源。
【請求項５１】
リソグラフィ装置のイルミネータに放射ビームを提供するのに適した放射源であって、前記放射源が、使用時に、前記第１の分量の放射が前記少なくとも１つの放射誘導素子に入射し、次にプラズマ形成位置で燃料液滴に入射するように第１の分量の放射を受け、
前記放射源が、第３の分量の放射とさらなる分量の放射の特性を測定する第１のセンサ配置をさらに備え、前記第３の分量及びさらなる分量の放射が前記第１の分量の放射の合焦位置を集合的に示し、
使用時に、前記第３の分量の放射、及びさらなる分量の放射の両方が前記少なくとも１つの放射誘導素子に入射する、放射源。
【請求項５２】
前記第１のセンサ配置が、前記第３の分量の放射の特性を測定する第１のセンサと、前記さらなる分量の放射の特性を判定する第２のセンサとを備え、前記第１の分量の放射が光軸に沿って伝搬し、前記第１のセンサと第２のセンサとが前記光軸を中心に約１８０°の角度で離隔される、請求項５１に記載の放射源。
【請求項５３】
使用時に、前記第３の分量の放射及び／又はさらなる分量の放射が、前記少なくとも１つの放射誘導素子に入射する前記第３の分量の放射及び／又はさらなる分量の放射の少なくとも一部が前記少なくとも１つの放射誘導素子に入射する前記第１の分量の放射の少なくとも一部と重なるように、前記少なくとも１つの放射誘導素子に入射する、請求項５１又は５２に記載の放射源。
【請求項５４】
リソグラフィ装置のイルミネータに放射ビームを提供するのに適した放射源であって、前記放射源が、使用時に、前記第１の分量の放射が前記少なくとも１つの放射誘導素子に入射し、次にプラズマ形成位置で燃料液滴に入射するように第１の分量の放射を受け、
前記放射源が、前記第１の分量の放射の合焦位置を示す第３の分量の放射の特性を測定する第１のセンサ配置をさらに備え、
前記レーザがレーザ媒質を含み、使用時に、前記第３の分量の放射が前記レーザ媒質を通過する、放射源。
【請求項５５】
前記放射源が、使用時に、前記第１の分量の放射が少なくとも１つの放射誘導素子に入射し、次にプラズマ形成位置で前記燃料液滴に入射するように構成され、使用時に、前記第３の分量の放射が前記少なくとも１つの放射誘導素子に入射する、請求項５４に記載の放射源。
【請求項５６】
前記放射源が、前記少なくとも１つの放射誘導素子に入射する前記第３の分量の放射の少なくとも一部が前記少なくとも１つの放射誘導素子に入射する前記第１の分量の放射の少なくとも一部と重なるように構成された、請求項５５に記載の放射源。
【請求項５７】
リソグラフィ装置のイルミネータに放射ビームを提供するのに適した放射源を動作する方法であって、前記放射源が、コントローラと、少なくとも１つの放射誘導素子と、第１のセンサ配置とを備え、前記方法が、
第１の分量の放射が前記少なくとも１つの放射誘導素子に入射し、次にプラズマ形成位置で前記燃料液滴に入射するように前記第１の分量の放射を誘導するステップと、
前記第１のセンサ配置で、前記第１の分量の放射の合焦位置を示す第３の分量の放射の特性を測定するステップと、
前記第１のセンサ配置によって、前記第１の分量の放射の合焦位置を示す第１のセンサ信号を前記コントローラに提供するステップと、
前記コントローラによって、前記第１のセンサ信号に基づいて前記第１の分量の放射の合焦位置を制御するための制御信号を前記少なくとも１つの放射誘導素子に提供するステップと、を含み、
前記第３の分量の放射が、前記少なくとも１つの放射誘導素子に入射する前記第３の分量の放射の少なくとも一部が前記少なくとも１つの放射誘導素子に入射する前記第１の分量の放射の少なくとも一部と重なるように前記少なくとも１つの放射誘導素子に入射する、方法。
【請求項５８】
リソグラフィ装置のイルミネータに放射ビームを提供するのに適した放射源を動作する方法であって、前記放射源が、コントローラと、少なくとも１つの放射誘導素子と、第１のセンサ配置とを備え、前記方法が、
第１の分量の放射が前記少なくとも１つの放射誘導素子に入射し、次に燃料液滴に入射するように前記第１の分量の放射を誘導するステップと、
第３の分量及びさらなる分量の放射が前記少なくとも１つの放射誘導素子に入射するように前記第３の分量及びさらなる分量の放射を提供するステップと、
前記第１のセンサ配置で、前記第１の分量の放射の合焦位置を集合的に示す第３の分量の放射の特性、及びさらなる分量の放射の特性を測定するステップと、
前記第１のセンサ配置によって、前記第１の分量の放射の合焦位置を示す第１のセンサ信号を前記コントローラに提供するステップと、
前記コントローラによって、前記第１のセンサ信号に基づいて前記第１の分量の放射の合焦位置を制御するための制御信号を前記少なくとも１つの放射誘導素子に提供するステップと、を含む、方法。
【請求項５９】
前記第１のセンサ配置が、前記第３の分量の放射の特性を測定する第１のセンサと、前記さらなる分量の放射の特性を測定する第２のセンサとを備え、前記第１の分量の放射が光軸に沿って伝搬するように誘導され、前記第１のセンサと第２のセンサとが光軸を中心に互いに約１８０°の角度で離隔される、請求項５８に記載の方法。
【請求項６０】
使用時に、第３の分量の放射及び／又はさらなる分量の放射が少なくとも１つの放射誘導素子に入射して、少なくとも１つの放射誘導素子に入射する第３の分量の放射及び／又はさらなる分量の放射の少なくとも一部が、少なくとも１つの放射誘導素子に入射する第１の分量の放射の少なくとも一部と重なるように第３の分量の放射が提供される、請求項５８又は５９に記載の方法。
【請求項６１】
リソグラフィ装置のイルミネータに放射ビームを提供するのに適した放射源を動作する方法であって、前記放射源が、コントローラと、少なくとも１つの放射誘導素子と、第１のセンサ配置と、レーザ媒質を含むレーザとを備え、前記方法が、
前記レーザによって第１の分量の放射を提供するステップと、
第１の分量の放射が少なくとも１つの放射誘導素子に入射し、次にプラズマ形成位置で前記燃料液滴に入射するように、前記第１の分量の放射を誘導するステップと、
第３の分量の放射が前記レーザ媒質を通過するように第３の分量の放射を誘導するステップと、
前記第１のセンサ配置で、前記第１の分量の放射の合焦位置を示す第３の分量の放射の特性を測定するステップと、
前記第１のセンサ配置によって、前記第１の分量の放射の合焦位置を示す第１のセンサ信号を前記コントローラに提供するステップと、
前記コントローラによって、前記第１のセンサ信号に基づいて前記第１の分量の放射の合焦位置を制御するための制御信号を前記少なくとも１つの放射誘導素子に提供するステップと、を含む方法。
【請求項６２】
前記第３の分量の放射が前記少なくとも１つの放射誘導素子に入射するように誘導される、請求項６１に記載の方法。
【請求項６３】
前記少なくとも１つの放射誘導素子に入射する前記第３の分量の放射の少なくとも一部が、前記少なくとも１つの放射誘導素子に入射する前記第１の分量の放射の少なくとも一部と重なるように、前記第３の分量の放射が誘導される、請求項６２に記載の方法。
【請求項６４】
リソグラフィ装置のイルミネータに放射ビームを提供するのに適した放射源であって、前記放射源が、使用時に、前記第１の分量の放射が光軸に沿って伝搬し、少なくとも１つの放射誘導素子に入射し、次にプラズマ形成位置で燃料液滴に入射するように前記第１の分量の放射を受け、
前記放射源が、第３の分量の放射の特性を測定する第１のセンサと、さらなる分量の放射の特性を測定する第２のセンサとを備える第１のセンサ配置をさらに備え、前記第１のセンサと第２のセンサとが前記光軸を中心に互いに角度をなして離隔され、
前記第３の分量及びさらなる分量の放射が、前記第１の分量の放射の発散を集合的に示し、
使用時に、前記第３の分量の放射とさらなる分量の放射の両方が前記少なくとも１つの放射誘導素子に入射する、放射源。
【請求項６５】
前記第１と第２のセンサとが、前記光軸を中心に互いに約１８０°の角度で離隔される、請求項６３に記載の放射源。
【請求項６６】
リソグラフィ装置のイルミネータに放射ビームを提供するのに適した放射源を動作する方法であって、前記放射源が、コントローラと、少なくとも１つの放射誘導素子と、第１のセンサと第２のセンサとを備える第１のセンサ配置と、を備え、前記方法が、
第１の分量の放射が前記少なくとも１つの放射誘導素子に入射し、次にプラズマ形成位置で燃料液滴に入射するように前記第１の分量の放射を光軸に沿って前記燃料液滴に誘導するステップと、
前記第１及び第２のセンサが前記光軸を中心に互いに角度をなして離隔されるようにこれらを提供するステップと、
第３の分量及びさらなる分量の放射が前記少なくとも１つの放射誘導素子に入射するように前記第３の分量及びさらなる分量の放射を提供するステップと、
前記第１のセンサで第３の分量の放射の特性を測定するステップと、
前記第２のセンサで、前記測定された第３の分量の放射の特性と前記測定されたさらなる分量の放射の特性とが前記第１の分量の放射の発散を示すように、前記さらなる分量の放射の特性を測定するステップと、
前記第１のセンサ配置で、前記第１の分量の放射の発散を示す第１のセンサ信号を前記コントローラに提供するステップと、を含む方法。
【請求項６７】
前記第１のセンサと第２のセンサとが前記光軸を中心に互いに約１８０°の角度をなして離隔される、請求項６６に記載の方法。
【請求項６８】
リソグラフィ装置のイルミネータに放射ビームを提供する放射源であって、前記放射源が、
第１の分量の放射と相互作用する少なくとも１つの光学素子と、
少なくとも１つの作動可能素子と、を備え、
前記少なくとも１つの作動可能素子が前記少なくとも１つの光学素子から振動絶縁される、放射源。
【請求項６９】
前記少なくとも１つの作動可能素子が、前記作動可能素子が作動される最大周波数未満の周波数で振動絶縁される、請求項６８に記載の放射源。
【請求項７０】
前記少なくとも１つの作動可能素子が、前記少なくとも１つの光学素子に取り付けられた絶縁手段によって前記少なくとも１つの光学素子から振動絶縁される、請求項６８又は６９に記載の放射源。
【請求項７１】
前記少なくとも１つの作動可能素子が、前記少なくとも１つの作動可能素子に取り付けられた絶縁手段によって前記少なくとも１つの光学素子から振動絶縁される、請求項６８から７０のいずれか１項に記載の放射源。
【請求項７２】
前記少なくとも１つの作動可能素子に取り付けられた前記絶縁手段が、前記少なくとも１つの作動可能素子よりも質量が大きい本体を備える、請求項７１に記載の放射源。
【請求項７３】
前記少なくとも１つの作動可能素子が、第１のプラットフォームに装着された前記少なくとも１つの作動可能素子と、第２のプラットフォームに装着された前記少なくとも１つの光学素子とによって、前記少なくとも１つの光学素子から振動絶縁される、請求項６８から７２のいずれか１項に記載の放射源。
【請求項７４】
前記少なくとも１つの作動可能素子が、第１の誘導リフレクタと、前記第１の誘導リフレクタに機械的に連結された少なくとも１つの第１のリフレクタアクチュエータとを備え、前記少なくとも１つの第１のリフレクタアクチュエータの運動が、前記第１の分量の放射の経路に対する前記第１の誘導リフレクタの向き及び／又は位置を変化させる、請求項６８から７３のいずれか１項に記載の放射源。
【請求項７５】
前記少なくとも１つの作動可能素子、及び前記少なくとも１つの光学素子が結合発振子であり、
使用時に、前記振動絶縁が、前記少なくとも１つの光学素子に及ぼす前記少なくとも１つの作動可能素子の振動の影響を低減する、請求項６８から７４のいずれか１項に記載の放射源。
【請求項７６】
パターニングデバイスからパターンを基板に投影するリソグラフィ装置であって、前記リソグラフィ装置が、放射ビームを前記パターニングデバイスに提供する、請求項６８から７５のいずれか１項に記載の放射源を備える、リソグラフィ装置。
【発明の詳細な説明】
【技術分野】
【０００１】
［関連出願の相互参照］
[0001]  本願は、２０１１年１２月６日、及び２０１２年９月１８日にそれぞれ出願され、両方とも参照として本明細書に組み込まれる米国仮出願第６１／５６７，４３６号、及び第６１／７０２，４８１号の利益を主張する。
【０００２】
[0002]  本発明は、放射源、リソグラフィ装置、及び放射源を動作する方法に関する。
【背景技術】
【０００３】
[0003]  リソグラフィ装置は、所望のパターンを基板に、通常は基板のターゲット部分に適用する機械である。リソグラフィ装置は、例えば、集積回路（ＩＣ）の製造に使用可能である。このような場合、代替的にマスク又はレチクルとも呼ばれるパターニングデバイスを使用して、ＩＣの個々の層上に形成すべき回路パターンを生成することができる。このパターンを、基板（例えばシリコンウェーハ）上のターゲット部分（例えば１つ又は幾つかのダイの一部を含む）に転写することができる。パターンの転写は通常、基板に設けた放射感応性材料（レジスト）の層への結像により行われる。一般的に、１枚の基板は、順次パターンが与えられる隣接したターゲット部分のネットワークを含んでいる。
【０００４】
[0004]  リソグラフィは、ＩＣその他のデバイス及び／又は構造の製造の主要なステップの１つとして広く認知されている。しかしながら、リソグラフィを用いて製造されるフィーチャの寸法が小さくなるにつれ、リソグラフィは超小型ＩＣ又はその他のデバイス及び／又は構造を製造可能にするさらに重要な要素になりつつある。
【０００５】
[0005]  パターン印刷の理論的な推定限界は、式（１）に示す解像度のレイリー基準によって与えられる。
【数１】
2015502665.tif 000003
ここで、λは使用する放射の波長であり、ＮＡはパターンの印刷に使用する投影システムの開口数であり、ｋ１はレイリー定数とも呼ばれるプロセス依存調整係数であり、ＣＤは印刷されるフィーチャのフィーチャサイズ（又はクリティカルディメンション）である。式（１）から、フィーチャの最小印刷可能サイズの低減は３つの方法、すなわち、露光波長λを短縮するか、開口数ＮＡを大きくするか、又はｋ１の値を低減することで得ることができる。
【０００６】
[0006]  露光波長を短くして、最小印刷可能サイズを低減するために、極紫外線（ＥＵＶ）放射源を使用することが提案されている。ＥＵＶ放射は、５〜２０ｎｍ、例えば、１３〜１４ｎｍ、又は例えば６．７ｎｍ又は６．８ｎｍなどの５〜１０ｎｍの範囲内の波長を有する電磁放射である。可能な放射源は、例えば、レーザ生成プラズマ源、放電プラズマ源、又は電子蓄積リングによって提供されるシンクロトロン放射に基づく放射源を含む。
【０００７】
[0007]  ＥＵＶ放射はプラズマを使用して生成されてもよい。ＥＵＶ放射を生成するための放射源は、燃料を励起してプラズマを提供するレーザと、プラズマを含む放射源コレクタモジュールとを含んでもよい。プラズマは例えば、適切な材料（例えばスズ）の微粒子、又はＸｅガス若しくはＬｉ蒸気などの適切なガス又は蒸気のストリームなどの燃料にとレーザビームを誘導することによって生成されてもよい。燃料に誘導されるレーザビームは、二酸化炭素（ＣＯ２）レーザ又はイットリウムアルミニウムガーネット（ＹＡＧ）レーザなどの赤外線（ＩＲ）レーザ（すなわち、ＩＲ波長で放射を放出するレーザ）でよい。結果として得られるプラズマは例えばＥＵＶ放射などの出力放射を放出し、これが放射コレクタを使用して収集される。放射コレクタは、放射を受け、放射をビームへと合焦させる鏡面垂直入射放射コレクタでよく、これが放射を受け、放射をビームへと合焦させる。放射源コレクタモジュールは、プラズマを支持する真空環境を提供するように配置された包囲構造又はチャンバを含んでもよい。このような放射システムは、通常は、レーザ生成プラズマ（ＬＰＰ）放射源と呼ばれる。
【０００８】
[0008]  上述のように、ＬＰＰ放射源内で放射が燃料に誘導される。放射生成プラズマによって出力される放射の特性は、燃料と燃料に誘導される放射の焦点とのアライメントに依存する。例えば、燃料と燃料に誘導される放射の焦点とのアライメントによって影響される放射生成プラズマによって出力される放射の２つの特性は、放射生成プラズマによって出力される放射の全強度及び強度分布である。放射源のある種の用途では、放射生成プラズマによって出力される放射の強度分布が実質的に均一であることが有利であることを理解されたい。さらに、ある種のリソグラフィ装置は、放射の特定の強度分布が放射源によって生成されることを必要とすることがあり、このような強度分布は再現可能であることが望ましい。さらに、幾つかの用途では、放射生成プラズマが放射の最大可能な全強度を出力することが望ましい。少なくともこれらの理由から、燃料と燃料に誘導される放射の焦点との相対的アライメントを何らかの表示方法を有することが望ましい。
【０００９】
[0009]  放射源から出力される放射が所望の分布を有するようにＬＰＰを制御することが望ましいため、燃料と燃料に誘導される放射の焦点との相対的アライメントの何らかの表示能力があれば有利である。代替的に又は追加的に、燃料の位置と、燃料に誘導される放射の焦点の位置の両方が外乱に曝されることがあるため、燃料と燃料に誘導される放射の焦点との相対的アライメントの何らかの表示方法を有することが望ましい。例えば、燃料に誘導される放射の焦点の位置と燃料の位置（したがって燃料と燃料に誘導される放射の焦点との相対的アライメント）は、リソグラフィ装置の部品の移動などのリソグラフィ装置のシステムダイナミクスによって影響されることがある。燃料と燃料に誘導される放射の焦点との相対的アライメントの表示能力があることは、燃料と燃料に誘導される放射の焦点とのミスアライメントを補正できることを意味する。
【００１０】
[0010]  幾つかの既知のリソグラフィ装置では、燃料と燃料に誘導される放射の焦点との相対的アライメントは間接的に測定される。例えば、放射生成プラズマによって出力される放射の強度分布を測定するために、クワッドセンサと呼ばれるセンサを使用してもよい。放射生成プラズマによって出力される放射の強度分布を測定することによって、（放射生成プラズマを生成した）燃料と燃料に誘導される放射の焦点との相対的アライメントに関する情報を推測することが可能である。クアッドセンサは、放射源内に位置し、例えば放射生成プラズマによって出力される放射の光軸を中心に等角に離隔されてもよい複数の（例えば３個又は４個の）センサ素子を有する。放射生成プラズマによって出力され、各センサ素子に入射する放射の強度分布を測定することによって、放射生成プラズマによって出力される放射の強度分布を判定することが可能である。上述のように、放射によって出力される放射の強度分布を測定することによって、燃料と燃料に誘導される放射の焦点との相対的アライメントに関する情報を推測することが可能である。燃料と燃料に誘導される放射の焦点との相対的アライメントに関するこの情報を用いて、燃料と燃料に誘導される放射の焦点とのミスアライメントを補正してもよい。
【００１１】
[0011]  燃料と燃料に誘導される放射の焦点とのアライメントに関する情報を判定するこの方法に関連する様々な問題点がある。これらの問題点を以下に記載する。
【００１２】
[0012]  第１に、燃料と燃料に誘導される放射の焦点との相対的アライメントに関する情報が、放射生成プラズマによって出力される放射の特性を測定することによって得られるため、燃料と燃料に誘導される放射の焦点とのアライメントに関する情報の判定は、燃料と燃料に入射する放射との相互作用、並びに放射生成プラズマの生成を左右する物理学、及びプラズマ自体の性質を左右する物理学に依存する。
【００１３】
[0013]  燃料と燃料に入射する放射との相互作用の詳細、及び放射生成プラズマの特性は良く知られていない。そのため、放射生成プラズマによって出力される放射の測定特性に基づいて、燃料と燃料に誘導される放射の焦点とのアライメントがどうであるかを絶対的な確実さで予測することは不可能である。さらに、放射生成プラズマの特性により、燃料と燃料に誘導される放射の焦点との任意の所与のアライメントで、放射生成プラズマによって出力される放射の測定される強度／強度分布は経時変化することがある。さらに、燃料と燃料に誘導される放射の焦点とのアライメント間の関係、及び放射生成プラズマによって出力される放射の測定される強度／強度分布は非直線的であることがある。そのため、放射生成プラズマによって出力される放射特性の測定では、燃料と燃料に誘導される放射の焦点との相対的アライメントを高精度で予測することは困難である。さらに、燃料に誘導される放射の特性は一定ではないことがある。それ故、放射生成プラズマによって出力される放射の測定された特性は、燃料と燃料に誘導される放射の焦点との相対的アライメントとは無関係の要因（燃料に誘導される放射の特性の変化など）により変化することがある。
【００１４】
[0014]  燃料と燃料に誘導される放射の焦点との相対的アライメントを判定できる精度が不十分であるため、焦点と燃料との相対的アライメントを判定するためのこのようなシステムは、高帯域制御（すなわち、高周波で動作する制御ループ）には適さないことがある。
【００１５】
[0015]  第２に、放射生成プラズマによって出力される放射の特性を測定することによって燃料と燃料に誘導される放射の焦点との相対的アライメントに関する情報を測定するには、放射生成プラズマが、特性を測定可能な放射を生成している必要がある。プラズマによって出力放射が生成されていない場合（例えば、燃料に未だ放射が入射していない場合）は、放射生成プラズマによって出力される放射のいかなる特性も測定不能であり、したがって、燃料と燃料に誘導される放射の焦点との相対的アライメントに関するいかなる情報も推測不能である。そのため、このように動作する放射源を含むリソグラフィ装置のスタートアップ及び／又はリカバリ時間が追加されることがある。リソグラフィ装置のスタートアップ及び／又はリカバリ時間はいずれも、リソグラフィ装置が製品を製造せず、したがってリソグラフィ装置の出力性能を低下させる。
【００１６】
[0016]  第３に、放射生成プラズマの放射出力の特性を測定するために使用されるクアッドセンサのセンサ素子は、放射生成プラズマによって出力される放射に曝される。放射生成プラズマによって出力される放射がクアッドセンサのセンサ素子にとって有害な状況では、それが不利になることがある。例えば、放射生成プラズマによって出力される放射がＥＵＶ放射である場合は、ＥＵＶ放射が経時と共にクアッドセンサのセンサ素子を損傷し、それによってクアッドセンサの劣化を引き起こすことがある。さらに、クアッドセンサは放射生成プラズマの近傍に位置することがある。それ故、クアッドセンサは放射生成プラズマからの熱及び／又はデブリに曝されることがあり、それがクアッドセンサを損傷するか、又は劣化させることがある。経時によるクアッドセンサの損傷又は劣化によって、クアッドセンサの検出特性が経時と共に変化することがあり、そのためクアッドセンサの出力は不正確になるか、又は燃料と燃料に誘導される放射の焦点との相対的アライメントに関する有用な情報を生成できなくなることがある。さらに、極端な環境では、クアッドセンサはもはや動作不能になる程度まで損傷、又は劣化することがある。
【００１７】
[0017]  リソグラフィ装置には、上記機能とは異なる機能を果たすものがある。そのような場合は、燃料からの出力放射の生成は２段階のプロセスになる。第１の段階は、第１の分量の放射が燃料に入射するように第１の放射パルスが燃料に誘導され、燃料を修正された燃料分布に変換する段階である。例えば、修正された燃料分布は、部分的にプラズマ化した燃料のクラウドであってもよい。修正された燃料分配に次の分量の放射が入射するように次の分量の放射が修正された燃料分布に誘導され、修正された燃料分布が放射生成プラズマになり、これが所望の放射を出力する。
【００１８】
[0018]  燃料に入射する第１の分量の放射をプレパルスと呼んでもよく、修正された燃料分布に入射する後続の分量の放射をメインパルスと呼んでもよい。
【００１９】
[0019]  プレパルスとメインパルスとを含む場合は、放射生成プラズマによって出力される放射の特性（例えば、放射生成プラズマによって出力される放射の強度又は強度分布）を判定する際に、プレパルスの焦点と燃料との相対的アライメントと、メインパルスの焦点と修正された燃料分布との相対的アライメントの両方が重要になることがある。さらに、プレパルスが入射する燃料のサイズが、メインパルスが入射する燃料のサイズと比較して小さいため、放射生成プラズマによって出力される放射の特性にとって重要になるのは、メインパルスの焦点と修正された燃料分布とのアライメントよりもプレパルスの焦点と燃料との相対的アライメントであると考えられる。
【００２０】
[0020]  しかしながら、上述のように、燃料に入射するプレパルス放射は放射生成プラズマを生成しないため、プレパルスが燃料に入射する結果として極めてわずかな放射しか測定されないか、又は全く測定されない。それ故、クアッドセンサによって極めてわずかな放射しか測定されないか、又は全く測定されず、したがってクアッドセンサは、プレパルスの焦点と燃料との相対的アライメントに関する何の情報も提供できないことがある。さらに、修正された燃料分布の特性が良く理解されないため、放射生成プラズマによって生成される出力放射の強度分布を測定することによってメインパルスと修正された燃料分布との相対的アライメントに関する情報を判定することができないことがある。
【発明の概要】
【発明が解決しようとする課題】
【００２１】
[0021]  上記又はその他の先行技術の問題点の少なくとも１つを防ぐか、又は軽減する放射源を提供することが望ましい。また、代替放射源を提供することが望ましい。
【課題を解決するための手段】
【００２２】
[0022]  本発明の第１の態様によれば、放射ビームをリソグラフィ装置のイルミネータに提供するのに適する放射源が提供され、放射源は、燃料液滴のストリームを軌道に沿ってプラズマ形成位置に向けて誘導するように構成されたノズルを備え、放射源は、使用時に、第１の分量の放射がプラズマ形成位置で燃料液滴に入射するように、第１の分量の放射を受けるように構成され、放射源は、第１のセンサ配置と第２のセンサ配置とを有するアライメント検出器をさらに備え、第１のセンサ配置は、第１の分量の放射の合焦位置を示す第３の分量の放射の特性を測定するように構成され、第２のセンサ配置は、第１の分量の放射が入射する燃料液滴によって反射される第１の分量の放射の一部である第４の分量の放射の特性を測定するように構成される。
【００２３】
[0023]  別途記載されない限り、記載全体を通してプラズマ生成位置は、プレパルスが燃料液滴に入射する位置、又はメインパルスが（本明細書では場合によって修正された燃料分布と呼ばれる）燃料液滴に入射する位置であってもよい。
【００２４】
[0024]  第２のセンサ配置によって測定される第４の分量の放射の特性は、燃料液滴の位置を示すものであってよい。
【００２５】
[0025]  アライメント検出器は、ビーム分割装置を備えてもよく、放射源は、第１の分量の放射の少なくとも一部がビーム分割装置の少なくとも一部に入射するように構成されてもよく、ビーム分割装置は、第１の分量の放射の少なくとも一部のうちの少なくとも一部分が第１のセンサ配置に入射するように第１の分量の放射の少なくとも一部のうちの少なくとも一部分を誘導するように構成され、第１のセンサ配置に入射するようにビームスプリッタ装置によって誘導される第１の分量の放射の少なくとも一部のうちの少なくとも一部分が第３の分量の放射であり、放射源は、第４の分量の放射の少なくとも一部がビーム分割装置の少なくとも一部に入射するように構成され、ビーム分割装置は、第４の分量の放射の少なくとも一部のうちの少なくとも一部分が第２のセンサ配置に入射するように、第４の分量の放射の少なくとも一部のうちの少なくとも一部分を誘導するように構成される。
【００２６】
[0026]  ビーム分割装置は、ビームスプリッタでもよく、又はビームスプリッタを備えてもよい。
【００２７】
[0027]  放射源は、ビーム分割位置で、ビーム分割装置は、第１の分量の放射の少なくとも一部のうちの少なくとも一部分が第１のセンサ配置に入射するように第１の分量の放射の少なくとも一部のうちの少なくとも一部分の伝搬方向を変更し、第４の分量の放射の一部のうちの少なくとも一部分が第２のセンサ配置に入射するように第４の分量の放射の一部のうちの少なくとも一部分の伝搬方向を変更する、両方を行うように構成されてもよい。
【００２８】
[0028]  放射源は、第１の分量の放射を生成する二次放射源と、二次放射源に接続され、二次放射源が第１の分量の放射を生成するタイミングを制御するように構成されたタイミングコントローラとを備えてもよい。
【００２９】
[0029]  アライメント検出器は、第３の分量の放射を生成するように構成されたアライメント放射源を備えてもよく、アライメント放射源は、第３の分量の放射の伝搬方向が第１の分量の放射の伝搬方向と実質的に平行であるように二次放射源に装着され、放射源は、第３の分量の放射の少なくとも一部が第１のセンサ配置に入射するように構成される。
【００３０】
[0030]  アライメント検出器は、ビームスプリッタ装置を備えてもよく、放射源は、第４の分量の放射の少なくとも一部がビーム分割装置の少なくとも一部に入射するように構成され、ビーム分割装置は、第４の分量の放射の少なくとも一部のうちの少なくとも一部分が第２のセンサ配置に入射するように第４の分量の放射の少なくとも一部のうちの少なくとも一部分を誘導するように構成される。
【００３１】
[0031]  第１のセンサ配置及び／又は第２のセンサ配置は、光電センサアレイを備えてもよい。
【００３２】
[0032]  プラズマ形成位置は、真空又はガスを含む第１のチャンバに位置し、アライメント検出器は第１のチャンバの外側に位置する。
【００３３】
[0033]  放射源はさらに、第１の分量の放射を誘導し、それによって第１の分量の放射の合焦位置を判定する放射誘導デバイスを備えてもよい。
【００３４】
[0034]  放射誘導デバイスは、使用時に、少なくとも一部が第１の分量の放射の経路内に位置する誘導リフレクタと、誘導リフレクタに機械的に連結された少なくとも１つのリフレクタアクチュエータとを備えてもよく、それによって少なくとも１つのリフレクタアクチュエータが移動すると、第１の分量の放射の経路に対する誘導リフレクタの向き及び／又は位置が変更される。
【００３５】
[0035]  ビーム分割装置は、第４の分量の放射の伝搬方向に対して第１の誘導リフレクタの下流に位置してもよい。ビーム分割装置は、第１の分量の放射の伝搬方向に対して第１の誘導リフレクタの上流に位置してもよい。
【００３６】
[0036]  ビーム分割装置は、第４の分量の放射の伝搬方向に対して第１の誘導リフレクタの上流に位置してもよい。ビーム分割装置は、第１の分量の放射の伝搬方向に対して第１の誘導リフレクタの下流に位置してもよい。
【００３７】
[0037]    放射誘導デバイスは、使用時に、少なくとも一部が第１の分量の放射の経路内に位置する第２の誘導リフレクタと、第２の誘導リフレクタに機械的に連結された少なくとも１つの第２のリフレクタアクチュエータとを備えてもよく、それによって少なくとも１つの第２のリフレクタアクチュエータの運動が、第１の分量の放射の経路に対する第２の誘導リフレクタの向き及び／又は位置を変化させる。
【００３８】
[0038]    ビーム分割装置は、第４の分量の放射の伝搬方向に対して第２の誘導リフレクタの上流に位置してもよい。ビーム分割装置は、第１の分量の放射の伝搬方向に対して第２の誘導リフレクタの下流に位置してもよい。
【００３９】
[0039]  第１及び第２の誘導リフレクタは両方とも第１の分量の放射を誘導し、それによって第１の分量の放射の合焦位置を判定するようにコントローラによって制御されてもよい。
【００４０】
[0040]  ノズルは、少なくとも１つのノズルアクチュエータに機械的に連結されてもよく、それによって少なくとも１つのノズルアクチュエータの運動が放射源の残りの部分に対するノズルの位置及び／又は向き、したがって燃料液滴のストリームの軌道を変化させる。
【００４１】
[0041]  放射源は、コントローラをさらに備えてもよく、第１のセンサ配置が第１のセンサ信号をコントローラに提供し、第２のセンサ配置が第２の信号をコントローラに提供し、コントローラは、第１及び第２のセンサ信号に基づいて燃料液滴と第１の分量の放射の合焦位置との相対的アライメントを制御するように構成される。
【００４２】
[0042]  コントローラは、第１及び第２のセンサ信号に基づいて以下のうち少なくとも１つ、すなわち、放射源の残りの部分に対するノズルの位置、したがって燃料液滴のストリームの軌道、第１の分量の放射の伝搬方向、したがって第１の分量の放射の合焦位置、及び第１の分量の放射が燃料液滴に入射するタイミングのうち少なくとも１つを制御することによって、燃料液滴と第１の分量の放射の合焦位置との相対的アライメントを制御するように構成されてもよい。
【００４３】
[0043]  本発明の第２の態様によれば、パターンをパターニングデバイスから基板に投影するように配置されたリソグラフィ装置が提供され、リソグラフィ装置は、放射ビームをパターニングデバイスに提供するように構成された放射源を備え、放射源は燃料液滴のストリームを軌道に沿ってプラズマ形成位置に向けて誘導するように構成されたノズルを備え、放射源は、第１の分量の放射を受けるように構成され、そのため使用時に、第１の分量の放射がプラズマ形成位置で燃料液滴に入射し、第１の分量の放射がエネルギーを燃料液滴に伝達して第２の分量の放射を放出する放射生成プラズマを生成し、放射源はさらに、第１のセンサ配置と第２のセンサ配置とを有するアライメント検出器を備え、第１のセンサ配置は、第１の分量の放射合焦位置を示す第３の分量の放射の特性を測定するように構成され、第２のセンサ配置は、第１の分量の放射が入射する燃料液滴によって反射される第１の分量の放射の一部である第４の分量の放射合焦位置を示す第３の分量の放射の特性を測定するように構成される。
【００４４】
[0044]  本発明の第３の態様によれば、ノズルと、コントローラと、第１のセンサ配置及び第２のセンサ配置を有するアライメント検出器とを備える、放射ビームをリソグラフィ装置のイルミネータに提供するのに適する放射源を動作する方法が提供され、該方法は、燃料液滴のストリームを軌道に沿ってノズルからプラズマ形成位置へと誘導するステップと、第１の分量の放射がプラズマ形成位置で燃料液滴に入射するように、且つ第１の分量の放射がエネルギーを燃料液滴に伝達して、第２の分量の放射を放出する放射生成プラズマを生成するように、第１の分量の放射を燃料液滴に誘導するステップとを含み、第１のセンサ配置は第１の分量の放射の合焦位置を示す第３の分量の放射の特性を測定し、第２のセンサ配置は、第１の分量の放射が入射する燃料液滴によって反射される第１の分量の放射の一部である第４の分量の放射の特性を測定し、第１のセンサ配置は第１の分量の放射の合焦位置を示す第１のセンサの信号をコントローラに提供し、第２のセンサ配置は第２のセンサの信号をコントローラに提供し、コントローラは、第１及び第２のセンサの信号に基づいて燃料液滴と第１の分量の放射の合焦位置との相対的アライメントを判定する。
【００４５】
[0045]  放射源は、放射誘導デバイスと、二次放射源と、二次放射源に接続されたタイミングコントローラとをさらに備えてもよく、上記方法は、二次放射源が第１の分量の放射を生成するステップと、タイミングコントローラが、二次放射源が第１の分量の放射を生成するタイミングを制御するステップと、放射誘導デバイスが第１の分量の放射を誘導し、それによって第１の分量の放射の合焦位置を判定するステップと、コントローラが、第１及び第２のセンサ信号に基づいて、以下のうち少なくとも１つ、すなわち、放射源の残りの部分に対するノズルの位置、したがって燃料液滴のストリームを制御し、放射誘導デバイスを制御し、それによって第１の分量の放射の伝搬方向、したがって第１の分量の放射の合焦位置を制御し、第１の分量の放射が燃料液滴に入射するタイミングを制御するようにタイミングコントローラを制御することの少なくとも１つによって燃料液滴と第１の分量の放射の合焦位置との相対的アライメントを制御するステップとを含む。
【００４６】
[0046]  本発明の第４の態様によれば、リソグラフィ装置のイルミネータに放射ビームを提供するのに適した放射源を動作する方法が提供され、放射源は、ノズルと、コントローラと、第１のセンサ配置及び第２のセンサ配置、第３のセンサ配置、及び第４のセンサ配置を有するアライメント検出器とを備え、上記方法は、燃料液滴のストリームをノズルから軌道に沿ってプラズマ形成位置へと誘導するステップと、第１の分量の放射がプラズマ形成位置で燃料液滴に入射するように、且つ第１の分量の放射が燃料液滴にエネルギーを伝達して修正された燃料分布を生成するように第１の分量の放射を燃料液滴に誘導するステップと、第１のセンサ配置が、第１の分量の放射の合焦位置を示す第３の分量の放射の特性を測定するステップと、第２のセンサ配置が、第１の分量の放射が入射する燃料液滴によって反射される第１の分量の放射の一部である第４の分量の放射の特性を測定するステップと、第１のセンサ配置が、第１の分量の放射の合焦位置を示す第１のセンサ信号をコントローラに提供するステップと、第２のセンサ配置が、第２の信号をコントローラに提供するステップと、コントローラが、第１及び第２のセンサ信号に基づいて、燃料液滴と第１の分量の放射の合焦位置との相対的アライメントを判定するステップと、第５の分量の放射が修正された燃料分布に入射するように、且つ第５の分量の放射が修正された燃料分布にエネルギーを伝達して第２の分量の放射を放出する放射生成プラズマを生成するように第５の分量の放射を修正された燃料分布に誘導するステップと、第３のセンサ配置が、第５の分量の放射の合焦位置を示す第６の分量の放射の特性を測定するステップと、第４のセンサ配置が、第５の分量の放射が入射する修正された燃料分布によって反射される第５の分量の放射の一部である第７の分量の放射の特性を測定するステップと、第３のセンサ配置が、第５の分量の放射の合焦位置を示す第３のセンサ信号をコントローラに提供するステップと、第４のセンサ配置が第４のセンサ信号をコントローラに提供し、コントローラが、第３及び第４のセンサ信号に基づいて、修正された燃料分布と第５の分量の放射の合焦位置との相対的アライメントを判定するステップとを含む。
【００４７】
[0047]  第１のセンサ配置と第３のセンサ配置とは同一でよく、第２のセンサ配置と第４のセンサ配置とは同一でよい。
【００４８】
[0048]  放射源はさらに、第１の放射誘導デバイスと、二次放射源と、二次放射源に接続されたタイミングコントローラとを備えてもよい。上記方法はさらに、二次放射源で第１の分量の放射を生成するステップと、タイミングコントローラで二次放射源が第１の分量の放射を生成するタイミングを制御するステップと、第１の放射誘導デバイスで第１の分量の放射を誘導し、それによって第１の分量の放射の合焦位置を判定するステップと、コントローラで、及び第１及び第２のセンサの信号の少なくとも１つに基づいて放射誘導デバイスを制御し、それによって燃料液滴と第１の分量の放射の合焦位置との相対的アライメントを制御することで、第１の分量の放射の伝搬方向を制御し、したがって第１の分量の放射の合焦位置を制御するステップとを含む。
【００４９】
[0049]  放射源はさらに、第２の放射誘導デバイスと、二次放射源と、二次放射源に接続されたタイミングコントローラとを備えてもよい。上記方法はさらに、二次放射源で第５の分量の放射を生成するステップと、タイミングコントローラで二次放射源が第５の分量の放射を生成するタイミングを制御するステップと、第２の放射誘導デバイスで第５の分量の放射を誘導し、それによって第５の分量の放射の合焦位置を判定するステップと、
コントローラで、及び第１及び第２のセンサの信号の少なくとも１つに基づいて、放射誘導デバイスを制御することによって修正された燃料分布と第５の分量の放射の合焦位置との相対的アライメントを制御し、それによって第５の分量の放射の伝搬方向を制御し、したがって第５の分量の放射の合焦位置を制御するステップと、を含む。
【００５０】
[0050]  第１及び第２の放射誘導デバイスは、同じ放射誘導デバイスでなくてもよい。
【００５１】
[0051]  第１の分量の放射は、第２の放射誘導デバイスに入射しなくてもよい。
【００５２】
[0052]  放射源はさらに、第３の放射誘導デバイスを備えてもよく、上記方法はさらに、第３の放射誘導デバイスで第５の分量の放射を第２の放射誘導デバイスに誘導するステップを含んでもよく、第１の分量の放射は上記第３の放射誘導デバイスと相互作用しない。
【００５３】
[0053]  本発明の第５の態様によれば、リソグラフィ装置のイルミネータに放射ビームを提供するのに適した放射源が提供され、放射源は、使用時に、第１の分量の放射が少なくとも１つの放射誘導素子に入射し、次にプラズマ形成位置で燃料液滴に入射するように第１の分量の放射を受けるように、且つ第１の分量の放射がエネルギーを燃料液滴に伝達して、第２の分量の放射を放出する放射生成プラズマを生成するように構成され、放射源は、第１の分量の放射の合焦位置を示す第３の分量の放射の特性を測定するように構成された第１のセンサ配置をさらに備え、使用時に、第少なくとも１つの放射誘導素子に入射する第３の分量の放射の少なくとも一部が少なくとも１つの放射誘導素子に入射する第１の分量の放射と重なるように第３の分量の放射が少なくとも１つの放射誘導素子に入射する。
【００５４】
[0054]  本発明の第６の態様によれば、リソグラフィ装置のイルミネータに放射ビームを提供するのに適した放射源が提供され、放射源は、使用時に、第１の分量の放射が少なくとも１つの放射誘導素子に入射し、次にプラズマ形成位置で燃料液滴に入射するように第１の分量の放射を受けるように、且つ第１の分量の放射がエネルギーを燃料液滴に伝達して、第２の分量の放射を放出する放射生成プラズマを生成するように構成され、放射源は、第３の分量の放射とさらなる分量の放射の特性を測定するように構成された第１のセンサ配置をさらに備え、第３の分量及びさらなる分量の放射が第１の分量の放射の合焦位置を集合的に示し、使用時に、第３の分量の放射、及びさらなる分量の放射の両方が少なくとも１つの放射誘導素子に入射する。
【００５５】
[0055]  第１のセンサ配置は、第３の分量の放射の特性を測定するように構成された第１のセンサと、さらなる分量の放射の特性を判定するように構成された第２のセンサとを備えてもよく、第１の分量の放射が光軸に沿って伝搬し、第１のセンサと第２のセンサとが光軸を中心に約１８０°の角度で互いに離隔される。
【００５６】
[0056]  使用時に、第３の分量の放射及び／又はさらなる分量の放射は、少なくとも１つの放射誘導素子に入射する第３の分量の放射及び／又はさらなる分量の放射の少なくとも一部が少なくとも１つの放射誘導素子に入射する第１の分量の放射の少なくとも一部と重なるように、少なくとも１つの放射誘導素子に入射してもよい。
【００５７】
[0057]  本発明の第７の態様によれば、リソグラフィ装置のイルミネータに放射ビームを提供するのに適した放射源が提供され、放射源は、使用時に、第１の分量の放射が少なくとも１つの放射誘導素子に入射し、次にプラズマ形成位置で燃料液滴に入射するように第１の分量の放射を受けるように、且つ第１の分量の放射がエネルギーを燃料液滴に伝達して、第２の分量の放射を放出する放射生成プラズマを生成するように構成され、放射源は、第１の分量の放射の合焦位置を示す第３の分量の放射の特性を測定するように構成された第１のセンサ配置をさらに備え、レーザはレーザ媒質を含み、使用時に、第３の分量の放射はレーザ媒質を通過する。
【００５８】
[0058]  レーザ媒質が増幅管内に含まれてもよく、第３の分量の放射が増幅管を通過してもよい。
【００５９】
[0059]  放射源は、使用時に、第１の分量の放射が少なくとも１つの放射誘導素子に入射し、次にプラズマ形成位置で燃料液滴に入射するように構成されてもよく、使用時に、第３の分量の放射が少なくとも１つの放射誘導素子に入射する。
【００６０】
[0060]  放射源は、少なくとも１つの放射誘導素子に入射する第３の分量の放射の少なくとも一部が少なくとも１つの放射誘導素子に入射する第１の分量の放射の少なくとも一部と重なるように構成されてもよい。
【００６１】
[0061]  本発明の第８の態様によれば、リソグラフィ装置のイルミネータに放射ビームを提供するのに適した放射源を動作する方法が提供され、放射源は、コントローラと、少なくとも１つの放射誘導素子と、第１のセンサ配置とを備え、上記方法は、第１の分量の放射が少なくとも１つの放射誘導素子に入射し、次にプラズマ形成位置で燃料液滴に入射するように、且つ第１の分量の放射がエネルギーを燃料液滴に伝達して、第２の分量の放射を放出する放射生成プラズマを生成するように、第１の分量の放射を誘導するステップと、第１のセンサ配置で、第１の分量の放射の合焦位置を示す第３の分量の放射の特性を測定するステップと、第１のセンサ配置によって、第１の分量の放射の合焦位置を示す第１のセンサ信号をコントローラに提供するステップと、コントローラによって、第１のセンサ信号に基づいて第１の分量の放射の合焦位置を制御するための制御信号を少なくとも１つの放射誘導素子に提供するステップとを含み、第３の分量の放射は、少なくとも１つの放射誘導素子に入射する第３の分量の放射の少なくとも一部が少なくとも１つの放射誘導素子に入射する第１の分量の放射の少なくとも一部と重なるように少なくとも１つの放射誘導素子に入射する。
【００６２】
[0062]  本発明の第９の態様によれば、リソグラフィ装置のイルミネータに放射ビームを提供するのに適した放射源を動作する方法が提供され、放射源は、コントローラと、少なくとも１つの放射誘導素子と、第１のセンサ配置とを備え、上記方法は、第１の分量の放射が少なくとも１つの放射誘導素子に入射し、次に燃料液滴に入射するように、且つ第１の分量の放射がエネルギーを燃料液滴に伝達して、第２の分量の放射を放出する放射生成プラズマを生成するように、第１の分量の放射を誘導するステップと、第３の分量及びさらなる分量の放射が少なくとも１つの放射誘導素子に入射するように第３の分量及びさらなる分量の放射を提供するステップと、第１のセンサ配置で、第１の分量の放射の合焦位置を集合的に示す第３の分量の放射の特性、及びさらなる分量の放射の特性を測定するステップと、第１のセンサ配置によって、第１の分量の放射の合焦位置を示す第１のセンサ信号をコントローラに提供するステップと、コントローラによって、第１のセンサ信号に基づいて第１の分量の放射の合焦位置を制御するための制御信号を少なくとも１つの放射誘導素子に提供するステップとを含む。
【００６３】
[0063]  第１のセンサ配置は、第３の分量の放射の特性を測定するように構成された第１のセンサと、さらなる分量の放射の特性を測定するように構成された第２のセンサとを備えてもよく、第１の分量の放射が光軸に沿って伝搬するように誘導され、第１のセンサと第２のセンサとが光軸を中心に互いに約１８０°の角度で互いに離隔される。
【００６４】
[0064]  第３の分量の放射及び／又はさらなる分量の放射が少なくとも１つの放射誘導素子に入射して、少なくとも１つの放射誘導素子に入射する第３の分量の放射及び／又はさらなる分量の放射の少なくとも一部が、少なくとも１つの放射誘導素子に入射する第１の分量の放射の少なくとも一部と重なるように第３の分量の放射が提供されてもよい。
【００６５】
[0065]  本発明の第１０の態様によれば、リソグラフィ装置のイルミネータに放射ビームを提供するのに適した放射源を動作する方法が提供され、放射源は、コントローラと、少なくとも１つの放射誘導素子と、第１のセンサ配置と、レーザ媒質を含むレーザとを備え、上記方法は、レーザによって第１の分量の放射を提供するステップと、第１の分量の放射が少なくとも１つの放射誘導素子に入射し、次にプラズマ形成位置で燃料液滴に入射するように、且つ第１の分量の放射がエネルギーを燃料液滴に伝達して、第２の分量の放射を放出する放射生成プラズマを生成するように、第１の分量の放射を誘導するステップと、第３の分量の放射がレーザ媒質を通過するようにこれを誘導するステップと、第１のセンサ配置で、第１の分量の放射の合焦位置を示す第３の分量の放射の特性を測定するステップと、第１のセンサ配置によって、第１の分量の放射の合焦位置を示す第１のセンサ信号をコントローラに提供するステップと、コントローラによって、第１のセンサ信号に基づいて第１の分量の放射の合焦位置を制御するための制御信号を少なくとも１つの放射誘導素子に提供するステップとを含む。
【００６６】
[0066]  レーザ媒質が増幅管内に含まれてもよく、第３の分量の放射が増幅管を通過してもよい。
【００６７】
[0067]  第３の分量の放射が少なくとも１つの放射誘導素子に入射するように、第３の分量の放射が誘導されてもよい。
【００６８】
[0068]  少なくとも１つの放射誘導素子に入射する第３の分量の放射の少なくとも一部が、少なくとも１つの放射誘導素子に入射する第１の分量の放射の少なくとも一部と重なるように第３の分量の放射が誘導されてもよい。
【００６９】
[0069]  本発明の第１１の態様によれば、リソグラフィ装置のイルミネータに放射ビームを提供するのに適した放射源が提供され、放射源は、使用時に、第１の分量の放射が光軸に沿って伝搬し、少なくとも１つの放射誘導素子に入射し、次にプラズマ形成位置で燃料液滴に入射するように第１の分量の放射を受けるように、且つ第１の分量の放射がエネルギーを燃料液滴に伝達して、第２の分量の放射を放出する放射生成プラズマを生成するように構成され、放射源は、第３の分量の放射の特性を測定するように構成された第１のセンサと、さらなる分量の放射の特性を測定するように構成された第２のセンサとを備える第１のセンサ配置をさらに備え、第３の分量及びさらなる分量の放射が、第１の分量の放射の発散を集合的に示し、使用時に、第３の分量の放射とさらなる分量の放射の両方が少なくとも１つの放射誘導素子に入射する。
【００７０】
[0070]  第１のセンサと第２のセンサとが、光軸を中心に互いに約１８０°の角度で離隔されてもよい。
【００７１】
[0071]  本発明の第１２の態様によれば、リソグラフィ装置のイルミネータに放射ビームを提供するのに適した放射源を動作する方法が提供され、放射源は、コントローラと、少なくとも１つの放射誘導素子と、第１のセンサと第２のセンサとを備える第１のセンサ配置とを備え、上記方法は、第１の分量の放射が少なくとも１つの放射誘導素子に入射し、次にプラズマ形成位置で燃料液滴に入射するように、且つ第１の分量の放射がエネルギーを燃料液滴に伝達して、第２の分量の放射を放出する放射生成プラズマを生成するように、第１の分量の放射を光軸に沿って燃料液滴に誘導するステップと、第１及び第２のセンサが光軸を中心に互いに角度をなして離隔されるようにこれらを提供するステップと、第３の分量及びさらなる分量の放射が少なくとも１つの放射誘導素子に入射するように第３の分量及びさらなる分量の放射を提供するステップと、第１のセンサで第３の分量の放射の特性を測定するステップと、第２のセンサで、測定された第３の分量の放射の特性と測定されたさらなる分量の放射の特性とが第１の分量の放射の発散を示すように、さらなる分量の放射の特性を測定するステップと、第１のセンサ配置で、第１の分量の放射の発散を示す第１のセンサ信号をコントローラに提供するステップとを含む。
【００７２】
[0072]  第１のセンサと第２のセンサとが、光軸を中心に互いに約１８０°の角度で離隔されてもよい。
【００７３】
[0073]  本発明の第１３の態様によれば、リソグラフィ装置のイルミネータに放射ビームを提供するのに適した放射源が提供され、放射源は第１の分量の放射と相互作用するように構成された少なくとも１つの光学素子と、少なくとも１つの作動可能素子とを備え、少なくとも１つの作動可能素子は、少なくとも１つの光学素子から振動絶縁されている。
【００７４】
[0074]  振動絶縁は、作動可能素子の運動により生じる振動／発振の少なくとも１つの光学素子への伝達がなくなるか、又は低減することを意味する。これにより、少なくとも１つの作動可能素子の作動の結果生じる振動は少なくなり、したがって少なくとも１つの光学素子の不都合な運動が少なくなる。
【００７５】
[0075]  少なくとも１つの作動可能素子は、作動可能素子が作動される最大周波数未満の周波数まで振動絶縁されてもよい。
【００７６】
[0076]  少なくとも１つの作動可能素子は、上記少なくとも１つの光学素子に取り付けた絶縁手段によって少なくとも１つの光学素子から振動絶縁されてもよく、及び／又は少なくとも１つの作動可能素子は、少なくとも１つの作動可能素子に取り付けた絶縁手段によって少なくとも１つの光学素子から振動絶縁されてもよい。
【００７７】
[0077]  少なくとも１つの作動可能素子に取り付けられる絶縁手段は、少なくとも１つの作動可能素子よりも質量が重い本体を備える。
【００７８】
[0078]  少なくとも１つの作動可能素子は、第１のプラットフォームに取り付けた少なくとも１つの作動可能素子によって少なくとも１つの光学素子から振動絶縁されてもよく、少なくとも１つの光学素子は第２のプラットフォームに装着される。
【００７９】
[0079]  少なくとも１つの作動可能素子は、第１の誘導リフレクタと、第１の誘導リフレクタに機械的に連結された少なくとも１つの第１のリフレクタアクチュエータを備えてもよい。少なくとも１つの第１の誘導リフレクタの運動は、第１の分量の放射の経路に対する第１の誘導リフレクタの向き及び／又は位置を変更してもよい。
【００８０】
[0080]  少なくとも１つの作動可能素子及び少なくとも１つの光学素子は結合振動子でよく、使用時に、振動絶縁が少なくとも１つの光学素子上での少なくとも１つの作動可能素子の振動作用を低減してもよい。
【００８１】
[0081]  本発明の第１４の態様によれば、パターニングデバイスからパターンを基板に投影するように配置されたリソグラフィ装置が提供され、リソグラフィ装置は、放射ビームをパターニングデバイスに提供するように構成された請求項６３〜７０のいずれか１項に記載の放射源を備える。
【００８２】
[0082]  本発明の第１５の態様によれば、リソグラフィ装置のイルミネータに放射ビームを提供するのに適する放射源が提供され、放射源は第１の分量の放射及び少なくとも１つの作動可能素子と相互作用するように構成された複数の光学素子を備え、上記複数の光学素子の第１の光学素子は上記光学素子の第２の光学素子とそのように機械的に結合されている。
【００８３】
[0083]  上記態様のいずれにおいても、第１の分量の放射は、第２の分量の放射を放出する放射生成プラズマを生成するためにエネルギーを燃料液滴に伝達しなくてもよい。例えば、第１の分量の放射は、第２の分量の放射を放出する放射生成プラズマを生成する代わりに燃料に入射して修正された燃料分布を生成するプレパルスでもよい。
【００８４】
[0084]  本発明の別の実施形態に到達するために、本発明の任意の上記態様の特徴を組み合わせてもよい。
【００８５】
[0085]  本発明の別の特徴及び利点、並びに本発明の様々な実施形態の構造及び動作は、添付の図面を参照して以下に詳細に説明する。本発明は、本明細書に記載する特定の実施形態に限定されないことに留意されたい。このような実施形態は、例示のみを目的として本明細書に記載されている。本明細書に含まれる教示に基づいて当業者はさらなる実施形態を容易に思い付くであろう。
【図面の簡単な説明】
【００８６】
[0086]  対応する参照符号が対応する部分を示す添付の概略図を参照しながら以下に本発明の実施形態について説明するが、これは単に例示としてのものにすぎない。
【図１】[0087]本発明のある実施形態によるリソグラフィ装置を示す。
【図２】[0088]図１のリソグラフィ装置をより詳細に示す。
【図３】[0089]図１及び図２に示すリソグラフィ装置の一部を形成する本発明のある実施形態による放射源の概略平面図である。
【図４】[0090]本発明の第２の実施形態による放射源の概略平面図を示す。
【図５】[0091]本発明の第３の実施形態による放射源の概略平面図を示す。
【図６】[0092]本発明の第４の実施形態による放射源の概略平面図を示す。
【図７】[0093]図６に示す放射源の修正部分の概略図を示す。
【図８】[0094]図７に示す放射源の一部の発散ビーム状態の概略図を示す。
【図９】[0095]図７及び図８に示す合焦位置のロケーションを判定するための代替配置の概略図を示す。
【図１０】[0096]図９に示す配置のビーム発散状態の配置の概略図を示す。
【図１１】[0097]合焦位置のロケーションを判定するための他の代替配置の概略図を示す。
【図１２】[0098]合焦位置のロケーションを判定するための別の代替配置の概略図を示す。
【図１３】[0099]図１２に示す配置の発散ビーム状態の概略図を示す。
【図１４】[00100]合焦位置のロケーションを判定するための他の代替配置の概略図を示す。
【図１５】[00101]図１４に示す配置の発散ビーム状態の概略図を示す。
【図１６】[00102]合焦位置のロケーションを判定するためのさらに別の代替配置の概略図を示す。
【図１７】[00103]２つのビームを合焦位置に向けて誘導するための代替配置の概略図を示す。
【図１８】[00104]放射源の幾つかのコンポーネントを振動絶縁するための代替配置の概略図を示す。
【図１９】[00105]放射源の幾つかのコンポーネントを放射源の別のコンポーネントから振動絶縁するための他の代替配置の概略図を示す。
【図２０】[00105]放射源の幾つかのコンポーネントを放射源の別のコンポーネントから振動絶縁するための他の代替配置の概略図を示す。
【図２１】[00105]放射源の幾つかのコンポーネントを放射源の別のコンポーネントから振動絶縁するための他の代替配置の概略図を示す。
【００８７】
[00106]  本発明の特徴及び利点は、同様の参照符号は全体を通して対応する要素を識別する図面を参照しながら以下の詳細な説明を読むことでさらに明白になろう。図面では、一般に、同様の参照番号が同一の、機能が類似した、及び／又は構造が類似する要素を示す。ある要素が最初に出現する図面は、対応する参照番号の左端の１つ以上の数字によって示される。
【発明を実施するための形態】
【００８８】
[00107]  本明細書は、本発明の特徴を組み込んだ１つ以上の実施形態を開示する。開示される実施形態は本発明を例示するにすぎない。本発明の範囲は開示される実施形態に限定されない。本発明は、本明細書に添付される特許請求の範囲によって定義される。
【００８９】
[00108]  記載された実施形態、及び本明細書で「一実施形態」、「ある実施形態」、「例示的実施形態」などに言及した場合、それは記載された実施形態が特定の特徴、構造、又は特性を含むことができるが、それぞれの実施形態が必ずしも特定の特徴、構造、又は特性を含まないことがあることを示す。さらに、このようなフレーズは、必ずしも同じ実施形態に言及するものではない。さらに、ある実施形態に関連して特定の特徴、構造、又は特性について記載している場合、明示的に記載されているか、記載されていないかにかかわらず、このような特徴、構造、又は特性を他の実施形態との関連で実行することが当業者の知識にあることが理解される。
【００９０】
[00109]  図１は、本発明の一実施形態による放射源コレクタモジュールＳＯを含むリソグラフィ装置１００を概略的に示す。この装置は、
放射ビームＢ（例えば、ＥＵＶ放射）を調節するように構成された照明システム（イルミネータ）ＩＬと、
パターニングデバイス（例えば、マスク又はレチクル）ＭＡを支持するように構築され、パターニングデバイスを正確に位置決めするように構成された第１のポジショナＰＭに接続された支持構造（例えば、マスクテーブル）ＭＴと、
基板（例えば、レジストコートウェーハ）Ｗを保持するように構築され、基板を正確に位置決めするように構成された第２のポジショナＰＷに接続された基板テーブル（例えば、ウェーハテーブル）ＷＴと、
基板Ｗのターゲット部分Ｃ（例えば、１つ以上のダイを含む）上にパターニングデバイスＭＡによって放射ビームＢへ付与されたパターンを投影するように構成された投影システム（例えば、反射投影システム）ＰＳとを備える。
【００９１】
[00110]  照明システムは、放射の誘導、整形、又は制御を行うための、屈折型、反射型、磁気型、電磁型、静電型等の光学コンポーネント、又はその任意の組合せなどの種々のタイプの光学コンポーネントを含んでもよい。
【００９２】
[00111]  支持構造ＭＴは、パターニングデバイスの方向、リソグラフィ装置の設計等の条件、例えばパターニングデバイスが真空環境で保持されているか否かに応じた方法でパターニングデバイスＭＡを保持する。この支持構造は、パターニングデバイスを保持するために、機械式、真空式、静電式等のクランプ技術を使用することができる。支持構造は、例えばフレーム又はテーブルでよく、必要に応じて固定式又は可動式でよい。支持構造は、パターニングデバイスが例えば投影システムに対して確実に所望の位置にくるようにしてもよい。
【００９３】
[00112]  「パターニングデバイス」という用語は、基板のターゲット部分にパターンを生成するように、放射ビームの断面にパターンを与えるために使用し得る任意のデバイスを指すものとして広義に解釈されるべきである。放射ビームに与えられるパターンは、集積回路などのターゲット部分に生成されるデバイスの特定の機能層に相当する。
【００９４】
[00113]  パターニングデバイスは透過性又は反射性でよい。パターニングデバイスの例には、マスク、プログラマブルミラーアレイ、及びプログラマブルＬＣＤパネルがある。マスクはリソグラフィにおいて周知のものであり、これには、バイナリマスク、レベンソン型(alternating)位相シフトマスク、ハーフトーン型(attenuated)位相シフトマスクのようなマスクタイプ、さらには様々なハイブリッドマスクタイプも含まれる。プログラマブルミラーアレイの一例として、小さなミラーのマトリクス配列を使用し、そのミラーは各々、入射する放射ビームを異なる方向に反射するよう個々に傾斜することができる。傾斜したミラーは、ミラーマトリクスによって反射する放射ビームにパターンを付与する。
【００９５】
[00114]  照明システムのような投影システムは、使用する露光放射、又は真空の使用などの他の要因に合わせて適宜、例えば屈折光学システム、反射光学システム、磁気光学システム、電磁光学システム、静電光学システム等の光学コンポーネント、又はその任意の組合せなどの種々のタイプの光学コンポーネントを含んでいてもよい。ガスは放射を吸収しすぎるため、ＥＵＶ放射用には真空を使用することが望ましいことがある。したがって、真空壁及び真空ポンプを用いてビーム経路全体に真空環境を設けてもよい。
【００９６】
[00115]  本明細書で示すように、装置は反射型である（例えば反射型マスクを使用する）。
【００９７】
[00116]  リソグラフィ装置は、２つ（デュアルステージ）又はそれ以上の基板テーブル（及び／又は２つ以上のマスクテーブル）を有するタイプでもよい。このような「マルチステージ」機械においては、追加のテーブルを並行して使用するか、又は１つ以上の他のテーブルを露光に使用している間に１つ以上のテーブルで予備工程を実行してもよい。
【００９８】
[00117]  図１を参照すると、イルミネータＩＬは放射源コレクタモジュールＳＯから極紫外線（ＥＵＶ）放射を受ける。放射源コレクタモジュールＳＯはまた、放射源と呼ばれてもよい。ＥＵＶ放射を生成する方法は、ＥＵＶ域内の１つ以上の輝線を有する、例えばキセノン、リチウム又はスズなどの少なくとも１つの元素を有する材料をプラズマ状態に変換するステップを含むが、これらに限定されない。レーザ生成プラズマ（「ＬＰＰ」）と呼ばれることが多いこのような方法では、燃料にレーザビームを照射することによって必要なプラズマを生成することができる。燃料は、例えば、必要な線発光素子を有する材料の液滴、ストリーム、又はクラスタでよい。放射源コレクタモジュールＳＯは、燃料を励起するレーザビームを提供するレーザを含むＥＵＶ放射システム（図１には図示せず）の一部でよい。結果として得られるプラズマは、例えばＥＵＶ放射などの出力放射を放出し、これは放射源コレクタモジュール内に位置する放射コレクタを使用して収集される。燃料の励起用のレーザビームを提供するために例えばＣＯ２レーザを使用する場合は、レーザと放射源コレクタモジュールとは別個のエンティティでよい。このような場合は、レーザはリソグラフィ装置の一部を形成するものとは見なされず、放射ビームは、例えば適切な誘導ミラー及び／又はビームエキスパンダを備えるビーム伝送システムを用いてレーザから放射源コレクタモジュールに送られる。別の場合、例えば放射源がＤＰＰ放射源と呼ばれることが多い放電生成プラズマＥＵＶ生成器である場合には、放射源は放射源コレクタモジュールと一体部分でよい。
【００９９】
[00118]  イルミネータＩＬは、放射ビームの角度強度分布を調整するアジャスタを備えてもよい。通常、イルミネータの瞳面における強度分布の少なくとも外側及び／又は内側半径範囲（一般にそれぞれ、σ-outer及びσ-innerと呼ばれる）を調整することができる。さらに、イルミネータＩＬは、ファセット型フィールド及び瞳ミラーデバイスなどの他の種々のコンポーネントを備えてもよい。イルミネータを用いて放射ビームを調節し、その断面に所望の均一性と強度分布とが得られるようにしてもよい。
【０１００】
[00119]  放射ビームＢは、支持構造（例えば、マスクテーブル）ＭＴ上に保持されたパターニングデバイス（例えば、マスク）ＭＡに入射し、パターニングデバイスによってパターニングされる。パターニングデバイス（例えば、マスク）ＭＡに反射した後、放射ビームＢは投影システムＰＳを通過し、投影システムＰＳはビームを基板Ｗのターゲット部分Ｃ上に合焦させる。第２のポジショナＰＷと位置センサＰＳ２（例えば、干渉計デバイス、リニアエンコーダ又は容量センサ）を用いて、基板テーブルＷＴは、例えば、様々なターゲット部分Ｃを放射ビームＢの経路に位置決めできるように正確に移動できる。同様に、第１のポジショナＰＭと別の位置センサＰＳ１を用いて、放射ビームＢの経路に対してパターニングデバイス（例えば、マスク）ＭＡを正確に位置決めできる。パターニングデバイス（例えば、マスク）ＭＡ及び基板Ｗは、マスクアライメントマークＭ１、Ｍ２及び基板アライメントマークＰ１、Ｐ２を使用して位置合わせすることができる。
【０１０１】
[00120]  図示のリソグラフィ装置は、以下のモードのうち少なくとも１つにて使用可能である。
[00121]  １．ステップモードにおいては、支持構造（例えばマスクテーブル）ＭＴ及び基板テーブルＷＴは、基本的に静止状態に維持される一方、放射ビームに与えたパターン全体が１回でターゲット部分Ｃに投影される（すなわち単一静的露光）。次に、別のターゲット部分Ｃを露光できるように、基板テーブルＷＴがＸ方向及び／又はＹ方向に移動される。
[00122]  ２．スキャンモードにおいては、支持構造（例えばマスクテーブル）ＭＴ及び基板テーブルＷＴは同期的にスキャンされる一方、放射ビームに与えられるパターンがターゲット部分Ｃに投影される（すなわち単一動的露光）。支持構造（例えばマスクテーブル）ＭＴに対する基板テーブルＷＴの速度及び方向は、投影システムＰＳの拡大（縮小）及び像反転特性によって求めることができる。
[00123]  ３．別のモードにおいては、支持構造（例えばマスクテーブル）ＭＴはプログラマブルパターニングデバイスを保持して基本的に静止状態に維持され、基板テーブルＷＴを移動又はスキャンさせながら、放射ビームに与えられたパターンをターゲット部分Ｃに投影する。このモードでは、一般にパルス状放射源を使用して、基板テーブルＷＴを移動させるごとに、又はスキャン中に連続する放射パルス間で、プログラマブルパターニングデバイスを必要に応じて更新する。この動作モードは、以上で言及したようなタイプのプログラマブルミラーアレイなどのプログラマブルパターニングデバイスを利用するマスクレスリソグラフィに容易に適用できる。
【０１０２】
[00124]  上述した使用モードの組合せ及び／又は変形、又は全く異なる使用モードも使用できる。
【０１０３】
[00125]  図２は、放射源コレクタモジュールＳＯと、照明システムＩＬと、投影システムＰＳとを含む装置１００を詳細に示している。放射源コレクタモジュールＳＯは、真空環境を放射源コレクタモジュールＳＯの包囲構造２２０内に維持できるように構築され、配置される。放射源コレクタモジュールＳＯを放射源と呼んでもよい。
【０１０４】
[00126]  この場合はレーザＬＡである二次放射源は、燃料供給源２００から提供されるキセノン（Ｘｅ）、スズ（Ｓｎ）、又はリチウム（Ｌｉ）などの燃料に第１の分量の放射（この場合、レーザビーム２０５）を介してエネルギーを蓄積し、それによりプラズマ形成位置で電子温度が数１０ｅＶの高電離プラズマ２１０を生成するように配置されている。レーザＬＡは赤外線（ＩＲ）放射を放出してもよい。これらのイオンの脱励起と再結合中に生成されるエネルギー放射はプラズマから放出され、近垂直入射コレクタ光学系ＣＯによって収集され、合焦される。レーザはパルス式に動作してもよい。
【０１０５】
[00127]  コレクタ光学系ＣＯによって反射される放射は、仮想放射源ポイントＩＦで合焦される。仮想放射源ポイントＩＦは通常は中間焦点と呼ばれ、放射源コレクタモジュールＳＯは、中間焦点ＩＦが包囲構造２２０内の開口２２１に、又はその近傍に位置するように配置される。仮想放射源ポイントＩＦは、放射放出プラズマ２１０の像である。
【０１０６】
[00128]  その後、放射は照明システムＩＬを横切る。照明システムＩＬは、パターニングデバイスＭＡで放射ビーム２１の所望の角度分布、並びにパターニングデバイスＭＡで所望の放射強度の一様性を提供するように配置されたファセット型フィールドミラーデバイス２２と、ファセット型瞳ミラーデバイス２４とを含んでもよい。放射ビーム２１がパターニングデバイスＭＡで反射すると、パターン付ビーム２６が形成され、パターン付ビーム２６は、投影システムＰＳによって反射素子２８、３０を介して基板テーブルＷＴ上に保持された基板Ｗ上に結像される。
【０１０７】
[00129]  一般に、照明システムＩＬ及び投影システムＰＳには図示したよりも多くの素子があってもよい。さらに、図示したよりも多くのミラーがあってもよく、例えば図２に示した反射素子よりも１〜６個多い追加の反射素子が投影システムＰＳにあってもよい。
【０１０８】
[00130]  図３は、放射源ＳＯを詳細に示す。放射源ＳＯは、２つの固定反射素子１１０、１１２、及び（放射ビーム２０５と呼ばれる）第１の分量の放射を放射ビーム２０５の合焦位置１１６に向けて集合的に誘導し、合焦させる可動反射素子１１４を備える。放射ビーム２０５の合焦位置１１６を、第１の分量の放射のビームウェストの位置と呼んでもよい。本発明の別の実施形態では、第１の分量の放射を放射ビームの合焦位置に向けて誘導し、合焦させるために任意の適切な数の固定リフレクタ及び／又は可動リフレクタを使用してもよいことを理解されたい。さらに、本発明の他の実施形態では、第１の分量の放射を合焦位置に向けて合焦させるために任意の適切な（すなわち、リフレクタ素子以外の）合焦素子を使用してもよい。
【０１０９】
[00131]  可動リフレクタ素子１１４は放射誘導デバイスの一部を形成する。放射誘導デバイスのリフレクタ素子１１４（又はリフレクタ）は、放射ビーム２０５（第１の分量の放射とも呼ばれる）の経路内に位置している。放射誘導デバイスはまた、リフレクタ１１４に機械的に連結された少なくとも１つのリフレクタを備える。この場合、放射誘導デバイスは、リフレクタ１１４に機械的に連結された２つのリフレクタアクチュエータ１１８、１２０を備える。リフレクタアクチュエータ１１８、１２０の少なくとも１つの運動によって、放射ビーム２０５の経路に対するリフレクタ１１４の向き及び／又は位置が変化する。これにより、放射ビーム２０５に対するリフレクタ１１４の向き及び／又は位置を調整して、放射ビーム２０５の合焦位置１１６を変更するためにリフレクタアクチュエータを作動することができる。
【０１１０】
[00132]  本実施形態では２つのリフレクタアクチュエータ１１８、１２０が示されたが、別の実施形態では、少なくとも１つのリフレクタアクチュエータさえあれば、リフレクタアクチュエータの数は任意の適切な数であってもよいことを理解されたい。さらに、本実施形態では、リフレクタアクチュエータ１１８、１２０は放射ビーム２０５に対するリフレクタ１１４の向き及び／又は位置を変化させることを理解されたい。しかしながら、別の実施形態では、アクチュエータは、放射ビームの合焦位置を変化させる任意の適切な特性を変更してもよい。例えば、アクチュエータは、リフレクタの形状を変化させてもよい。本実施形態の放射誘導デバイスはリフレクタ１１４を備えているが、別の実施形態では、放射誘導デバイスは、放射ビームの合焦位置を変更できる任意の適切な誘導素子を備えてもよい。例えば、放射誘導デバイスは、各レンズ素子の特性を調整可能な複数のレンズ素子を備えてもよい。
【０１１１】
[00133]  上述のように、放射源ＳＯは、燃料供給源２００を備える。燃料供給源２００は、燃料液滴のストリームを軌道１４０に沿ってプラズマ形成位置２１２に向けて誘導するように構成されたノズル１２８を有する。
【０１１２】
[00134]  燃料供給源２００、したがってノズル１２８は、放射源ＳＯの残りの（すなわちその他の）部分に対して（特に放射コレクタＣＯに対して）少なくとも１つのアクチュエータ（図示せず）によって移動可能である。少なくとも１つのアクチュエータは燃料供給源２００、及びノズル１２８に機械的に連結されている。燃料液滴の軌道１４０はｘ軸と平行である。参照しやすいように、ｘ軸は図３に表示されている。ｘ軸は、概して図の底部から図の上部への方向に延びている。ｘ軸に垂直なｚ軸は、概してパージの左からページの右への方向に延びている。ｘ軸とｚ軸の両方に垂直なｙ軸は、概してページ外に延びている。
【０１１３】
[00135]  本実施形態の燃料供給源２００及びノズル１２８は、ｙ−ｚ面内のアクチュエータ（図示せず）によって移動可能である。すなわち、燃料供給源２００及びノズル１２８は、ｘ軸と平行には移動不能である。しかしながら、本発明の別の実施形態では、燃料供給源及びノズルはｘ軸と平行な方向に移動可能であってもよいことを理解されたい。さらに、本発明の別の実施形態では、燃料供給源２００及びノズル１２８はｘ軸に対して傾斜していてもよい。
【０１１４】
[00136]  使用時に、放射源ＳＯは、ノズル１２８から分配され、プラズマ形成位置２１２にある燃料液滴（図示せず）に第１の分量の放射が入射するように第１の分量の放射を受ける（この場合、レーザＬＡからウィンドウ３００を経て放射ビーム２０５を受ける）。プラズマ形成位置２１２で第１の分量の放射は、第１の分量の放射がエネルギーを燃料液滴に伝達して、第２の分量の放射１３２を放出する放射生成プラズマ２１０を生成するように燃料液滴（図示せず）に入射する。
【０１１５】
[00137]  この場合は、第２の分量の放射１３２はＥＵＶ放射であるが、別の実施形態では、第２の分量の放射は任意の適切なタイプの放射でもよい。第２の分量の放射は合焦され、放射源コレクタによって放射源ＳＯから外れてリソグラフィ装置のイルミネータの方向に誘導される。放射源コレクタＣＯを放射コレクタと呼んでもよい。
【０１１６】
[00138]  放射生成プラズマ２１０になった燃料液滴は図３には図示されていないことを理解されたい。その理由は、図３は、第１の分量の放射がエネルギーを燃料液滴に伝達することで燃料液滴が放射生成プラズマ２１０になった後の時点での放射源ＳＯを示しているためである。また、燃料液滴が放射生成プラズマになる前は、燃料液滴は実質的にプラズマ形成位置２１２にあったことも理解されたい。すなわち、第１の分量の放射が燃料液滴に入射して、第１の分量の放射がエネルギーを燃料液滴に伝達するときには、燃料液滴は実質的にプラズマ形成位置２１２にある。
【０１１７】
[00139]  本発明のこの実施形態では、二次放射源（この場合、レーザＬＡ）は放射源ＳＯの一部であるが、本発明の別の実施形態では、必ずしもそうである必要はないことを理解されたい。例えば、二次放射源は放射源とは別個のものでもよい。
【０１１８】
[00140]  放射源ＳＯはさらに、二次放射源（この場合、レーザＬＡ）に接続されたタイミングコントローラ１４２を有してもよい。タイミングコントローラ１４２は、二次放射源が第１の分量の放射（この場合、放射ビーム２０５）を生成するタイミングを制御するように構成されている。
【０１１９】
[00141]  タイミングコントローラ１４２は、燃料液滴が合焦位置１１６に位置するタイミングと実質的に同じタイミングで第１の分量の放射が合焦位置１１６に達するようなタイミングで、二次放射源が第１の分量の放射を生成するように二次放射源を制御する。それ故、第１の分量の放射は燃料液滴に入射し、エネルギーが第１の分量の放射から燃料液滴に伝達されることで、燃料液滴は放射生成プラズマ２１０になる。それ故、燃料液滴が放射生成プラズマ２１０になる位置がプラズマ形成位置である。
【０１２０】
[00142]  放射源ＳＯは、第１のセンサ配置１２２、第２のセンサ配置１３４、及びビーム分割装置１２４を備える。
【０１２１】
[00143]  第１のセンサ配置１２２は、第１の分量の放射２０５の合焦位置を示す第３の分量の放射の特性を測定するように構成される。第２のセンサ配置１３４は、第４の分量の放射の特性を測定するように構成される。第２のセンサ配置によって測定された第４の分量の放射の特性が燃料液滴の位置を示してもよい。例えば、第２のセンサ配置によって測定された第４の分量の放射の特性が、アライメント検出器の少なくとも一部に対する、例えばビームスプリッタに対する、及び／又は第２のセンサ配置に対する位置を示してもよい。アライメント検出器（の少なくとも一部）に対する燃料液滴の位置が、第１の分量の放射ビーム、又は放射コレクタＣＯの光軸などの放射源の別の特徴に対する燃料液滴の位置を示してもよい。第３の分量の放射、及び第４の分量の放射の性質は以下により詳細に記載する。
【０１２２】
[00144]  アライメント検出器のビーム分割装置１２４は、第１の分量の放射２０５の少なくとも一部がビーム分割装置１２４の少なくとも一部に入射するような位置にある。ビーム分割装置１２４は、ビーム分割装置に入射する第１の分量の放射２０５が実質的に視準されるような位置にある。ビーム分割装置１２４は、ビーム分割装置１２４によって誘導された第１の分量の放射の少なくとも一部が第１のセンサ配置１２２に入射するように、（ビーム分割装置１２４に入射する）第１の分量の放射の少なくとも一部を誘導するように構成される。この場合、第１の分量の放射の少なくとも一部が第１のセンサ配置に入射するようにビーム分割装置１２４によって誘導される（ビーム分割装置１２４に入射する）第１の分量の放射の少なくとも一部は、上記第３の分量の放射である。
【０１２３】
[00145]  図３に示した場合では、ビーム分割装置１２４はダイアモンド窓などのビームスプリッタ１２６である。第１の分量の放射２０５の一部はビームスプリッタ１２６によって第１のセンサ配置１２２の方向に反射される。第１の分量の放射２０５の一部が第１のセンサ配置１２２に入射するように、ビームスプリッタ１２６によって反射される第１の分量の放射２０５の一部は２０５ａで示されている。上述のように、この場合、第１の分量の放射２０５の一部２０５ａが第１のセンサ配置１２２に入射するように、ビームスプリッタ１２６によって誘導される（こと場合は反射される）第１の分量の放射２０５の一部２０５ａを第３の分量の放射２０５ａと呼んでもよい。
【０１２４】
[00146]  ビームスプリッタ１２６によって第１のセンサ配置１２２の方向に反射される第１の分量の放射２０５の一部が実質的に視準されるため、第３の分量の放射２０５ａも実質的に視準される。第３の分量の放射２０５ａは、それが第１のセンサ配置１２２に入射する前に第１の変換光学素子１２３（この場合、収束レンズ）を通過する。第１の変換光学素子１２３は、視準された第３の分量の放射２０５ａが、第１のセンサ配置１２２に入射するビームスポットに合焦されるようにこれを収束させる。第１の変換光学素子１２３は、視準された第３の分量の放射１２３のビーム内の空間周波数分布（例えばビームが伝搬する方向）を強度分布（例えば合焦されたビームスポットが第１のセンサ配置１２２に入射する位置）に変換する。
【０１２５】
[00147]  ビームスプリッタ１２６に入射する第１の分量の放射２０５の一部はビームスプリッタ１２６を通過し、次にそれがプラズマ形成位置２１２で燃料液滴に入射するように第１の分量の放射２０５の合焦位置１１６へと通過する。ビームスプリッタ１２６を通って第１の分量の放射２０５の合焦位置１１６へと通過する第１の分量の放射２０５の一部を順方向ビームと呼んでもよく、矢印１３６で示されている。
【０１２６】
[00148]  放射源ＳＯは、第４の分量の放射の少なくとも一部がビーム分割装置１２４の少なくとも一部に入射するように構成される。例えば、ビーム分割装置１２４は、第４の分量の放射の少なくとも一部がビーム分割装置１２４の少なくとも一部に入射するような位置にあってもよい。ビーム分割装置１２４は、第４の分量の放射の少なくとも一部が第２のセンサ配置１３４に入射するようにビーム分割装置１２４によって誘導されるように、（ビーム分割装置に入射する）第４の分量の放射の少なくとも一部を誘導するように構成される。
【０１２７】
[00149]  上述のように、第１の分量の放射２０５の一部は、ビーム分割装置１２４を通過した（順方向ビーム１３６と呼んでもよい）第１の分量の放射の一部がプラズマ形成位置２１２で燃料液滴に入射するように、ビーム分割装置１２４を通過する。プラズマ形成位置２１２で燃料液滴に入射する第１の分量の放射の一部は、第２の分量の放射を放出する放射生成プラズマ２１０を生成するように（例えば吸収によって）エネルギーを伝達するが、プラズマ形成位置２１２で燃料液滴に入射する第１の分量の放射のある部分は燃料液滴及び／又は放射生成プラズマ２１０によって反射される。燃料液滴及び／又は放射生成プラズマによって反射される第１の分量の放射の一部は、第４の分量の放射であり、これを戻りビームと呼んでもよい。図３では、戻りビームは矢印１３８で示されている。幾つかの実施形態では第１の分量の放射の合焦位置と燃料液滴との相対的アライメントが、第４の分量の放射が伝搬する方向の実質的に影響を及ぼさないように、燃料液滴が実質的にポイント放射源のように作用するものと見なしてよい。むしろ、第４の分量の放射が伝搬する方向に影響を及ぼすのは、燃料液滴に入射する第１の分量の放射の伝搬方向である。幾つかの実施形態では、燃料液滴が実質的にポイント放射源のように作用するものと見なすことはできない。このような実施形態では、第１の分量の放射の合焦位置と燃料液滴との相対的アライメントは、第４の分量の放射が伝搬する方向に影響を及ぼすことがある。
【０１２８】
[00150]  第４の分量の放射（戻りビーム１３８）の少なくとも１つの特性は、アライメント検出器の少なくとも一部に対する燃料液滴の位置によって影響される。アライメント検出器の少なくとも一部に対する燃料液滴の位置によって影響されることがある第４の分量の放射の特性には、第４の分量の放射の伝搬方向、第４の分量の放射の全強度、及び第４の分量の放射の強度分布が含まれる。
【０１２９】
[00151]  図３に示す場合では、第４の分量の放射（戻りビーム１３８）は、ビームスプリッタ１２６が第４の分量の放射（戻りビーム１３８）の少なくとも一部を（この場合、反射により）誘導して、ビームスプリッタ１２６によって誘導される第４の分量の放射（この場合、戻りビーム１３８）の少なくとも一部が第２のセンサ配置１３４に入射するようにビームスプリッタ１２６に入射する。第２のセンサ配置１３４に入射するように、ビームスプリッタ１２６によって第２のセンサ配置１３４へと反射される第４の分量の放射（戻りビーム１３８）の一部は、矢印１３８ａで示されている。
【０１３０】
[00152]  ビームスプリッタ１２６によって第２のセンサ配置１３４の方向に反射される第４の分量の放射の一部１３８ａも実質的に視準される。第４の分量の放射の一部１３８ａは、それｇ第２のセンサ配置１３４に入射する前に第２の変換光学素子１２５（この場合、収束レンズ）を通過する。第２の変換光学素子１２５は、第４の分量の放射の視準された部分１３８ａを、それが第２のセンサ配置１３４に入射するビームスポットに合焦されるように収束させる。第２の変換光学素子１２５は、第４の分量の放射の一部１３８ａの視準されたビーム内の空間周波数分布（例えばビームが伝搬する方向）を、強度分布（例えば合焦されたビームスポットが第２のセンサ配置１３４に入射する位置）へと変換する。
【０１３１】
[00153]  図３に示すビーム分割装置１２４はビームスプリッタ１２６であるが、第１の分量の放射が第１のセンサ配置に入射するようにビーム分割装置がそれを誘導でき、且つ第４の分量の放射の一部が第２のセンサ配置１３４に入射するようにそれを誘導できるならば、任意の適切なビーム分割装置を使用してもよいことを理解されたい。
【０１３２】
[00154]  図３に示す本発明の実施形態では、放射源ＳＯは、ビーム分割位置２３０で、ビーム分割装置１２４（この場合、ビームスプリッタ１２６）が、第１の分量の放射の一部２０５ａが第１のセンサ配置１２２に入射するように第１の分量の放射の一部２０５ａの伝搬方向を変更し、且つ第４の分量の放射の一部１３８ａが第２のセンサ配置１３４に入射するように第４の分量の放射の一部１３８ａの伝搬方向を変更する両方の作用を及ぼすように構成される（特にビーム分割装置１２４がそのような位置にある）。
【０１３３】
[00155]  第１の分量の放射の一部２０５ａと、第４の分量の放射の一部１３８ａとが共通のビーム分割位置で第１のセンサ配置１２２及び第２のセンサ配置１３４の方向にそれぞれ誘導されるようにビーム分割装置（この場合、ビームスプリッタ１２６）を配置することで、第３及び第４の分量の放射のある特定の特性の測定エラーを最小限にするか、又はなくすることができる。例えば、このように共通のビーム分割位置を用いることで、（第２のセンサ配置１３４によって測定された）第４の分量の放射１３８ａの特性に対する（第１のセンサ配置１２２によって測定された）第３の分量の放射２０５ａの特性の測定エラーを最小限にするか、又はなくしてもよい。すなわち、このように共通のビーム分割位置を用いることによって、（第１のセンサ配置１２２によって測定された）第３の分量の放射２０５ａの特性の測定エラーを、（第２のセンサ配置１３４によって測定された）第４の分量の放射１３８ａの特性の測定エラーと実質的に等しくすることができる。このように、第３の分量の放射２０５ａの特性の測定値が第４の分量の放射の特性の測定値と比較されると、第３の分量の放射２０５ａの特性の測定エラーは、第４の分量の放射１３８ａの特性の測定エラーによって相殺される。第２のセンサ配置１３４によって測定された第４の分量の放射の特性に対する第１のセンサ配置１２２によって測定された第３の分量の放射の特性のこのような潜在的エラーは、第１の分量の放射、又は第４の分量の放射のいずれかに対するビーム分割装置１２４のミスアライメントに起因し、及び／又はビーム分割装置１２４に対する第１のセンサ配置１２２及び／又は第２のセンサ配置１３４のミスアライメントに起因することがある。その他の潜在的なエラーは、アライメント検出器と二次放射源との相対運動に、又はビーム分割装置と第１及び／又は第２のセンサ配置との相対運動に起因することがある。
【０１３４】
[00156]  第１のセンサ配置及び第２のセンサ配置は光電センサアレイを備えてもよい。光電センサアレイは複数の光電センサを有し、それらの各々はそれらに放射が入射すると電荷を生成し、及び／又は電子特性の変化を受ける。光電センサアレイの例には、電荷結合デバイス（ＣＣＤ）、又は位置検出デバイス（ＰＳＤ）が含まれる。第１のセンサ配置及び第２のセンサ配置はそれぞれ、第１のセンサ配置に入射する第３の分量の放射の特性と、第２のセンサ配置に入射する第４の分量の放射の特性のうち少なくとも１つを示すことができる第１のセンサ信号と第２のセンサ信号をそれぞれ出力することができる。第１及び第２のセンサ配置によってそれぞれ測定される第３及び第４の分量の放射の少なくとも１つの特性には、以下のうち少なくとも１つ、すなわち、それぞれのセンサ配置に入射する放射の一部の位置（例えば、第３又は第４の分量の放射が放射ビームである場合は、第１又は第２のセンサ配置はそれぞれの放射ビームの中心位置を示す信号を出力してもよい）、第３又は第４の分量の放射の全強度、及び第３又は第４の分量の放射の強度分布が含まれてもよい。
【０１３５】
[00157]  上述のように、第１のセンサ配置と第２のセンサ配置のいずれかに入射する第３の分量の放射と第４の分量の放射はそれぞれ第１の変換光学素子（この場合、収束レンズ）、又は第２の変換光学素子（この場合も収束レンズ）をそれぞれ通過する。第１及び第２のセンサ配置は、第３及び第４の分量の放射が、第１及び第２のセンサ配置に入射するビームスポットへとそれぞれ合焦されるように、第１及び第２の変換光学素子に対してそれぞれ位置している。変換光学素子は、第３及び第４の分量の放射の実質的に視準されたビーム内に空間周波数分布（例えばビームが伝搬する方向）を強度分布（例えば合焦されたビームスポットが関連するセンサ配置に入射する位置）へと変換する。それ故、第１及び第２のセンサ配置は、第３及び第４の分量の放射の合焦されたビームスポットの位置をそれぞれ測定する。第３及び第４の分量の放射の合焦されたビームスポットの位置を測定することによって、第１及び第２のセンサ配置はまた、第３及び第４の分量の放射の空間周波数分布（例えばビームが伝搬する方向）も測定する。
【０１３６】
[00158]  放射源ＳＯはさらに、放射源コントローラと呼んでもよいコントローラ（図示せず）を有してもよい。第１のセンサ配置によって出力された第１のセンサ信号と、第２のセンサ配置によって出力された第２のセンサ信号とがコントローラに送られてもよい。コントローラは第１のセンサ信号を用いて第１の分量の放射の合焦位置を判定してもよい。コントローラはまた、第１及び第２のセンサ信号を用いて第３の分量の放射の少なくとも１つの特性を第４の分量の放射の少なくとも１つの特性と比較してもよい。第３の分量の放射の少なくとも１つの特性を第４の分量の放射の少なくとも１つの同じ特性と比較することによって、燃料液滴と第１の分量の放射との相対的アライメントを判定、又は推測することができる。燃料液滴と第１の分量の放射との相対的アライメントを判定、又は推測するため、先ず放射源を較正する必要があることがある。放射源の較正については以下により詳細に記載する。第１のセンサ配置が第１のセンサ信号をコントローラに提供し、第２のセンサ配置が第２のセンサ信号をコントローラに提供する場合は、コントローラは、第１及び第２のセンサ信号に基づいて燃料液滴と第１の分量の放射の合焦位置との相対的アライメントを制御するように構成されてもよい。
【０１３７】
[00159]  コントローラは、第１及び第２のセンサ信号に基づいて、以下のうち少なくとも１つ、すなわち放射源の残りの部分に対するノズルの位置、したがって燃料液滴のストリームの軌道、第１の分量の放射の伝搬方向、及び第１の分量の放射が燃料液滴に入射するタイミングを制御することによって燃料液滴と第１の分量の放射の合焦との相対的アライメントを制御するように構成されてもよい。
【０１３８】
[00160]  第１の分量の放射の伝搬方向を、したがって第１の分量の放射の合焦位置を制御するため、コントローラは第１の制御信号をリフレクタアクチュエータ１１８、１２０に供給し、それによって第１の分量の放射２０５の経路に対する誘導リフレクタ１１４の向き及び／又は位置を制御してもよい。放射源の残りの部分に対するノズルの位置、したがって燃料液滴のストリームの軌道１４０に対するノズルの位置を制御するため、コントローラは、燃料供給源２００及びノズル１２８に機械的に連結されたアクチュエータに第２の制御信号を提供してもよい。第１の分量の放射が燃料液滴に入射するタイミングを制御するため、コントローラはタイミングコントローラ１４２に制御信号を提供してもよい。
【０１３９】
[00161]  上述のように、図３の本発明の実施形態に示すリフレクタ素子１１０は固定されている。本発明の別の実施形態では、リフレクタ１１０は可動式でもよく、放射誘導デバイスの一部を形成してもよい。このような実施形態では、リフレクタ素子１１０は、ビーム分割装置１２４及び可動リフレクタ素子１１４の上流（二次放射源ＬＡによって生成される第１の分量の放射２０５の伝搬方向に対する）に位置してもよい。さらに、ビーム分割装置１２４は、可動リフレクタ素子１１４とリフレクタ素子１１０との間の第１の分量の放射２０５の経路内に位置してもよい。
【０１４０】
[00162]  リフレクタ素子１１０は少なくとも１つのリフレクタアクチュエータ（図示せず）に機械的に連結されてもよい。少なくとも１つのリフレクタアクチュエータの運動により、放射ビーム２０５に対するリフレクタ素子１１０の向き及び／又は位置が変化する。このように、放射ビーム２０５に対するリフレクタ素子１１０の向き及び／又は位置を調整して放射ビーム２０５の合焦位置１１６を変更するために、少なくとも１つのリフレクタアクチュエータを作動させることができる。別の実施形態では、少なくとも１つのリフレクタアクチュエータは、放射ビームの合焦位置を変えるリフレクタ素子の任意の適切な特性を変更してもよい。例えば、少なくとも１つのリフレクタアクチュエータはリフレクタ素子の形状を変えてもよい。本実施形態の放射誘導デバイスはリフレクタ素子１１０を備えているが、別の実施形態では、放射誘導デバイスは、放射ビームの合焦位置を変更可能な任意の適切な誘導素子を備えてもよい。例えば、放射誘導デバイスは、各々ンレンズ素子の特性を調整可能な複数のレンズ素子を備えてもよい。
【０１４１】
[00163]  上述のように、放射源ＳＯはまた、放射源コントローラ（図示せず）を備えてもよい。コントローラは第１のセンサ信号を用いて第１の分量の放射の合焦位置を判定してもよい。コントローラはまた、第１及び第２のセンサ信号を用いて、第３の分量の放射の少なくとも１つの特性を第４の分量の放射の少なくとも１つの同じ特性と比較してもよい。第３の分量の放射の少なくとも１つの特性を第４の分量の放射の少なくとも１つの同じ特性と比較することによって、燃料液滴と第１の分量の放射との相対的アライメントを判定又は推測することが可能である。
【０１４２】
[00164]  放射源コントローラは第１及び第２のセンサ信号に基づいて、以下のうち少なくとも１つ、すなわち、放射源の残りの部分、したがって燃料液滴のストリームに対するノズル位置、第１の分量の放射の伝搬方向、したがって第１の分量の放射の合焦位置、及び第１の分量の放射が燃料液滴に入射するタイミングを制御することによって、燃料液滴と第１の分量の放射との相対的アライメントを制御するように構成されてもよい。
【０１４３】
[00165]  第１の分量の放射の伝搬方向、したがって第１の分量の放射の合焦位置を制御するため、コントローラは第１の制御信号をリフレクタアクチュエータ１１８、１２０に提供し、第２の制御信号を、リフレクタ素子に機械的に連結された少なくとも１つのリフレクタ素子アクチュエータ（図示せず）に提供してもよい。リフレクタアクチュエータ１１８、１２０に提供される第１の制御信号は、第１の分量の放射２０５の経路に対する誘導リフレクタ１１４の向き及び／又は位置を制御してもよい。リフレクタ素子に機械的に連結された少なくとも１つのリフレクタ素子アクチュエータ（図示せず）に提供される第２の制御信号は、第１の分量の放射２０５の経路に対するリフレクタ素子１１０の向き及び／又は位置を制御してもよい。
【０１４４】
[00166]  幾つかの実施形態では、コントローラ、リフレクタアクチュエータ１１８、１２０、及び少なくとも１つのリフレクタ素子アクチュエータは、第１の分量の放射２０５の経路に対するリフレクタ素子１１０の向き及び／又は位置を制御するための制御帯域幅が、第１の分量の放射２０５の経路に対する誘導リフレクタ１１４の向き及び／又は位置を制御するための制御帯域幅よりも大きくなるように構成されてもよい。すなわち、幾つかの実施形態では、第１の分量の放射２０５の経路に対する誘導リフレクタ１１４の向き及び／又は位置を制御するためにリフレクタアクチュエータを制御できる速度は、第１の分量の放射２０５の経路に対するリフレクタ素子１１０の向き及び／又は位置を制御するためにリフレクタ素子アクチュエータを制御できる速度よりも遅くてもよい。
【０１４５】
[00167]  図４は、本発明による放射源の他の実施形態を示している。これまでの図に示したものと等価である図４に示す実施形態の特徴には同じ番号が付されている。この実施形態では、放射源は、放射誘導デバイスの一部を形成する第２の可動リフレクタ素子２５０を備える。放射誘導デバイスの第２の可動リフレクタ素子２５０は、（第１の分量の放射とも呼ばれる）放射ビーム２０５の経路内に位置している。放射誘導デバイスはまた、リフレクタ２５０に機械的に連結された少なくとも１つのリフレクタアクチュエータ２５５を備える。この場合、放射誘導デバイスは、第２の可動リフレクタ素子２５０に機械的に連結された２つのリフレクタアクチュエータ２５５を備える。少なくとも１つのリフレクタアクチュエータの運動によって、放射ビーム２０５に対する第２の可動リフレクタ素子２５０の向き及び／又は位置が変化する。このように、放射ビーム２０５に対する第２の可動リフレクタ素子２５０の向き及び／又は位置を調整して放射ビーム２０５の合焦位置１１６を変更するために、リフレクタアクチュエータ２５５を作動可能である。
【０１４６】
[00168]  本実施形態では２つのリフレクタアクチュエータ２５５が示されているが、別の実施形態では、第２の可動リフレクタ素子２５０に機械的に連結された少なくとも１つのリフレクタアクチュエータがあれば任意の適切な数のリフレクタアクチュエータを備えてもよいことを理解されたい。さらに、本実施形態ではリフレクタアクチュエータ２５５が放射ビーム２０５に対する第２の可動リフレクタ素子２５０の向き及び／又は位置を変化させることを理解されたい。しかしながら、別の実施形態では、アクチュエータは、放射ビームの合焦位置を変更する第２の可動リフレクタ素子の任意の適切な特性を変更してもよい。例えば、アクチュエータはリフレクタの形状を変えてもよい。本実施形態の放射誘導デバイスは第２の可動リフレクタ素子２５０を備えているが、別の実施形態では、放射誘導デバイスは、放射ビームの合焦位置を変更可能な任意の適切な誘導素子を備えてもよい。例えば、放射誘導デバイスは、各々のレンズを調整可能な複数のレンズ素子を備えてもよい。
【０１４７】
[00169]  放射源は、第１のセンサ配置１２２、第２のセンサ配置１３４、及びビーム分割装置１２４を備えるアライメント検出器を有している。アライメント検出器、特に第１のセンサ配置１２２、第２のセンサ配置１３４、及びビーム分割装置１２４は全て図３を参照して上述したように機能する。図３に示す実施形態の場合のように、図４の実施形態も第１及び第２の変換光学素子１２３、１２５を含んでいる。
【０１４８】
[00170]  図４に示す実施形態では、第２の可動リフレクタ素子２５０と、（第１のセンサ配置１２２、第２のセンサ配置１３４、及びビーム分割装置１２４を含む）アライメント検出器は両方とも、プラズマ形成位置２１２が位置する第１のチャンバ４１０の外側に位置している。第１の分量の放射２０５。第１のチャンバ４１０は真空を含んでもよく、又は大気とは異なるガス／ガス混合物を含んでもよい。第２の可動リフレクタ素子２５０及びアライメント検出器が第１のチャンバ４１０の外部に位置しているため、これらは第１のチャンバ４１０内の環境とは異なる環境に位置してもよい。例えば、第２の可動リフレクタ素子２５０とアライメント検出器とは周囲（すなわち室内）大気内に位置してもよい。
【０１４９】
[00171]  アライメント検出器のビームスプリッタ１２４は、放射ビーム２０５の伝搬方向に対して第２の可動リフレクタ素子２５０の下流に位置している。
【０１５０】
[00172]  図３又は図４に示す実施形態では、放射源ＳＯはさらに放射源コントローラ（図示せず）を有してもよい。コントローラは、（第１のセンサ配置１２２によって生成される）第１のセンサ信号を用いて第１の分量の放射の合焦位置を判定してもよい。コントローラはさらに、（第１のセンサ配置１２２及び第２のセンサ配置１３４のそれぞれによって生成される）第１及び第２のセンサ信号を用いて、第３の分量の放射の少なくとも１つの特性を第４の分量の放射の少なくとも１つの特性と比較してもよい。第３の分量の放射の少なくとも１つの特性を第４の分量の放射の少なくとも１つの同じ特性と比較することによって、燃料液滴と第１の分量の放射との相対的アライメントを判定又は推測することができる。
【０１５１】
[00173]  放射源コントローラは、第１及び第２のセンサ信号に基づいて、以下のうち少なくとも１つ、すなわち、放射源の残りの部分、したがって燃料液滴のストリームに対するノズル位置、第１の分量の放射の伝搬方向、したがって第１の分量の放射の合焦位置、及び第１の分量の放射が燃料液滴に入射するタイミングを制御することによって、燃料液滴と第１の分量の放射との相対的アライメントを制御するように構成されてもよい。
【０１５２】
[00174]  第１の分量の放射の伝搬方向、したがって第１の分量の放射の合焦位置を制御するため、コントローラは第１の制御信号をリフレクタアクチュエータ１１８、１２０に提供し、第２の制御信号をリフレクタアクチュエータ２５５に提供してもよい。リフレクタアクチュエータ１１８、１２０に提供される第１の制御信号は、第１の分量の放射２０５の経路に対する誘導リフレクタアクチュエータ１１４の向き及び／又は位置を制御してもよい。リフレクタアクチュエータ２５５に提供される第２の制御信号は、第１の分量の放射２０５の経路に対する第２の可動リフレクタ素子２５０の向き及び／又は位置を制御してもよい。
【０１５３】
[00175]  幾つかの実施形態では、コントローラ、リフレクタアクチュエータ１１８、１２０、及びリフレクタアクチュエータ２５５は、第１の分量の放射２０５の経路に対する第２の可動リフレクタ素２５０の向き及び／又は位置を制御するための制御帯域幅が、第１の分量の放射２０５の経路に対する誘導リフレクタ１１４の向き及び／又は位置を制御するための制御帯域幅よりも大きくなるように構成されてもよい。すなわち、幾つかの実施形態では、第１の分量の放射２０５の経路に対する誘導リフレクタ１１４の向き及び／又は位置を制御するためにリフレクタアクチュエータを制御できる速度は、第１の分量の放射２０５の経路に対する第２の可動リフレクタ素子２５０の向き及び／又は位置を制御するために少なくとも１つのリフレクタ素子アクチュエータを制御できる速度よりも遅くてもよい。
【０１５４】
[00176]  幾つかの実施形態では、放射源は追加として、二次放射源ＬＡに装着されるアライメント放射源（図示せず）（例えばレーザポインタなど）を有してもよい。このアライメント放射源、及びこれに対応する、放射源によって生成される放射の伝搬方向を測定するセンサ配置を使用して二次放射源ＬＡとウィンドウ３００及び／又はリフレクタ素子１１０とのアライメントを制御してもよい。
【０１５５】
[00177]  図５は、本発明のある実施形態による代替放射源を示している。図３及び図４に示したものと等価である図５に示す放射源の特徴には同じ番号が付されている。
【０１５６】
[00178]  図５に示す実施形態では、アライメント検出器は、取付アタッチメント４０２によって二次放射源ＬＡに装着されたアライメント放射源４００（例えばレーザポインタなど）を含んでいる。本実施形態ではアライメント放射源はレーザポインタであるが、別の実施形態はアライメント放射源として任意の適切な放射源を使用してもよい。アライメント放射源４００は第３の分量の放射４０４を生成する。これは第３の分量の放射が、ビームスプリッタ１２６によって反射される第１の分量の放射の一部である図３に示す実施形態とは異なっている。アライメント放射源４００は、第３の分量の放射４０４の伝搬方向が第１の分量の放射２０５の伝搬方向と実質的に平行になるように二次放射源ＬＡに装着される。アライメント放射源４００によって生成される第３の分量の放射４０４は、第３の分量の放射４０４も固定反射素子１１０及び１１２と可動反射素子１１４とによって反射されるように、第１の分量の放射に隣接して伝搬する。図５に示す放射源のアライメント放射源の第１のセンサ配置は、第３の分量の放射４０４が第１のセンサ配置１２２に入射するように位置している。
【０１５７】
[00179]  第３の分量の放射４０４は、実質的に視準された放射を生成するアライメント放射源４００によって生成されてもよい。例えば、アライメント放射源４００はレーザでよい。この場合は、第３の分量の放射４０４は実質的に視準されている。第３の分量の放射４０４は、それが第１のセンサ配置１２２に入射する前に、例えば収束レンズなどの変換光学素子（図示せず）を通過してもよい。変換光学素子（図示せず）は、第１のセンサ配置１２２に入射するビームスポットに合焦されるように、視準された第３の分量の放射４０４を収束させる。変換光学素子は、第３の分量の放射４０４の視準されたビーム内の空間周波数分布（例えばビームが伝搬する方向）を、強度分布（例えば合焦されたビームスポットが第１のセンサ配置１２２に入射する位置）へと変換する。
【０１５８】
[00180]  アライメント放射源４００が、第３の分量の放射４０４が二次放射源ＬＡによって生成された第１の分量の放射２０５の伝搬方向と実質的に平行な方向に伝搬するように装着されることによって、及び第３の分量の放射が第１の分量の放射２０５と同じリフレクタ素子１１０、１１２、及び１１４によって反射されるため、第１のセンサ配置１２２を使用して第３の分量の放射４０４の位置を測定することによって、第１の分量の放射の伝搬方向、及び／又は第１の分量の放射２０５に向き及び／又は合焦位置１１６を判定又は推定することができる。
【０１５９】
[00181]  図５に示すアライメント放射源は、アライメント放射源が二次放射源に装着され、及び第３の分量の放射が第１の分量の放射と実質的に平行な方向で第１のセンサ配置へと進行するように配置されている。本発明の別の実施形態では、第１のセンサ配置が第２の放射源に装着され、アライメント放射源が放射誘導デバイスの下流位置（第１の分量の放射の進行方向に対して）に装着されるようにアライメント放射源が配置されてもよいことを理解されたい。この場合は、アライメント放射源によって生成される第３の分量の放射は、第１の分量の放射の伝搬方向と実質的に逆平行な方向に伝搬する。
【０１６０】
[00182]  図５に示す放射源の第１のセンサ配置１２２は、第３の分量の放射４０４が第１のセンサ配置１２２に入射する前に第３の分量の放射４０４がリフレクタ１１０、１１２及び１１４によって反射されるように、放射誘導デバイスの下流位置に位置しているが、本発明による別の実施形態では、第１のセンサ配置は任意の適切な位置にあってもよい。例えば、第１のセンサ配置１２２は、第３の分量の放射がリフレクタ１１０によってのみ反射されるように、リフレクタ１１０の下流であるが、リフレクタ１１２の上流に位置してもよい。第１のセンサ配置１２２をビーム分割装置１２４に隣接して配置してもよい。
【０１６１】
[00183]  本発明のこれまでの実施形態と共通して、図５に示す実施形態は、第４の分量の放射（戻りビーム１３８）の少なくとも一部がビーム分割装置１２４に入射するような位置にあるビーム分割装置１２４を含む。ビーム分割装置１２４は、第４の分量の放射の少なくとも一部４０６が第２のセンサ配置１３４に入射する用の、第４の分量の放射の少なくとも一部４０６を誘導（この場合、反射）するように構成される。
【０１６２】
[00184]  図３及び図４に示す実施形態に関連して上述したように、第１のセンサ配置１２２によって測定された第３の分量の放射４０４の少なくとも１つの特性を、第２のセンサ配置１３４によって測定された第４の分量の放射４０６の少なくとも１つの特性と比較することによって、燃料液滴と第１の分量の放射２０５の合焦位置１１６との相対的アライメントを判定又は推測することができる。この場合も、燃料液滴と第１の分量の放射２０５の合焦位置１１６との相対的アライメントを判定又は推測するためには放射源の較正が必要であることがある。
【０１６３】
[00185]  上述のように、第１のセンサ配置と第２のセンサ配置とは、コントローラが第１の分量の放射と燃料液滴との相対的アライメントを制御できるように、第１及び第２の制御信号をそれぞれコントローラに供給してもよい。
【０１６４】
[00186]  本発明の第１及び第２の実施形態によれば、図３及び図４に示す放射源は、ビーム分割装置１２４と、第１のセンサ配置１２２と、第２のセンサ配置１３４とを含むアライメント検出器を有する。本発明の他の実施形態によれば、図５に示す放射源は、アライメント放射源４００と、ビーム分割装置１２４と、第１のセンサ配置１２２と、第２のセンサ配置１３４とを含むアライメント検出器を有する。
【０１６５】
[00187]  図３、図４、及び図５に示す放射源は、プラズマ形成位置２１２がある（包囲構造２２０によって少なくとも一部が画成された）第１のチャンバ４１０を有する。第１の分量の放射２０５と、第４の分量の放射１３８とは、ウィンドウ４１２を経て第１のチャンバ４１０と第１のチャンバの外側との間を通過する。第１のチャンバ４１０は真空を含んでもよく、又は大気とは異なるガス／ガス混合物を含んでもよい。図３、図４、及び図５に示す放射源は、アライメント検出器が第１のチャンバ４１０の外部に位置するように構成されることが分かる。
【０１６６】
[00188]  幾つかの実施形態では、アライメント検出器を第１のチャンバ４１０の外部に配置できることが有利である。例えば、第１のチャンバ４１０が真空を含んでいる場合、アライメント検出器の少なくとも一部を第１のチャンバ４１０の内部に位置決めすることは不利である。その理由は、第１のチャンバ４１０が真空を含んでいる場合、第１のチャンバ４１０にアクセスすることが困難になることがあるためである。例えば、第１のチャンバ４１０にアクセスする前に真空を除去するように、ガスを第１のチャンバ４１０に注入する必要があることがある。このプロセスにはかなりの時間がかかり、その間はリソグラフィ装置を動作させることは不可能である。それ故、リソグラフィ装置の処理量は低下する。第１のチャンバが真空を含んでいる場合に、アライメント検出器の少なくとも一部が第１のチャンバ４１０内に位置していると、第１のチャンバ４１０内に位置するアライメント検出器の少なくとも一部の交換又はメインテナンスが必要となり、そうなるとこのような交換又はメインテナンスを行うために第１のチャンバにアクセスする必要があり、その結果、上述のように、リソグラフィ装置の処理量が低下する。
【０１６７】
[00189]  また、アライメント検出器を第１のチャンバ４１０の外部に配置できることは、第１のチャンバ４１０内の環境条件がアライメント検出器の動作性能にとって悪影響があり得るため有利である。例えば、第１のチャンバ４１０はプラズマ形成位置２１２を含んでいるため、放射生成プラズマが生成される際に形成される燃料液滴のデブリを含むことがある。アライメント検出器が第１のチャンバ内に位置していると、アライメント検出器は燃料液滴のデブリに曝され、したがってアライメント検出器の一部（ビーム分割配置又はセンサ配置など）は燃料液滴のデブリで汚染され、アライメント検出器の動作性能は悪影響を受ける。さらに、第１のチャンバ４１０は放射生成プラズマによって生成される高レベルの放射に曝されることがある。アライメント検出器が第１のチャンバ内にある場合は、アライメント検出器は放射生成プラズマによって生成される高レベルの放射に曝されることがある。放射生成プラズマによって生成される高レベルの放射は、アライメント検出器の一部（ビーム分割配置又はセンサ配置など）を放射生成プラズマによって生成される放射によって劣化又は損傷させ、アライメント検出器の動作性能に悪影響を及ぼすことがある。アライメント検出器を第１のチャンバ４１０の外部に配置することによって（及び、アライメント検出器を第１のチャンバ４１０内の環境条件の外側に配置することがアライメント検出器の動作性能にとって不利になることもあるため）、センサ配置及び光学コンポーネントが第１のチャンバ内の不利な環境条件に耐える必要がなくなるため、アライメント検出器の一部としてより広範囲のタイプのセンサ配置及び光学コンポーネントを使用することが可能である。
【０１６８】
[00190]  図６は、図５の実施形態の修正形態である本発明の他の実施形態を示している。図５に示したものと等価である図６に示す放射源の特徴には同じ番号が付されている。
【０１６９】
[00191]  図５に示す実施形態と同様に、図６に示す本発明の別の実施形態では、アライメント検出器は、取付アタッチメント４０２によって二次放射源ＬＡに装着されたアライメント放射源４００（例えばレーザポインタなど）を含む。本実施形態では、アライメント放射源はレーザポインタであるが、別の実施形態はアライメント放射源として任意の適切な放射源を使用してもよいことを理解されたい。上述のように、アライメント放射源４００は第３の分量の放射４０４を生成する。これは第３の分量の放射が、ビームスプリッタ１２６によって反射される第１の分量の放射の一部である図３に示す実施形態とは異なっている。アライメント放射源４００は、第３の分量の放射４０４の伝搬方向が第１の分量の放射２０５の伝搬方向と実質的に平行になるように二次放射源ＬＡに装着される。
【０１７０】
[00192]  図４に示す実施形態と同様に、図６に示す実施形態では、放射源は、放射誘導デバイスの一部を形成する第２の可動リフレクタ素子２５０を備える。放射誘導デバイスの第２の可動リフレクタ素子２５０は放射ビーム２０５の経路内に位置している。放射誘導デバイスはまた、リフレクタ２５０に機械的に連結された少なくとも１つのリフレクタアクチュエータを備える。この場合、放射誘導デバイスは、第２の可動リフレクタ素子２５０に機械的に連結された２つのリフレクタアクチュエータ２５５を備える。上述のように、少なくとも１つのリフレクタアクチュエータ２５５の運動によって、放射ビーム２０５に対する第２の可動リフレクタ素子２５０の向き及び／又は位置が変化する。このように、放射ビーム２０５に対する第２の可動リフレクタ素子２５０の向き及び／又は位置を調整して放射ビーム２０５の合焦位置１１６を変更するために、リフレクタアクチュエータ２５５を作動させることができる。
【０１７１】
[00193]  本実施形態では２つのリフレクタアクチュエータ２５５が示されているが、別の実施形態では、第２の可動リフレクタ素子２５０に機械的に連結された少なくとも１つのリフレクタアクチュエータがあれば任意の適切な数のリフレクタアクチュエータを備えてもよいことを理解されたい。さらに、本実施形態ではリフレクタアクチュエータ２５５が放射ビーム２０５に対する第２の可動リフレクタ素子２５０の向き及び／又は位置を変化させることを理解されたい。しかしながら、別の実施形態では、アクチュエータは、放射ビームの合焦位置を変更する第２の可動リフレクタ素子の任意の適切な特性を変更してもよい。例えば、アクチュエータはリフレクタの形状を変えてもよい。本実施形態の放射誘導デバイスは第２の可動リフレクタ素子２５０を備えているが、別の実施形態では、放射誘導デバイスは、放射ビームの合焦位置を変更可能な任意の適切な誘導素子を備えてもよい。例えば、放射誘導デバイスは、各々のレンズを調整可能な複数のレンズ素子を備えてもよい。
【０１７２】
[00194]  放射源は、第１のセンサ配置１２２、第２のセンサ配置１３４、及びビーム分割装置１２４を備えるアライメント検出器を有している。アライメント検出器、特に第１のセンサ配置１２２、第２のセンサ配置１３４、及びビーム分割装置１２４は全て図５を参照して上述したように機能する。図５に示す実施形態の場合のように、図６の実施形態も変換光学素子１２５を含んでいる。
【０１７３】
[00195]  アライメント放射源４００によって生成される第３の分量の放射４０４は、第３の分量の放射４０４も第２の可動リフレクタ素子２５０によって反射されるように、第１の分量の放射に隣接して伝搬することが分かる。図５に示す放射源のアライメント放射源の第１のセンサ配置は、第３の分量の放射４０４が第１のセンサ配置１２２に入射するように位置している。
【０１７４】
[00196]  上述のように、第３の分量の放射４０４は、実質的に視準された放射を生成するアライメント放射源４００によって生成されてもよい。例えば、アライメント放射源４００はレーザでよい。この場合は、第３の分量の放射４０４は実質的に視準されている。第３の分量の放射４０４は、それが第１のセンサ配置１２２に入射する前に、例えば収束レンズなどの変換光学素子（図示せず）を通過してもよい。変換光学素子（図示せず）は、第１のセンサ配置１２２に入射するビームスポットに合焦されるように、視準された第３の分量の放射４０４を収束させる。変換光学素子は、第３の分量の放射４０４の視準されたビーム内の空間周波数分布（例えばビームが伝搬する方向）を、強度分布（例えば合焦されたビームスポットが第１のセンサ配置１２２に入射する位置）へと変換する。
【０１７５】
[00197]  アライメント放射源４００が、第３の分量の放射４０４が二次放射源ＬＡによって生成された第１の分量の放射２０５の伝搬方向と実質的に平行な方向に伝搬するように装着されることによって、及び第３の分量の放射が第１の分量の放射２０５と同じリフレクタ素子２５０によって反射されるため、第１のセンサ配置１２２を使用して第３の分量の放射４０４の位置を測定することによって、第１の分量の放射２０５の伝搬方向、及び／又は第１の分量の放射の向き及び／又は合焦位置１１６を判定又は推測することができる。
【０１７６】
[00198]  図６の実施形態に示すアライメント放射源は、アライメント放射源が二次放射源に装着され、且つ第３の分量の放射が第１の分量の放射と実質的に平行な方向で第１のセンサ配置へと進行するように配置される。本発明の別の実施形態では、第１のセンサ配置が第２の放射源に装着され、アライメント放射源が放射誘導デバイス（すなわち、第２の可動リフレクタ素子２５０）の下流位置（第１の分量の放射の進行方向に対して）に装着されるようにアライメント検出器が配置されてもよいことを理解されたい。この場合、アライメント放射源によって生成される第３の分量の放射は、第１の分量の放射の伝搬方向と実質的に反平行な方向に伝搬する。
【０１７７】
[00199]  図６に示す放射源の第１のセンサ配置１２２は、第２の可動リフレクタ素子２５０の下流、及びリフレクタ１１０の上流の位置にあることが示されているが、本発明による別の実施形態では、第１のセンサ配置は任意の適切な位置に位置してもよい。例えば、第３の分量の放射が第２の可動リフレクタ素子２５０とリフレクタ素子１１０の両方によって反射されるように、第１のセンサ配置１２２をリフレクタ素子１１０の下流位置に位置してもよい。又は、例えば第１のセンサ配置をウィンドウ３００に隣接して配置してもよい。
【０１７８】
[00200]  上述のように、第１のセンサ配置及び第２のセンサ配置は、コントローラが第１の分量の放射の合焦位置のロケーション、及び第１の分量の放射の合焦位置と燃料液滴との相対的アライメントを制御できるように、第１及び第２の制御信号をそれぞれコントローラに供給してもよい。第１の分量の放射の合焦位置、及び第１の分量の放射の合焦位置と燃料液滴との相対的アライメントの制御は、本発明の別の実施形態に関して上述したようにリフレクタ素子２５０、及び／又はリフレクタ１１４の位置及び／又は向きをそれぞれ制御するように、コントローラがアクチュエータ２５５及び／又はアクチュエータ１１８、１２０に制御信号を送信するステップを含む。
【０１７９】
[00201]  図６に示す実施形態では、第２の可動リフレクタ素子２５０、及びアライメント検出器（第１のセンサ配置１２２、第２のセンサ配置１３４、及びビーム分割装置１２４を含む）は、両方ともプラズマ形成位置２１２が位置する第１のチャンバ４１０の外部に位置している。第１のチャンバ４１０は真空を含んでもよく、又は大気とは異なるガス／ガス混合物を含んでもよい。第２の可動リフレクタ素子２５０及びアライメント検出器が第１のチャンバ４１０の外部に位置しているため、これらは第１のチャンバ４１０内の環境とは異なる環境にあってもよい。例えば、第２の可動リフレクタ素子２５０とアライメント検出器とは周囲（すなわち室内）大気内に位置してもよく、又はパージ環境（すなわち、実質的にパージガス（窒素など）のみを、又は大気ガスを有し／これを置換するために用いられるパージガス混合物を含む環境）に位置してもよい。
【０１８０】
[00202]  アライメント検出器のビームスプリッタ１２４は、放射ビーム２０５の伝搬方向に対して第２の可動リフレクタ素子２５０の下流に位置している。
【０１８１】
[00203]  上記の任意の実施形態では、放射源を較正するか、又は後に放射源を再較正する必要があることがある。例えば、放射源の機械的運動、又は放射源の少なくとも一部の熱運動により後に再較正する必要があることがある。一例として、放射源を制御して第１の分量の放射の焦点と燃料液滴との相対的アライメントを効果的に制御するように、第１のセンサ配置と第２のセンサ配置（及び場合によっては二次放射源のタイミングコントローラも）含むアライメント検出器を較正する必要があることがある。放射源の較正には、放射源コントローラに提供される第１及び第２のセンサ配置の出力（すなわち、第１及び第２のそれぞれのセンサ信号）が第１の分量の放射の実際の合焦位置、及びアライメント検出器に対する燃料液滴の位置がそれぞれどのような関係にあるかに関する情報を放射源コントローラに提供するステップが含まれてもよい。
【０１８２】
[00204]  例えば、放射源の較正中、第１の分量の放射２０５に合焦位置１１６は、所望の位置にあるように調整されてもよい。次に、第１の分量の放射の合焦位置が所望の位置にある間の第１のセンサ配置の出力（すなわち、第１のセンサ信号）がコントローラによって記憶されてもよい。第１の分量の放射の合焦位置は、誘導リフレクタ１１４及び／又はリフレクタ２５０の向き、位置又は形状を変化させ、それにより放射経路を変更するように、放射誘導デバイスのリフレクタアクチュエータ１１８、１２０及び／又はアクチュエータ２５５を作動させることによって調整されてもよい。さらに、アライメント検出器に対する所望の燃料液滴位置、及び／又は第１の分量の放射の合焦位置と燃料液滴との所望の相対的アライメントを達成するように、二次放射源ＬＡのタイミング、及び／又は放射源の残りの部分に対するノズル位置（したがって、燃料液滴のストリームの軌道）が調整されてもよい。アライメント検出器に対する燃料液滴位置が所望の位置であり、及び／又は第１の分量の放射の合焦位置と燃料液滴との相対的アライメントが所望のアライメントである場合は、第２のセンサ配置の出力（すなわち、第２のセンサ信号）はコントローラによって記憶されてもよい。これらの較正ステップは本発明の本実施形態に関して特定の順序で記載したが、別の実施形態では、ステップは任意の適切な順序で、又は同時に実行されてもよいことを理解されたい。
【０１８３】
[00205]  本発明の幾つかの実施形態では、放射源の較正中、第１の分量の放射２０５の合焦位置１１６が所望位置になるように調整してもよい。誘導リフレクタ１１４及び／又はリフレクタ２５０の向き、位置又は形状を変え、それにより第１の分量の放射の経路を変更するようにリフレクタアクチュエータ１１８、１２０及び／又はアクチュエータ２５５を作動させることによって第１の分量の放射の合焦位置を調整してもよい。さらに、アライメント検出器に対する所望の燃料液滴位置、及び／又は第１の分量の放射の合焦位置と燃料液滴との所望の相対的アライメントを達成するように、二次放射源ＬＡのタイミング、及び／又は放射源の残りの部分に対するノズル位置（したがって、燃料液滴のストリームの軌道）が調整されてもよい。第１の分量の放射の合焦位置が所望の位置にあり、アライメント検出器に対する燃料液滴位置が所望の位置にあり、及び／又は第１の分量の放射の合焦位置と燃料液滴との相対的アライメントが所望の相対的アライメントである場合は、コントローラは第１のセンサ配置の出力と第２のセンサ配置の出力との差を記憶してもよい。
【０１８４】
[00206]  例えば、第１及び第２のセンサ配置が、入射する放射ビームの中心を示すセンサ信号を各々出力する位置感応性検出器である場合は、コントローラは第２のセンサ配置に入射する第４の分量の放射ビームの中心位置から、第１のセンサ配置に入射する第３の分量の放射ビームの中心位置をベクトル減算してもよい。次に、第１のセンサ配置によって測定された第３の分量の放射ビームの中心位置と、第２のセンサ配置によって測定された第４の分量の放射ビームの中心位置とのベクトル差がコントローラによって記憶されてもよい。
【０１８５】
[00207]  較正中、第１の分量の放射の所望の合焦位置、アライメント検出器に対する所望の燃料液滴位置、及び／又は第１の分量の放射の合焦位置と燃料液滴との所望の相対的アライメントを判定するため、コントローラは誘導リフレクタ及び／又は第２の可動リフレクタ素子の向き、位置及び／又は形状、二次放射源のタイミング及び／又は燃料液滴のストリームの軌道のうち少なくとも１つを制御してもよい。コントローラは、放射生成プラズマによって生成される第２の分量の放射が所望の特性を有するように、誘導リフレクタ及び／又は第２の可動リフレクタ素子の向き、位置及び／又は形状、二次放射源のタイミング及び／又は燃料液滴のストリームの軌道のうち少なくとも１つを制御してもよい。放射生成プラズマによって生成される第２の分量の放射のこのような所望の特性の例には、所望の全強度、特定の放射源によって達成可能な最大全強度、及び所望の強度分布が含まれる。
【０１８６】
[00208]  較正の完了後、較正中に第１及び第２のセンサ配置の別個の出力がコントローラによって記憶される実施形態では、コントローラは、記憶された第１及び／又は第２のセンサ信号と所与の時点での第１及び／又は第２のセンサ信号のそれぞれとの差が最小限になるように、第１及び第２の信号に基づいて、以下のうち少なくとも１つ、すなわち、放射源の残りの部分に対するノズル位置（したがって、燃料液滴のストリームの軌道）、第１の分量の放射の伝搬方向（したがって、第１の分量の放射の合焦位置）、及び第１の分量の放射が燃料液滴に入射するタイミングのうち少なくとも１つを制御してもよい。
【０１８７】
[00209]  あるいは、較正中に第１のセンサ配置の出力と第２のセンサ配置の出力との差がコントローラによって記憶される実施形態では、コントローラは、第１のセンサ配置の出力と第２のセンサ配置の出力との記憶された差と、所与の時点での第１のセンサ配置の出力と第２のセンサ配置の出力とのそれぞれの差との差が最小限になるように、第１及び第２の信号に基づいて、以下のうち少なくとも１つ、すなわち、放射源の残りの部分に対するノズル位置（したがって、燃料液滴のストリームの軌道）、第１の分量の放射の伝搬方向（したがって、第１の分量の放射の合焦位置）、及び第１の分量の放射が燃料液滴に入射するタイミングのうち少なくとも１つを制御してもよい。
【０１８８】
[00210]  放射源の残りの部分に対するノズル位置を制御するため、コントローラは、制御信号を燃料供給源２００、したがってノズル１２８に機械的に連結されたアクチュエータに提供してもよい。第１の分量の放射の伝搬方向を制御するため、コントローラは、制御信号を放射誘導デバイス、特に放射誘導デバイスのアクチュエータ１１８及び１２０に提供してもよい。第１の分量の放射が燃料液滴に入射するタイミングを制御するため、コントローラは制御信号をタイミングコントローラに提供してもよい。
【０１８９】
[00211]  このようにして放射源を制御することによって、較正中に第１及び第２のセンサ配置の別個の出力がコントローラによって記憶される実施形態では、コントローラは、任意の所与の時点での測定された第１のセンサ信号と第２のセンサ信号と、較正プロセス中にコントローラによって記憶されたそれぞれの第１のセンサ信号と第２のセンサ信号との差が継続的に最小限になるように動作してもよい。それ故、コントローラは、第１の分量の放射の所望の合焦位置と、任意の所与の時点での第１の分量の放射の合焦位置との差が確実に最小限になるように動作してもよい。コントローラはさらに、任意の所与の時点でのアライメントに対する燃料液滴位置と、アライメント検出器に対する所望の燃料液滴位置との差が最小限になるように動作してもよい。さらに、コントローラは、任意の所与の時点での第１の分量の放射の合焦位置と燃料液滴との相対的アライメントと、第１の分量の放射の合焦位置と燃料液滴との所望の相対的アライメントとの差が最小限になるように動作してもよい。
【０１９０】
[00212]  あるいは、このようにして放射源を制御することによって、較正中に第１のセンサ配置の出力と第２のセンサ配置の出力との差がコントローラによって記憶される実施形態では、コントローラは、第１のセンサ配置の出力と第２のセンサ配置の出力との測定された差と、較正プロセス中にコントローラによって記憶された第１のセンサ配置の出力と第２のセンサ配置の出力との差との差が継続的に最小限になるように動作してもよい。それ故、コントローラは、第１の分量の放射の所望の合焦位置と、任意の所与の時点での第１の分量の放射の合焦位置との差が確実に最小限になるように動作してもよい。コントローラはさらに、任意の所与の時点でのアライメントに対する燃料液滴位置と、アライメント検出器に対する所望の燃料液滴位置との差が最小限になるように動作してもよい。さらに、コントローラは、任意の所与の時点での第１の分量の放射の合焦位置と燃料液滴との相対的アライメントと、第１の分量の放射の合焦位置と燃料液滴との所望の相対的アライメントとの差が最小限になるように動作してもよい。
【０１９１】
[00213]  本発明による放射源は、幾つかの点で公知の放射源と異なっている。第１に、先行技術の放射源は、燃料液滴と第１の分量の放射の合焦位置との相対的アライメントに関する情報の判定を試みるために、放射生成プラズマによって放出される放射の特性（例えば強度分布）を検出する。本発明による放射源は、第１の分量の放射の合焦位置を示す第３の分量の放射の特性と、アライメント検出器に対する燃料液滴の位置を示す第４の分量の放射（第４の分量の放射は、燃料液滴によって反射される第１の分量の放射の一部である）の特性を別個に測定する。
【０１９２】
[00214]  第３の分量の放射及び第４の分量の放射は両方とも、放射生成プラズマによって放出されてもよい第２の分量の放射とは別個の放射である。したがって、燃料液滴と第１の分量の放射の合焦位置との相対的アライメントが直接的に、すなわち放射生成プラズマによって放出される第２の分量の放射の少なくとも１つの特性を測定することによって、燃料液滴と第１の分量の放射の合焦位置との相対的アライメントの判定を試みる必要なく測定されると言ってもよい。
【０１９３】
[00215]  本発明による放射源のアライメント検出器は、２つの別個の測定、すなわち、第１のセンサ配置を使用した第１の測定と、第２のセンサ配置を使用した第２の測定を行う。これによって、放射源は、（第１のセンサ配置の出力を用いることによる）第１の分量の放射の合焦位置の判定と、（第２のセンサ配置の出力を用いることによる）アライメント検出器に対する燃料液滴の位置の判定の両方を行うことができる。放射源はまた、（第１のセンサ配置と第２のセンサ配置の両方を使用することによって）燃料液滴と第１の分量の放射の合焦位置との相対的アライメントを判定することもできる。公知の放射源は、第１の分量の放射の合焦位置と、アライメント検出器に対する燃料液滴の位置（したがって、放射源の別の部分に対する燃料液滴の位置）の両方を判定することはできない。
【０１９４】
[00216]  本発明による放射源によって、第１の分量の放射の合焦位置と、アライメント検出器に対する燃料液滴の位置の両方を判定することによって、放射源が第１の分量の放射の合焦位置と燃料液滴との相対的アライメントだけでなく、放射コレクタＣＯに対するプラズマ形成位置のロケーションも制御することができる。これらの要因を別個に制御できるということは、先行技術と比較して、第１の分量の放射の合焦位置と燃料液滴との相対的アライメントを判定し、制御する精度が高まるだけではなく、放射生成プラズマ（したがって、放射源）によって出力される放射の特性（例えば強度分布）の制御も向上することを意味する。
【０１９５】
[00217]  先行技術とは異なり、第１の分量の放射の合焦位置と燃料液滴との相対的アライメントを判定／制御するために、本発明による放射源は、放射生成プラズマによって出力される放射の特性を測定しない。その代わりに、本発明による放射源は、第３の分量の放射の特性、及び戻りビームの特性を測定する。したがって、第１の分量の放射の合焦位置と燃料液滴との相対的アライメントを判定するために、本発明による放射源では放射生成プラズマによって放射が生成される必要がない。そのため、本発明による放射源を含むリソグラフィ装置ではスタートアップ及び／又はリカバリ時間を短縮し得る。しかしながら、メインビームの特性を測定するために、戻りビームを形成するために燃料液滴により放射が反射できるように、幾つかの放射が燃料液滴に供給されなければならないことを理解されたい。
【０１９６】
[00218]  また、第１の分量の放射の合焦位置と燃料液滴との相対的アライメントを判定するために、放射生成プラズマによって出力される放射源の特性は本発明による放射源によって判定されないため、相対的アライメントを測定するために使用されるセンサは放射生成プラズマによって出力される放射出力には曝されない。これにより、放射生成プラズマによって出力される放射がセンサを損傷する場合でも、センサは損傷を及ぼすこの放射に曝されない。
【０１９７】
[00219]  さらに、本発明のアライメント検出器、特に第１及び第２のセンサ配置は、放射生成プラズマの近傍ではない位置に配置される。それ故、アライメント検出器、特に第１及び第２のセンサ配置は、センサ配置を損傷又は劣化させることがある放射生成プラズマからの熱及び／又はデブリに曝されることはない。
【０１９８】
[00220]  さらに、本発明による放射源は、プレパルス及びメインパルスを利用する放射生成方法で使用するのにも適する。また、本発明による放射源によって、プレパルスとメインパルスの各々の合焦位置を別個の測定し、制御することができる。さらに、本発明による放射源によって、アライメント検出器に対する燃料液滴の位置、及びアライメント検出器に対する修正された燃料分布の位置を別個に測定し、制御することができる。さらに、本発明による放射源によって、プレパルスと燃料液滴との相対的アライメント、及び修正されたメインパルスと修正された燃料分布との相対的アライメントを別個に測定し、制御することができる。本発明の幾つかの実施形態による放射源では、プレパルスとメインパルスの各々の合焦位置が異なる位置にあるようにこれらを制御することができる。
【０１９９】
[00221]  プレパルスとメインパルスの各々が異なる位置にあるようにこれらを制御でき、及び／又はアライメント検出器に対する燃料液滴の位置、及びアライメント検出器に対する修正された燃料分布の位置を別個に制御できる本発明の実施形態では、プレパルス／燃料液滴の特性、及びメインパルス／修正された燃料分布の特性を測定するために同じアライメント検出器を使用してもよい。これを達成し得る方法の２つの例は下記の通りである。第１に、プレパルスとメインパルスを異なる時間に生成してもよい（メインパルスはプレパルスの後に生成される）。それ故、コントローラが第１の組のセンサ出力を受け、プレパルスに関連する第１の組の制御信号を提供し、次に後の時点でコントローラが第２の組のセンサ出力を受け、メインパルスに関連する第２の組の制御信号を提供するようにコントローラを構成することができる。代替的に又は追加的に、プレパルス及びメインパルスは、異なる周波数／波長を有する放射量でよい。それ故、この場合は、コントローラは、プレパルスの周波数／波長に対応する第１の周波数／波長を有する測定された放射に関する第１の組の制御信号をセンサ配置から受信し、且つメインパルスの周波数／波長に対応する第２の周波数／波長を有する測定された放射に関する第２の組の信号をセンサ配置から受信するように構成されてもよい。これにより、コントローラは、プレパルスに関する第１の組の信号をセンサ配置から受信し、メインパルスに関する第２の組の信号をセンサ配置から受信する。次にコントローラは、上述のように、プレパルス／燃料液滴のアライメント／位置決めと、メインパルス／修正された燃料分布を別個に制御することができる。
【０２００】
[00222]  プレパルス及びメインパルスは異なる周波数／波長を有する放射量でよいため、アライメント検出器は、異なる周波数／波長を有する放射を検出するのに適したそれぞれのセンサを備えてもよい。すなわち、アライメント検出器は、プレパルスの周波数／波長を有する放射を検出するのに適したセンサと、メインパルスの周波数／波長を有する放射を検出するのに適した別個のセンサとを備えてもよい。あるいは、アライメント検出器は、プレパルスの周波数／波長と、メインパルスの周波数／波長の両方を有する放射を検出できるセンサを備えてもよい。
【０２０１】
[00223]  上述のように、第２のセンサ配置１３４によって検出される（戻りビームとして知られる）第４の分量の放射の特性は、燃料液滴の位置を示す。プレパルスによって燃料液滴の燃料分布が修正される実施形態では、燃料分布は、メインパルスと修正された燃料分布との相互作用によって不十分な、又は使用不能な第４の分量の放射が生成されるような燃料分布でよい。このような実施形態では、メインパルスと修正された燃料分布との相対的アライメントは、プレパルスとメインパルスの両方について第１のセンサ配置１２２及び第２のセンサ配置によって行われる第３の分量の放射の特性の測定の比較によって判定されてもよい。別の実施形態では、燃料液滴の燃料分布の修正は、メインパルスと修正された燃料分布との相対的アライメントが、第２のセンサ配置１３４によって行われるメインパルスの第４の分量の放射（すなわち、戻りビーム）の測定によって判定されてもよいように、不十分な、又は使用不能な第４の分量の放射が生成されるような燃料分布ではない。
【０２０２】
[00224]  上述のように、本発明による放射源は、リフレクタアクチュエータを制御することによって合焦位置を制御する能力を有する。同様に、燃料液滴の軌道を変化させることによって燃料液滴位置を制御することができる。これは、燃料供給源、したがってノズルに機械的に連結されたアクチュエータを制御することによって達成される。最後に、タイミングコントローラは、第１の分量の放射（放射ビーム）が合焦位置に達するタイミングを判定するように制御できる。合焦位置、燃料液滴の位置、及び第１の分量の放射（放射ビーム）が合焦位置に達するタイミングを制御することによって、合焦位置と燃料液滴との相対的アライメントを制御することが可能である。
【０２０３】
[00225]  上記実施形態では、ビーム分割装置は、実質的に視準された第１の分量の放射ビームの一部内に位置している。第１又は第２のセンサ配置のいずれかに入射するようにビーム分割装置によって誘導される放射は、光学的フーリエ変換を行い、したがって視準されたビーム内の空間周波数分布（例えば、ビームが伝搬する方向）を強度分布（例えば、合焦したビームスポットが関連するセンサ配置に入射する位置）へと変換する変換光学素子（この場合、収束レンズ）を通過する。任意の適切な光学素子（又は光学素子の組み合わせ）は、実質的に視準されたビームの空間周波数分布を強度分布に変換するために使用される変換光学素子を構成してもよいことを理解されたい。さらに、ビーム分割装置は、第１の分量の放射の経路内の任意の適切な位置に配置されてもよいことを理解されたい。例えば、ビーム分割装置は上記実施形態での位置の上流又は下流に位置してもよい。ビーム分割装置は、実質的に視準されない第１の分量の放射ビームの一部内（例えば、収束する第１の分量の放射ビームの一部内）に位置してもよい。この場合、変換光学素子に加えて他の光学系が必要であることがある。
【０２０４】
[00226]  本発明の幾つかの実施形態では、プラズマ形成位置に対する直接的な照準線（すなわち、リフレクタなどがない場合の照準線）を有する位置には位置しないようにビームスプリッタ装置を配置することが有利であることを理解されたい。これによって、プラズマ形成位置で生成される放射及び／又はデブリがビームスプリッタ装置に入射する可能性が低減される。ビームスプリッタ装置に入射する放射放出プラズマによって生成されるデブリ及び／又は放射は、例えばビームスプリッタ装置をデブリで汚染させる（したがって、ビーム分割装置を透過できる放射量を低減させる）ことによって、又はビームスプリッタ装置及び／又はセンサ配置を劣化させることによってアライメント検出器の動作性能を低下させることがある。
【０２０５】
[00227]  図３に示した本発明のある実施形態による放射源は、ビーム分割装置によって第１の分量の放射から分割される第３の分量の放射の特性を測定する。図５に示した本発明のある実施形態による放射源は、アライメント放射源によって生成される第３の分量の放射の特性を測定する。両方の場合とも、第３の分量の放射の測定された特性は、第１の分量の放射の合焦位置を示す。本発明による放射源の幾つかの実施形態では、アライメント検出器は、図３に示す実施形態と図５に示す実施形態の両方の特徴を組み合わせてもよい。例えば、アライメント検出器は、ビーム分割装置によって第１の分量の放射から分割された第３の分量の放射の特性の測定と、アライメント放射源によって生成された別個の又は代替の第３の分量の放射の特性の測定の両方が可能であってもよい。
【０２０６】
[00228]  第２の可動リフレクタ素子２５０（放射誘導デバイスの一部を形成する）を組み込んだ本発明の幾つかの実施形態では、リフレクタ素子１１４は固定式（すなわち、非可動式）であってもよい。
【０２０７】
[00229]  図７は、図６に示した放射源の修正部分の概略図を示す。この図は、二次放射源（この場合、レーザＬＡ）から合焦位置１１６への放射ビーム２０５の経路を示している。放射ビームの経路の概略図は、リフレクタ素子２５０、１１０、１１２及び１１４に入射する際の放射ビーム２０５の方向の変化を示していない。この場合は、反射素子１１２が放射ビーム２０５を合焦位置１１６で収束させることが分かる。この実施形態では、放射ビーム２０５の経路、したがって放射ビーム２０５の合焦位置１１６を変化させ、したがって制御することができるように、反射素子２５０及び１１４が移動可能である。上述のように、放射源の一部を形成する反射素子の数、配置、及び性質は別の実施形態では異なっていてもよい。放射ビーム２０５を所望の合焦位置１１６に集合的に誘導し、合焦させるために、任意の適切な数及び構成の反射素子（又は第１の分量の放射の方向を変えることができる別の適切な等価の光学素子）を使用してもよい。
【０２０８】
[00230]  図７はまた、アライメント放射源４００と第１のセンサ配置１２２との間を進行する際の第３の分量の放射４０４の経路も示している。上述のように、第３の分量の放射４０４の経路は放射ビーム２０５の経路と平行であることが分かる。図７に示す配置は、図７の第１のセンサ配置１２２が図７の反射素子１１０と１１２との間に（第３の分量の放射の経路に対して）位置しているのに対して、図６では、第１のセンサ配置１２２が反射素子２５０と１１０との間に（第３の分量の放射の経路に対して）位置している点で図６に示した配置とは異なっている。それ故、図７では、アライメント放射源４００によって生成される第３の分量の放射４０４は、第３の分量の放射４０４も反射素子１１０及び２５０によって反射されるように、第１の分量の放射（放射ビーム２０５）に隣接して伝搬する。別の実施形態では、第１のセンサ配置は、図６に示すように任意の適切な位置、例えば反射素子２５０と１１０との間に（第３の分量の放射に経路に対して）位置してもよいことを理解されたい。
【０２０９】
[00231]  幾つかの実施形態では、図７に示す配置には幾つかの欠点がある。
【０２１０】
[00232]  例えば、第３の分量の放射４０４が放射ビーム２０５に隣接して進行し、反射素子２５０及び１１０に入射することから、第３の分量の放射４０４を放射ビーム２０５に隣接して偏向するために反射素子２５０、１１０上に追加スペース（又は底面積）が必要であるため、反射素子２０５及び１１０は、放射ビーム２０５を自然に反射／誘導するために必要な大きさよりも大きくする必要がある。反射素子２５０、１１０のサイズを大きくすると、放射源を生成するコストが高くなり、及び／又は放射源内により多くのスペースが必要になる。放射源内のスペースをより大きくする必要があることは、スペースが制限される放射源の実施形態では不利である。
【０２１１】
[00233]  幾つかの実施形態における別の欠点は以下の通りである。第３の分量の放射と第１の分量の放射とのスペースが最小限になるように第３の分量の放射４０４を誘導することが望ましい。これは、必要な反射素子のサイズを縮小し、また第３の分量の放射４０４の進行経路が放射ビーム２０５の進行経路とできるだけ同様になることを確実にするために行われる。第３の分量の放射４０４の進行経路が放射ビーム２０５の進行経路とできるだけ同様になることを確実にすることによって、第３の分量の放射４０４を用いて放射ビーム２０５の合焦位置を判定する精度が高まることがある。また、放射ビーム２０５が第１のセンサ配置１２２に入射しないようにし、それによって第１のセンサ配置１２２により第３の分量の放射４０４の特性の測定が干渉されないように、第１のセンサ配置１２２を放射ビーム２０５から遠ざけることも望ましい。第３の分量の放射と第１の分量の放射とのスペースが最小限になるように第３の分量の放射４０４を誘導することが望ましく、また第１のセンサ配置１２２を放射ビーム２０５から遠ざけることが望ましいため、第１のセンサ配置１２２が利用できるスペースはそれほど大きくはない。幾つかの実施形態では、このことによって、第１のセンサ配置１２２を構築し、第１のセンサ配置１２２を適正位置に配置することが極めて困難になる。
【０２１２】
[00234]  図８を参照して、図７の実施形態の他のあり得る欠点を説明する。図７では、二次放射源ＬＡによって生成される放射ビーム２０５は実質的に平行な放射ビームである。しかしながら、図８に示すように、幾つかの実施形態では放射ビーム２０５は発散していることがある。この発散は反射素子２５０、１１０の形状に起因することがある。例えば、反射素子２５０、１１０は、略部分球形状の反射面を有する構成であることがある。反射素子２５０、１１０が部分球形の反射面を示す可能性のある１つの原因は、放射ビーム２０５による反射素子２５０、１１０の加熱による反射素子２５０、１００の熱変形によるものである。
【０２１３】
[00235]  図８から、放射ビーム２０５の発散は、放射ビーム２０５が反射素子１１２によって収束する際に、放射ビーム２０５の合焦位置１１６を反射素子１１２から離れて光軸４０５と平行な方向に移動させることが分かる。光軸４０５と垂直な合焦位置１１６のロケーションは実質的に不変である。しかしながら、反射素子２５０、１１０によって引き起こされる発散によって第３の分量の放射４０４も、第１のセンサ配置１２２に入射しない発散経路を辿ることが分かる。
【０２１４】
[00236]  言い換えると、反射素子２５０、１１０によって引き起こされる放射ビーム２０５の発散によって、第３の分量の放射４０４の経路も発散方向（すなわち、第１の分量の放射２０５の光軸４０５から離れる方向）に移動される。第３の分量の放射４０４の経路の発散方向へのこの移動によって、第３の分量の放射４０４が第１のセンサ配置１２２に入射する位置（したがって、第１のセンサ配置によって測定される位置）は移動される。図８に示す場合では、この移動は上方への移動となる。
【０２１５】
[00237]  第１のセンサ配置に入射し、第１のセンサ配置によって測定される第３の分量の放射４０４の位置は反射素子２５０、１１０の発散によって移動するが、放射ビーム２０５が反射素子１１２によって収束する場合は、放射ビーム２０５の合焦位置１１６は不変のまま光軸４０５に対して垂直である。このことは、第１のセンサ配置１２２が第３の分量の放射４０４の入射位置（すなわち、第３の分量の放射がセンサ配置に入射する位置）の変化（合焦位置１１６の光軸４０５に対して垂直な位置の変化を示す）を測定するために問題であるが、実際には合焦位置１１６は光軸４０５に対して垂直に移動していない。それ故、反射素子２５０、１１０の球形の変化により、光軸４０５に対して垂直な合焦位置１１６の移動が第１のセンサ配置１２２によって誤測定され、したがって第１のセンサ配置１２２によって測定される合焦位置１１６が不正確になる。
【０２１６】
[00238]  図９及び図１０は、上記の問題点の少なくとも１つを防止するか、又は軽減する配置を示している。この配置では、アライメント放射源４００は、第３の分量の放射４０４が放射ビーム２０５と交差する（又はこれを横断する）方向に進行するように構成される。
【０２１７】
[00239]  以下に説明するように、第３の分量の放射４０４は放射ビーム２０５に隣接して進行するのではなくこれと交差するため、この配置には幾つかの有利な特性を有することがある。
【０２１８】
[00240]  第３の分量の放射４０４は、放射ビーム２０５の経路内にある位置で反射素子２５０及び１１０に入射する。すなわち、第３の分量の放射４０４は、少なくとも１つの放射誘導素子（この場合、２つの反射素子２５０、１１０）に入射する第３の分量の放射４０４の少なくとも一部が、少なくとも１つの放射誘導素子に入射する第１の分量の放射の少なくとも一部（すなわち、放射ビーム２０５）と重なるように、少なくとも１つの放射誘導素子に入射する。これは幾つかの理由から有利である。
【０２１９】
[00241]  第１に、第３の分量の放射４０４及び放射ビーム２０５が（反射素子２５０、１５０が互いに隣接するのではなく）反射素子２５０上で重なるため、反射素子２５０、１１０のサイズを（図７の実施形態に示したものと比較して）縮小することができる。これは、反射素子２５０、１１０は放射ビーム２０５を反射／誘導するのに十分なサイズを有する必要があるだけで、第３の分量の放射４０４の経路を収容するにはそれ以上大きくする必要がないからである。
【０２２０】
[00242]  第２に、第３の分量の放射４０４と放射ビーム２０５とが反射素子２５０，１１０上で重なるため、第３の分量の放射４０４を反射／誘導する反射素子２５０、１１０の部分は、放射ビーム２０５の少なくとも一部を反射／誘導する反射素子２５０、１１０の部分と同一である。それによって、放射ビーム２０５の合焦位置１１６の測定がより正確になる。これは、放射ビーム２０５が入射する部分を有する各々の反射素子２５０、１１０の部分によって第３の分量の放射４０４の経路が影響されるからである。これは、放射ビーム２０５がそこに入射せず、したがって放射ビーム２０５の経路に直接影響しない各々の反射素子２５０、１１０の部分によって第３の分量の放射４０４の経路が影響される図７に示す実施形態とは対照的である。このことは、放射ビーム２０５が入射する反射素子２５０、１１０の部分が、放射ビーム２０５が入射しない反射素子２５０、１１０の部分とは異なる特性を有する場合には特に有利である。例えば、場合によっては、放射ビーム２０５が入射する反射素子２５０、１１０の部分が放射の一部を吸収して、そのため放射ビームが反射素子のそれらの部分を加熱することがある。これによって、放射ビーム２０５が入射する反射素子の部分で反射素子２５０、１１０に熱誘起変形が生じることがある。このような熱誘起変形は反射素子の略球形状の変形である。
【０２２１】
[00243]  図１０は、放射ビーム２０５が反射素子２５０、１１０によって発散される場合の図９の配置を示している。上述のように、幾つかの実施形態ではこの発散は、反射素子２５０、１１０に入射する放射ビーム２０５に起因する熱作用による反射素子２５０、１１０の略球形状の変形によるものである。
【０２２２】
[00244]  破線４０４ｃは、反射素子２５０、１１０が変形せず、そのため放射ビーム２０５が平行ビームに留まっている場合の第３の分量の放射の経路を示している。実線４０４は、反射素子２５０、１１０が変形して、そのため放射ビーム２０５が発散する場合の第３の分量の放射の経路を示している。
【０２２３】
[00245]  第１の反射素子２５０で、変形した反射素子２５０の性質によって、第３の分量の放射４０４は、経路４０４ｃ（すなわち、反射素子に変形がなく、したがって放射ビーム２０５の分散がない経路）から図の向きに対してほぼ上向きの方向に偏向される。第３の分量の放射が上方に偏向される理由は、第３の分量の放射４０４が、（図の向きに対して）放射ビーム２０５の光軸４０５の上方の位置にある反射素子２５０に入射するからである。
【０２２４】
[00246]  第３の分量の放射４０４が反射素子１１０に入射すると、第３の分量の放射４０４は、反射素子１１０が変形しない場合の第３の分量の放射の方向４０４ｃに対して下方（図の向きに関して）の方向に反射される。第３の分量の放射が下方に偏向する理由は、第３の分量の放射４０４が、放射ビーム２０５の光軸４０５の下方（図の向きに対して）の位置にある反射素子１１０に入射するからである。
【０２２５】
[00247]  変形した各々の反射素子２５０、１１０によってほぼ反対方向に（すなわち、反射素子２５０では上方に、反射素子１１０では下方に）反射される第３の分量の放射４０４の組み合わせにより、反射素子２５０、１１０が変形しない場合に第３の分量の放射が辿る経路からの変形した反射素子２５０、１１０によって反射される第３の分量の放射の偏向は低減することが分かる（反射素子２５０、１１０が変形しない場合の第３の分量の放射の経路と比較して）。このことは、図１０に示す反射素子の変形による第３の分量の放射の偏向量を、図８に示す偏向量と比較することによって明確にわかる。
【０２２６】
[00248]  図９及び図１０に示す本発明の実施形態は、（反射素子２５０、１１０の変形による）第１のセンサ配置１２２によって検出される第３の分量の放射４０４の位置の移動を全面的になくすのではなく、第３の分量の放射の測定された位置での反射素子２５０、１１０の変形作用を最小限にするものであることを理解されたい。それ故、図７及び図８に示す実施形態によって提供されるものと比較して、図９及び図１０に示す実施形態は、第１の分量の放射の経路を画定する反射素子が変形を受ける場合の第１の分量の放射２０５の合焦位置１１６をより正確に判定することができる。
【０２２７】
[00249]  図９及び図１０に示す実施形態はまた、第３の分量の放射が放射ビーム２０５を横断する（又は言い換えると、第３の分量の放射４０４が放射ビーム２０５と平行でない）ことにより、第１のセンサ配置１２２は放射ビーム２０５のビーム経路からある程度の間隔で離隔されてもよいため、ある特定の用途では有利である。このことは、第１のセンサ配置１２２のサイジングと位置決めの制約が少なくなることを意味する。それ故、この配置では、第１のセンサ配置１２２を図７及び図８に示したものと比較してより容易に製造及び／又は位置決めできる。
【０２２８】
[00250]  図１１は、図９及び図１０に示す配置の修正形態を示している。図１１に示す配置では、第３の分量の放射は反射素子２５０、１１０によって反射された後に放射誘導素子４２０に入射し、この放射誘導素子４２０が第１のセンサ配置１２２に入射するように第３の分量の放射４０４の方向を変化させ、誘導する。第３の分量の放射４０４が第１のセンサ配置１２２に入射する前にその経路を画定するような任意の適切な数とタイプの放射誘導素子を使用してもよい。この場合、放射誘導素子４２０は屈折くさびである。別の実施形態では、第３の分量の放射４０４の方向が放射誘導素子４２０によって変化すると、第３の分量の放射４０４は第１のセンサ配置１２２に入射する前に、（これも第１の分量の放射２０５の経路を誘導する）他の反射素子に入射してもよいことを理解されたい。
【０２２９】
[00251]  反射素子４２０を使用することによって、第３の分量の放射４０４が取る所望の経路の自由度を高めることができ、それ故、第１のセンサ配置１２２の位置決めの自由度を高めることができる。
【０２３０】
[00252]  図１２及び図１３は、第１及び第２のアライメント放射源４００ａ、４００ｂを含む第１の分量の放射の合焦位置のロケーションを測定するための他の配置を示している。第１のアライメント放射源４００ａは、第１のセンサ配置の第１のセンサ１２２ａに入射する第３の分量の放射４０４ａを放出する。第２のアライメント放射源４００ｂは、第１のセンサ配置の第２のセンサ１２２ｂに入射するさらなる分量の放射４０４ｂを生成する。図１２及び図１３に示す実施形態の残りの特徴はこれまでの図に示した特徴と等価であり、これらの特徴には適宜対応する番号付けがなされている。
【０２３１】
[00253]  第１のセンサ配置は、第３の分量の放射の特性を測定するように構成された第１のセンサ１２２ａと、さらなる分量の放射４０４ｂの特性を測定するように構成された第２のセンサ配置１２２ｂとを備える。第３の分量及びさらなる分量の放射４０４ａ、４０４ｂは第１の分量の放射２０５の合焦位置１１６を集合的に示す。
【０２３２】
[00254]  図１２及び図１３に示す実施形態では、第１の分量の放射（放射ビーム２０５）は、光軸４０５に沿って伝搬する。第１のセンサ１２２ａ及び第２のセンサ１２２ｂは、光軸４０５に沿って約１８０°だけ互いに角度をなして離隔されている。別の実施形態では、第１のセンサと第２のセンサとは任意の適切な角度間隔を有してもよいことを理解されたい。
【０２３３】
[00255]  図１２は、反射素子２５０、１１０が変形せず、そのため放射ビーム２０５が実質的に平行である場合を示している。図１３は、反射素子２５０、１１０が変形し、そのため放射ビーム２０５が反射素子２５０、１１０によって発散される場合を示している。
【０２３４】
[00256]  図１２及び図１３から、放射ビーム２０５が発散する場合（図１３）は、第３の分量とさらなる分量の放射４０４ａ、４０４ｂが第１及び第２のセンサ１２２ａ、１２２ｂに入射する位置は、放射ビーム２０５が平行である場合と比較して光軸４０５からより大きい距離にあることが分かる。上述のように、放射ビーム２０５の発散は、必ずしも第１の分量の放射２０５の合焦位置１１６の（光軸に対して垂直な）運動を生じない。このことは、図１３の放射ビーム２０５の合焦位置１１６が図１２の合焦位置と比較して光軸に対して平行な方向に（すなわち、図の向きに対して右方向に）移動していることによって示されている。図１３の放射ビーム２０５の合焦位置１１６は、図１２の合焦位置と比較して光軸に対して垂直な方向に（すなわち、図の向きに対して上又は下、又は図の平面の内又は外に）移動していない。
【０２３５】
[00257]  第３の分量及びさらなる分量の放射４０４ａ、４０４ｂの特性（この場合、入射位置）を検出するために使用される第１及び第２のセンサ１２２ａ及び１２２ｂを使用することは、第１の分量の放射２０５の発散を測定及び／又は補償できることを意味する。所望に応じて、これは放射ビーム２０５の合焦位置１１６の判定と同時に行うことができるが、幾つかの実施形態では、放射ビーム２０５の合焦位置１１６を判定せずに第１の分量の放射２０５の発散を測定及び／又は補償することができる。第１の分量の放射２０５の発散を以下の通り測定できる。
【０２３６】
[00258]  第１のセンサ１２２ａは、第３の分量の放射が入射する位置を測定する。同様に、第２のセンサ配置１２２ｂは、さらなる分量の放射４０４ｂが入射する位置を測定する。したがって、第１のセンサ配置（第１のセンサ１２２ａと第２のセンサ１２２ｂとを備える）は、第３の分量の放射が第１のセンサに入射する位置と、さらなる分量の放射が第２のセンサに入射する位置との距離を測定できる。この距離は、第１の分量の放射２０５の発散を示す。上述のように、第１の分量の放射２０５の発散は、反射素子２５０、１１０の変形に起因することがある。発散のこの測定は、放射源のコントローラによって行われてもよい。放射源のコントローラは次に、第１の分量の放射２０５の所望の発散を達成するために、放射源の制御される少なくとも１つの光学素子に制御信号を提供して光学素子を制御する。
【０２３７】
[00259]  代替形態の配置では、放射源のコントローラは次に、コントローラによる発散の測定に基づいて、第１の分量の放射が合焦反射素子１１２とプラズマ形成位置２１２との間を進行する距離を制御するために、放射源の制御される少なくとも１つの光学素子に制御信号を提供して光学素子を制御する。図４〜図６に示した放射源では、これは可動反射素子１１４の位置／向きを制御することによって行われてもよい。別の実施形態では、第１の分量の放射が合焦反射素子１１２とプラズマ形成位置２１２との間を進行する距離を制御するために、コントローラによって任意の適切な光学素子が制御されてもよいことを理解されたい。他の代替実施形態では、コントローラに提供される発散の測定値に基づいて、放射源のコントローラは次に、燃料液滴の軌道を制御して第１の分量の放射の合焦位置（プラズマ形成位置２１２とも呼ばれる）まで進行するようにノズル１２８の位置／向きを制御する制御信号を提供してもよい。
【０２３８】
[00260]  第１の分量の放射２０５の合焦位置１１６を判定するために図１２及び図１３に示す配置が使用される場合は、第１の分量の放射２０５の合焦位置１１６を表示するために、第１のセンサ１２２ａによって測定される位置と、第２のセンサ配置１２２ｂによって測定される位置とが平均化されてもよい。例えば、放射ビーム２０５が分散する場合は、第１のセンサ１２２ａによって測定される位置は上方（図の向きに対して）に移動し、第２のセンサ１２２ｂによって測定される位置は下方（図の向きに対して）に移動する。第１のセンサ１２２ａによって行われる測定と第２のセンサ１２２ｂによって行われる測定とが垂直方向（図の向きに対して）で平均化されると、第３の分量の放射及びさらなる分量の放射の経路の発散により、第１のセンサ１２２ａによって測定される位置は、第２のセンサ１２２ｂによって測定される位置が下方に移動する量と実質的に同じ量だけ上方に移動するため、測定された２つの位置の量は実質的に一定に留まる。したがって、反射素子の変形による第３の分量の放射、及びさらなる分量の放射の経路の発散によって、第１のセンサ配置の測定には第１の分量の放射の合焦位置のロケーションの変化は生じない。
【０２３９】
[00261]  これは、議論を進めるために、第１の分量の放射２０５の方向が上方（図の向きに対して）に移動する場合とは対照的である。この場合、第１のセンサ１２２ａと第２のセンサ１２２ｂとによって測定される第３の分量の放射及びさらなる分量の放射の位置は、上方（図の向きに対して）に移動する。それ故、垂直方向（図の向きに対して）に平均化される第１のセンサ配置（第１のセンサと第２のセンサとを備える）の出力は上方に移動し、第１の分量の放射２０５の合焦位置のロケーションが上方に移動したことを適正に示す。
【０２４０】
[00262]  図１４及び図１５は、第１の分量の放射（放射ビーム２０５）の合焦位置１１６を測定する代替形態の配置を示している。この配置は、図１２及び図１３に示した配置の特徴を、図９及び図１０に示した配置と組み合わせている。図１２及び図１３に示した特徴と等価の図１４及び図１５の特徴には同じ番号が付されている。
【０２４１】
[00263]  この配置は、第１及び第２のアライメント放射源４００ａ、４００ｂを備える。第１のアライメント放射源４００ａは第３の分量の放射４０４ａを放出し、第２のアライメント放射源４００ｂはさらなる分量の放射４０４ｂを放出する。この配置は、第３の分量の放射４０４ａとさらなる分量の放射４０４ｂの各々が、第１の分量の放射２０５が平行に進むのとは逆に、第１の分量の放射２０５と交差するように進行する点で、図１２及び図１３に示す配置とは異なっている（図９及び図１０に示す配置と同様である）。すなわち、第３の分量の放射４０４ａとさらなる分量の放射４０４ｂの各々は、第１の分量の放射２０５と平行ではない。
【０２４２】
[00264]  アライメント放射源４００ａ、４００ｂ、第３の分量の放射４０４ａ、及びさらなる分量の放射４０４ｂ、及び第１及び第２のセンサ１２２ａ、１２２ｂは、第１の分量の放射２０５の光軸４０５に対して対称である。別の実施形態では、その必要はない。
【０２４３】
[00265]  第３の分量の放射４０４ａとさらなる分量の放射４０４ｂの各々は、光軸４０５に対して角度をなすように、また光軸４０５を横断するようにそれぞれのアライメント放射源とそれぞれのセンサとの間を進行する。図１０を参照して上述したように、第３の分量の放射４００ａとさらなる分量の放射４００ｂの各々が第１の分量の放射２０５を横断するような経路は、例えば反射素子２５０、１１０の変形による発散作用を低減するのに役立つ。図１５内の破線４０４ｃ及び４０４ｄは、（図１４に示すように）反射素子の変形によるビーム放射２０５の発散がない場合に第３の分量の放射及び別の分量の放射をそれぞれ示している。
【０２４４】
[00266]  図１４及び図１５の配置では、第３の分量の放射４０４ａ及びさらなる分量の放射４０４ｂは、少なくとも１つの放射誘導素子（反射素子２５０、１１０）に入射する第３の分量の放射４０４ａの少なくとも一部、及びさらなる分量の放射４０４ｂの少なくとも一部が、少なくとも１つの放射誘導素子（反射素子２５０、１１０）に入射する第１の分量の放射２０５の少なくとも一部と重なるように、放射誘導素子（反射素子２５０、１１０）に入射する。
【０２４５】
[00267]  図１６は、第１の分量の放射（放射ビーム２０５）の合焦位置１１６のロケーションを判定するのに適する別の配置を示している。この実施形態では、アライメント放射源４００ａは、アライメント放射源４００によって生成される第３の分量の放射４０４ａとさらなる分量の放射４０４ｂとが反射素子２５０、１１０によって反射される前に二次放射源ＬＡを通過して、それぞれの第１及び第２のセンサ１２２ａ、１２２ｂに入射するような位置に配置される。
【０２４６】
[00268]  具体的には、二次放射源ＬＡは、第１の分量の放射（放射ビーム２０５）を生成するように二次放射源内の放射を誘導及び／又は増幅するための様々な光学コンポーネントを含んでもよい。例えば、二次放射源ＬＡは、放射が通過し、増幅されるレーザ媒質を含む増幅管を含んでもよい。増幅管はまた、増幅管を通過する放射が屈曲経路を辿り、それによって増幅管と増幅管内のレーザ媒質との相互作用の量が増すように、幾つかのリフレクタを含んでもよい。
【０２４７】
[00269]  １つの配置では、アライメント放射源４００は、第３の分量の放射４０４ａ及びさらなる分量の放射４０４ｂが、第１のセンサ配置に入射する前に二次放射源ＬＡ内の増幅管及び／又はその他の適切な光学コンポーネントを通過するように位置決めされてもよい。
【０２４８】
[00270]  第３の分量の放射４０４ａ、及びさらなる分量の放射４０４ｂが増幅管及び／又は二次放射源ＬＡ内のその他の適切な光学コンポーネントを通過するように誘導することによって、第３の分量の放射４０４ａ、及びさらなる分量の放射４０４ｂの経路は、増幅管及び／又は二次放射源ＬＡ内のその他の光学コンポーネントとの相対的アライメントによって影響される。それ故、第３の分量の放射４０４ａ、及びさらなる分量の放射４０４ｂの特性（例えば入射位置）の測定によって、増幅管及び／又は二次放射源ＬＡ内のその他の光学コンポーネントとの相対的アライメントが第１の分量の放射の合焦位置のロケーションに及ぼす作用が示されてもよい。その結果、第１の分量の放射の合焦位置の所望のロケーションを達成するため、この情報を用いて増幅管及び／又はその他の光学コンポーネントの相対的アライメントを補正してもよい。さらに、幾つかの実施形態では、第３の分量の放射の測定された特性に基づいて、放射源の性能に悪影響を及ぼす二次放射源の少なくとも１つの特性を補償、又は軽減するために反射素子（例えば反射素子２５０、１１４）の位置、向き及び／又はその他の適切な特性を制御するように放射源のコントローラを構成してもよい。例えば、コントローラは、増幅管と二次放射源内のその他の光学コンポーネントとのミスアライメントを補償するか、又は軽減するように反射素子２５０、１１４の少なくとも１つを移動してもよい。
【０２４９】
[00271]  図１６に示す実施形態では、アライメント放射源４００は第３の分量の放射４０４ａとさらなる分量の放射４０４ｂの両方を生成する。別の実施形態では、第３の分量の放射とさらなる分量の放射とを生成するために別個のアライメント放射源を使用してもよい。他の実施形態では、アライメント放射源４００は唯一のアライメント放射源でよく、二次放射源を通過する単一のアライメント放射分量（例えば第３の分量の放射）だけがあるようにこのアライメント放射源が第３の分量の放射だけを生成してもよい。
【０２５０】
[00272]  第１の分量の放射２０５の合焦位置のロケーションを判定する上述のすべての配置に様々な変更を加えてもよい。例えば、２つ以上のアライメント放射源がある任意の配置で、各々の分量のアライメント放射を生成するために別個のアライメント放射源を使用する代わりに、別の配置では、複数の分量の放射（例えば第３の分量及びさらなる分量の放射）を生成するために単一のアライメント放射源を使用してもよい。例えば、アライメント放射源によって生成された単一の放射ビームを複数のビーム（放射分量）に分割するためにビームスプリッタを使用してもよい。
【０２５１】
[00273]  さらに、放射量の特性（この場合、入射位置）を検出するために複数のセンサを備える第１のセンサ配置を有する上述の任意の配置で、別の配置では、複数の分量の放射（例えば第３の分量及びさらなる分量の放射）が同じセンサに入射するようにこれらが誘導されてもよい。例えば、複数の分量（例えば、第３の分量及びさらなる分量）の放射が実質的に同じ位置でセンサに入射するように、これらが光学コンポーネントによって誘導されてもよい。この場合は、複数の分量（例えば第３の分量及びさらなる分量）の放射が同時にセンサに入射してもよく、又は複数の分量の放射が時間多重化方式でセンサに入射してもよい。このような実施形態では、アライメント放射源は時間変調されてもよい。
【０２５２】
[00274]  別の配置では、複数のアライメント放射量が実質的に別の位置で単一のセンサに入射してもよい。例えば、略環状に単一のセンサが使用されてもよい幾つかの配置では、第１の分量の放射２０５が環の中心を通過するように、且つ複数のアライメント放射量（例えば第３の分量及びさらなる分量の放射）が環の周囲で互いに離隔した位置でセンサに入射するような位置にセンサが配置されてもよい。
【０２５３】
[00275]  図１２〜図１６に示す配置に関して、合焦位置のロケーションを判定するために第１のセンサの出力と第２のセンサの出力とを平均化する例を記載した。合焦位置のロケーションを判定するために、第１のセンサの出力と第２のセンサの出力との任意の適切な平均化を用いてもよいことを理解されたい。実際に、第１のセンサの出力と第２のセンサの出力との任意の適切な集合的使用によって、第１の分量の放射の合焦位置のロケーションを判定してもよい。
【０２５４】
[00276]  これまでに記載される第１の分量の放射の合焦位置のロケーションを判定するための記載した配置は、単一のアライメント放射ビーム（例えば第３の分量の放射）、又は２つのアライメント放射ビーム（例えば第３の分量の放射とさらなる分量の放射）のいずれかを有しているが、別の配置では、任意の適切な数のアライメント放射ビーム（したがって、アライメント放射源及びセンサ）を使用してもよい。
【０２５５】
[00277]  第１の分量の放射の合焦位置のロケーションを判定するための上記の配置には、幾つかの用途では、第１の分量の放射が二次放射源ＬＡによって生成されない時点で動作し得るという利点がある。
【０２５６】
[00278]  上記実施形態の幾つかでは、コントローラはそれに供給されるセンサ信号に基づいて、第１の分量の放射の合焦位置を制御するために少なくとも１つの光学素子を制御することを理解されたい。追加的に又は代替的に、コントローラはまた、第１の分量の放射が（焦点の向きとも呼ばれる）合焦位置に達するとその方向を、したがって第１の分量の放射が燃料に入射する方向を制御するために少なくとも１つの光学素子を制御することを理解されたい。幾つかの用途では、このことは特に重要である。例えば、第１の分量の放射がプレパルスである場合は、焦点の向きが修正された燃料分布の空間分布を、したがって生成された第２の分量の放射の角度分布を決定し得る。それ故、放射源は、第２の分量の放射の角度分布を制御するために焦点の向きを制御してもよい。
【０２５７】
[00279]  上述のように、第１の分量の放射はプレパルス又はメインパルスのいずれか、又は両方であってよい。すなわち、プレパルスの焦点と燃料との相対的アライメント、及びメインパルスの焦点と修正された燃料分布との相対的アライメントが重要であり、別個に制御されてもよい。したがって、コントローラは二組のセンサ情報、すなわちプレパルスに関する第１の組の情報と、メインパルスに関する第２の組の情報とを受信する。したがってコントローラは、リフレクタアクチュエータを制御してプレパルスとメインパルスの合焦位置を変更してもよい。プレパルスとメインパルスの別個の制御を向上させるため、放射源ＳＯは、プレパルスを誘導するために、メインパルスを誘導する作動リフレクタとは異なる作動リフレクタを備えるように構成されている。例えば、図１７は、本発明の実施形態による放射源ＳＯの一部を概略的に示している。図１７は、二次放射源（この場合、レーザＬＡ）から合焦位置１１６へのプレパルス２０５ａとメインパルス２０５ｂのビーム経路を示している。
【０２５８】
[00280]  図１７に示す実施形態では、プレパルスは、プレパルス２０５ａをリフレクタ素子１１４に誘導する役割を果たす誘導リフレクタ素子５００、５０１に入射する。リフレクタ素子１１４は、プレパルス２０５ａを合焦位置１１６に向けて誘導し、合焦させる役割を果たす。リフレクタ素子５００、５０１のいずれか又は両方は、リフレクタ素子５００、５０１の位置及び／又は向きを修正できるように、アクチュエータ（図１７には図示せず）に接続されてもよい。メインパルス２０５ｂも、その軌道の最初の部分で、メインパルス２０５ｂの経路がプレパルス２０５ａの経路と実質的に一致するようにリフレクタ素子５００、５０１に入射する。しかしながら、メインパルス２０５ｂは、それに加えてリフレクタ素子５０２にも入射する。リフレクタ素子５０２は、メインパルス２０５ｂをプレパルス２０５ａの経路から離れて他のリフレクタ素子５０３、５０４へと誘導するように構成されている。したがって、メインパルス２０５ｂの経路はその軌道の第２の部分で、プレパルス２０５ａに経路と一致しない。リフレクタ素子５０２は例えば、メインパルス２０５ｂの波長に対応する波長を有する放射だけを反射する一方、プレパルス２０５ａの波長に対応する波長を有する波長が反射素子５０２を通過できるように構成されてもよい。例えば、プレパルス２０５の波長が１０．３μｍで、メインパルスの波長が１０．６μｍである実施形態では、リフレクタ素子５０２は、波長が１０．６μｍである放射を反射する一方、波長が１０．３μｍの放射を実質的に又は完全に透過するように構成されてもよい。
【０２５９】
[00281]  リフレクタ素子５０４はメインパルス２０５ｂをリフレクタ素子５０５へと誘導するように構成され、リフレクタ素子５０５はメインパルス２０５ｂをリフレクタ素子１１４へと誘導するように構成されている。同様に、リフレクタ素子５０５は波長がメインパルス２０５ｂの波長に対応する放射だけを反射する一方、波長にプレパルス２０５ａの波長に対応する放射がリフレクタ素子５０５を通過できるようなリフレクタでよい。リフレクタ素子１１４は、焦点とメインパルス２０５ｂとを合焦位置１１６へと誘導するように構成されている。リフレクタ素子５０３、５０４は、コントローラがリフレクタ素子５０３、５０４の位置及び／又は向きを修正できるようにアクチュエータ（図１７には図示せず）に接続されてもよい。
【０２６０】
[00282]  メインパルス２０５ｂの経路をプレパルス２０５ａの経路から分離することによって、プレパルス２０５ａを誘導するために使用される作動アクチュエータ素子を使用せずにメインパルス２０５ｂを誘導することができる。したがって、図１７の配置では有利に、リフレクタ素子５００、５０１の位置及び／又は向きを迅速に周期的に構成する必要がなくなる。すなわち、（例えば燃料液滴がプレパルス２０５ａとメインパルス２０５ｂの放出の間を進行する距離があるため）メインパルス２０５ｂとプレパルス２０５ａの両方の合焦位置を調整する必要がある場合に、コントローラは、プレパルス２０５ａをある時点で、又はメインパルス２０５ｂをその直後に両方とも誘導するためにリフレクタ素子５００、及び／又は５０１の位置及び／又は向きを調整する必要がない。まさに、プレパルスとメインパルスとの間に概して短い時間的ずれがある場合は、プレパルス２０５ａとメインパルス２０５ｂの両方を誘導する単一のミラーを作動させるには、アクチュエータは極めて迅速な調整を行うことが可能である必要がある。しかしながら、図１７に示す実施形態では、コントローラは、リフレクタ素子５００及び／又は５０１の位置及び／又は向きを調整してプレパルス２０５ａを誘導し、リフレクタ素子５０３及び／又は５０４の位置及び／又は向きを調整してメインパルス２０５ｂを誘導することができる。したがって、図１７の実施形態によってユーザーはより安価で複雑さが少ないアクチュエータを使用することができる。
【０２６１】
[00283]  図１７の実施形態を特定の構成のリフレクタ素子を参照して記載したが、プレパルス２０５ａ及びメインパルス２０５ｂを別個に制御するために別の任意の構成のリフレクタ素子を備えてもよいことを理解されたい。さらに、本発明の別の実施形態では、第１の分量の放射（プレパルスとメインパルスの両方）を合焦位置へと誘導し、合焦させるために任意の適切な誘導及び合焦素子（１つの又は複数）（すなわち、リフレクタ素子以外の素子）を使用してもよい。
【０２６２】
[00284]  さらに、図１７の実施形態はレーザＬＡの外側に放射源ＳＯ内のリフレクタ素子を参照して記載されているが、本発明の代替実施形態では、レーザＬＡ自体がプレパルス２０５ａとメインパルス２０５ｂとを別個に調整するように構成されてもよい。例えば、レーザＬＡは、レーザＬＡを通る経路を選択的に変更するか、又はプレパルス２０５ａとメインパルス２０５ｂの各々がレーザＬＡを通る経路を変更するために１つ以上の光学素子（リフレクタなど）を選択的に使用する手段を備えてもよい。このように、プレパルス２０５ａとメインパルス２０５ｂの合焦位置を別個に選択してもよい。別の代替実施形態では、各々のレーザがそれぞれの合焦位置へと別個に誘導できる異なるレーザがプレパルスとメインパルスとを提供してもよい。
【０２６３】
[00285]  上記の実施形態では、１つ以上のアクチュエータが１つ以上のリフレクタ素子に機械的に連結されている。アクチュエータは、１つ以上のリフレクタ素子の向き又は位置を変更して第１の分量の放射の合焦位置を制御するように制御される。具体的には、図３に記載した実施形態を参照すると、リフレクタアクチュエータ１１８、１２０はリフレクタ１１４に機械的に接続され、リフレクタアクチュエータ１１８、１２０の少なくとも１つの運動は、放射ビーム２０５の合焦位置１１６を変更するように、放射ビーム２０５の経路に対するリフレクタ１１４の向き及び／又は位置を変化させる。さらに、例えば図４を参照して記載した実施形態では、リフレクタアクチュエータ２５５は、リフレクタアクチュエータ２５５の運動が放射ビーム２０５に対する第２の可動リフレクタ素子の向き及び／又は位置を調整して、放射ビーム２０５の合焦位置１１６を変更するように、第２の可動リフレクタ２５０に機械的に接続されている。
【０２６４】
[00286]  上述のように、アクチュエータの運動は、第１のセンサ配置１２２及び／又は第２のセンサ配置１３４（図３〜図６）などの１つ以上のセンサ素子によって出力される信号を受信するように構成された放射源コントローラによって制御されてもよい。コントローラは、制御信号をリフレクタアクチュエータに提供することによって相対的アライメントを制御するように構成されてもよい。しかしながら、予期せぬことに、これは放射源ＳＯの運動自体が合焦位置と第１の分量の放射との相対的アライメントの破壊が生じることがあることが分かった。具体的には、放射源ＳＯのアクチュエータの運動の結果、放射源ＳＯ内のその他のコンポーネントが意図しない不都合な運動が生じることがある。例えば、リフレクタの向き及び／又は位置を調整するためのアクチュエータ２５５の意図的な運動の結果、別のリフレクタ素子又はセンサ配置（センサ配置１２２、１３４など）などの別の光学素子（すなわち、第１の分量の放射と相互作用する素子）の意図しない運動が生じることがある。リフレクタなどの光学素子の意図しない運動の結果、燃料液滴と、（プレパルス又はメインパルスのいずれかでよい）第１の分量の放射とのミスアライメントが生じることがある。センサ素子などの光学素子の意図しない運動の結果、第１の分量の放射と、燃料液滴又は修正された燃料分布との相対的アライメントの精度損失が生じることがある。
【０２６５】
[00287]  図３〜図６を再び参照すると、アクチュエータの動作によるにせよ、又はその他の原因によるにせよ、第１の分量の放射と燃料液滴（又は修正された燃料分布）とのミスアライメントは、第１及び／又は第２のセンサ配置１２２、１３４によって検出されてもよい。次に、検出されたミスアライメントに関するデータが放射源コントローラに提供され、これらのアクチュエータを調整するために放射源コントローラが放射源ＳＯの１つ以上のアクチュエータに制御信号を送るようにされる。放射源ＳＯがさらに移動する結果、引き続いて放射源ＳＯの別の光学素子の他の意図しない運動を生じることがある。したがって、それ自体はアクチュエータの以前の調整に起因するミスアライメントを補正するためのアクチュエータの調整の結果、制御ループの不安定さに繋がる好ましくないフィードバック、及び燃料液滴と第１の分量の放射の合焦位置とのアライメントを正確に制御するための放射源コントローラの不安定さを生じることがあることを理解されたい。
【０２６６】
[00288]  リフレクタ素子２５０（又はその他の任意のリフレクタ素子）に別個の調整を行うことができる最大修周波数を帯域制限周波数と呼ぶことができる。上記の記載で、帯域制限周波数でリフレクタ素子２５０が調整される場合は、それ以上の修正は行うことができないことを理解されたい。
【０２６７】
[00289]  本発明の幾つかの実施形態では、放射源ＳＯの幾つかの光学素子は図１８に示すように放射源ＳＯの別の光学素子と機械的に分離される。図１８に示す放射源の特徴と等価の放射源の特徴には同じ番号が付されている。
【０２６８】
[00290]  図１８に示す本発明の実施形態では（リフレクタ素子１１０だけが示されている）光学素子は、光学系プラットフォームＯＰ上の第１のチャンバ４１０に別個に装着される。図３〜図６の実施形態に示す実施形態と同様に、リフレクタ素子１１４は第１のチャンバ４１０内に装着される。リフレクタ素子１１０はリフレクタアクチュエータ４２０に機械的に接続され、放射源コントローラ（図示せず）は、燃料液滴と、第１の分量の放射の合焦位置との相対的アライメントを制御するためにリフレクタ１１０の位置及び／又は向きを調整するように制御信号をリフレクタアクチュエータ４２０に提供するように構成される。図１８からわかるように、光学系プラットフォームＯＰは、ペデスタル４２１を介する以外では第１のチャンバ４１０に機械的に接続されない。リフレクタ素子１１０を第１のチャンバ４１０から分離して取り付けることによって、リフレクタ素子１１０、１１４の一方の位置及び／又は向きの調整が他方のリフレクタ素子１１０、１１４に及ぼす影響は低減される。
【０２６９】
[00291]  図１８には単一の光学素子（リフレクタ４２０）だけが示されているが、光学系プラットフォームＯＰには、複数の光学素子用の取付具を備えてもよい。図１９は、光学系プラットフォームＯＰ上に装着されてもよいコンポーネントを概略的に示している。図１９に示す実施形態では、光学系プラットフォームＯＰと第１のチャンバ４１０とはペデスタル４２１上に装着されている。ペデスタル４２１は、放射源ＳＯが格納されている建屋の床に（直接、又は間接的に）装着されてもよい。幾つかの実施形態では、光学系プラットフォームＯＰは及び第１のチャンバ４１０は、放射源ＳＯが格納されている建屋の床に直接装着されてもよい。
【０２７０】
[00292]  光学系プラットフォームＯＰは、緩衝素子４２２によってペデスタル４２１上に装着され、第１のチャンバ４１０は緩衝素子４２３によってペデスタル４２１上に装着される。緩衝素子４２２、４２３は、ばね質量緩衝システムなｄｐの任意の適切な緩衝素子でよい。光学系プラットフォームＯＰは、可撓部材４２４によって示されるように全体として堅牢でない。リフレクタ素子２５０、アクチュエータ２５５、リフレクタ素子１１０、第２の可動リフレクタ素子１３４、及びビーム分割装置（図１９には図示せず）は、各々が光学系プラットフォームＯＰ上に装着される。この場合も、図１９に示した以外の他の光学素子を光学系プラットフォームＯＰに取り付けてもよいことを理解されたい。
【０２７１】
[00293]  リフレクタ素子２５０の位置及び／又は向きを調整又は補正するためにアクチュエータ２５５に加えられる力によって、光学系プラットフォームＯＰは、リフレクタ素子２５０の位置及び／又は向きの調整が行われる周波数によって決定される周波数で振動させる。光学系プラットフォームＯＰの振動は第１のチャンバ４１０内に装着されたコンポーネントから機械的に分離されるが、反射素子２５０の振動は、光学系プラットフォームＯＰの上に装着された別のコンポーネントの振動と結合される。すなわち、光学系プラットフォームＯＰ上に装着された光学素子は結合発振子として作用し、リフレクタ素子２５０の振動の結果、光学系プラットフォームＯＰ上に装着された別の光学素子の望ましくない、問題のある振動を生じることがある。このような振動によって、また第１の分量の放射のビーム経路に乱れが生じ、それによって第１の分量の放射の合焦位置と燃料液滴（又は修正された燃料分布）の位置とのアライメントの制御が困難になることがある。
【０２７２】
[00294]  図２０は、図１９に示した本発明の他の実施形態を示している。図２０の実施形態では、リフレクタ２５０の位置及び／又は向きの調整による信号の作用は軽減される。具体的には、リフレクタ１１０、第２のセンサ配置１３４、及びビーム分割装置（図２０の実施形態では、これらのコンポーネントは能動的に作動しないため全体として「受動光学コンポーネント」と呼ばれる）は、それぞれの絶縁素子４２４、４２５、４２６によって光学系プラットフォームＯＰから絶縁される。絶縁素子４２４、４２５、４２６は光学系プラットフォームの受動光学コンポーネントを、リフレクタ素子２５０の位置及び／又は向きの補正を行うことができる最大周波数未満の周波数（すなわち、帯域制限周波数未満の周波数）で光学系プラットフォームＯＰから絶縁するように選択されてもよい。これにより、リフレクタ素子２５０の位置及び／又は向きの調整の結果、光学系プラットフォームＯＰ上に装着された別の光学コンポーネントの位置に影響を及ぼす不都合なフィードバックが生じることはない。すなわち、受動光学コンポーネントを帯域制限周波数未満の周波数で絶縁することによって、受動光学コンポーネントに結合された振動が帯域制限周波数でリフレクタ素子２５０をさらに調整して、不都合なフィードバックループが生じることなく、リフレクタ素子２５０を調整できる帯域マージンがより大きくなる。
【０２７３】
[00295]  上記から、受動コンポーネントが光学系プラットフォームＯＰから絶縁される実際の周波数は、リフレクタ素子２５０の質量、各々の受動光学素子の質量、光学系プラットフォームＯＰにアクチュエータ２５５が作用する力、及びリフレクタ素子２５０の位置及び／又は向きの調整が行われる最大周波数を含む複数の要因に依存することを理解されたい。
【０２７４】
[00296]  絶縁素子４２４、４２５、４２６として任意の適切な絶縁手段４２４、４２５、４２６を使用してもよいことを理解されたい。例えば、絶縁手段４２４、４２５、４２６は、ばね質量緩衝システムなどの受動絶縁手段でもよく、又は動的絶縁手段でもよい。
【０２７５】
[00297]  これも図１９に示す実施形態の修正形態である本発明の代替実施形態が図２１に示されている。図２１の実施形態では、光学系プラットフォームＯＰの上に装着される受動光学素子を絶縁するのではなく、能動的に制御されるリフレクタ素子２５０が絶縁されている。具体的には、リフレクタ素子２５０は、絶縁素子４３１によって光学系プラットフォームＯＰに取り付けられる質量４３０に取り付けられる。これにより、リフレクタ素子２５０の位置及び／又は向きを調整する際のアクチュエータ２５５の力が質量４３０と緩衝素子４３１とに加えられ、光学系プラットフォームＯＰの振動を低減する。質量４３０は、質量４３０の共振周波数がリフレクタ素子２５０の共振周波数よりも低くなるように選択されてもよい。これにより、絶縁状態にあると見なされるリフレクタ素子２５０は同じ共振周波数を有している間は、リフレクタ素子２５０と質量４３０との組み合わせ周波数が有利に低減される。幾つかの実施形態では、リフレクタ素子２５０と質量４３０との組み合わせ共振周波数を、リフレクタ素子２５０（すなわち、帯域制限周波数）の位置及び／又は向きを調整できる最大周波数未満に低減してもよい。さらに、絶縁素子４３１による光学系プラットフォームＯＰからの質量４３０の絶縁は、リフレクタ素子４５０の作動から光学系プラットフォームＯＰに伝達される振動をさらに制限する。
【０２７６】
[00298]  図２１には絶縁素子４３１と質量４３０の両方が備えられているが、代替実施形態では、質量４３０はなくてもよい。すなわち、絶縁手段４３０によってリフレクタ素子４５０が光学系プラットフォームから絶縁されてもよい。同様に、幾つかの実施形態では、絶縁素子４３１なしで質量４３０を光学系プラットフォームに直接接続してもよい。
【０２７７】
[00299]  代替実施形態では、光学系プラットフォームＯＰの上に装着された受動光学素子の絶縁は、光学系プラットフォームＯＰとリフレクタ素子２５０との慣性比を変更することによって達成されてもよい。例えば、リフレクタ素子２５０の振動が光学系プラットフォームＯＰに及ぼす影響を低減するように、光学系プラットフォームＯＰの重量を増加して光学系プラットフォームＯＰの慣性を増大させてもよい。あるいは、リフレクタ素子２５０の重量を軽くしてもよい。別の代替実施形態では、アクチュエータ２５５の動作により生じる振動が光学系プラットフォームＯＰではなくペデスタル４２１（又は床）に直接伝わるように、リフレクタ素子２５０をペデスタル４２１上に直接（又は放射源ＳＯが格納されている室の床に直接）取り付けてもよい。これにより、リフレクタ素子２５０の振動が、光学系プラットフォームＯＰに装着された受動光学素子と結合する強さは低減する。
【０２７８】
[00300]  本発明の幾つかの実施形態では、（受動的にも能動的にも作動可能な）光学素子をグループで光学系プラットフォームＯＰの上に取り付けて、グループ内の各光学素子の運動が光学系プラットフォームＯＰの振動によって同様に影響されるようにしてもよい。あるいは、１つの光学素子の乱れに起因することがある振動によって、対向する光学素子の等しく且つ対向振動が生じるように光学素子を取り付けてもよい。
【０２７９】
[00301]  図１８〜図２１を参照して上述した実施形態は、放射源ＳＯの光学コンポーネント上の放射源ＳＯの作動コンポーネントにより生じる振動の影響を軽減するための別個の、個別的技術を記載したが、上記技術の任意の組み合わせを用いてもよいことを理解されたい。上記技術の任意の組み合わせを用いて、放射源ＳＯの作動コンポーネントを（受動的であれ、作動可能であれ）光学コンポーネントから振動絶縁してもよい。作動コンポーネントは、作動コンポーネントを調整できる周波数未満の周波数で絶縁されてもよい。さらに、上記の実施形態では、作動コンポーネントは作動リフレクタ（すなわち、光学コンポーネント）であるが、放射源ＳＯが光学コンポーネントではない（すなわち、第１の放射源と直接相互作用しない）作動コンポーネントを備えている場合は、これらは、第１の分量の放射と相互作用する放射源ＳＯの光学コンポーネントから振動絶縁されてもよいことを理解されたい。
【０２８０】
[00302]  本文ではＩＣの製造におけるリソグラフィ装置の使用に特に言及しているが、本明細書で説明するリソグラフィ装置には他の用途もあることを理解されたい。例えば、これは、集積光学システム、磁気ドメインメモリ用誘導及び検出パターン、フラットパネルディスプレイ、液晶ディスプレイ（ＬＣＤ）、薄膜磁気ヘッドなどの製造である。このような代替的用途に照らして、本明細書で「ウェーハ」又は「ダイ」という用語を使用している場合、それぞれ、「基板」又は「ターゲット部分」という、より一般的な用語と同義と見なしてよいことが当業者には認識される。本明細書に述べている基板は、露光前又は露光後に、例えばトラック（通常はレジストの層を基板に塗布し、露光したレジストを現像するツール）、メトロロジーツール及び／又はインスペクションツールで処理することができる。適宜、本明細書の開示は、以上及びその他の基板処理ツールに適用することができる。さらに基板は、例えば多層ＩＣを生成するために、複数回処理することができ、したがって本明細書で使用する基板という用語は、既に複数の処理済み層を含む基板も指すことができる。
【０２８１】
[00303]  光リソグラフィの分野での本発明の実施形態の使用に特に言及してきたが、本発明はその他の用途、例えばインプリントリソグラフィでも使用することができ、文脈によっては、光リソグラフィに限定されないことを理解されたい。インプリントリソグラフィでは、パターニングデバイス内のトポグラフィが基板上に作成されたパターンを画定する。パターニングデバイスのトポグラフィは基板に供給されたレジスト層内に刻印され、電磁放射、熱、圧力又はそれらの組合せを印加することでレジストは硬化する。パターニングデバイスはレジストから取り除かれ、レジストが硬化すると、内部にパターンが残される。
【０２８２】
[00304]  上記ではリソグラフィ装置の一部を形成する放射源を特に参照したが、放射は必ずしもリソグラフィ装置での使用に限定されない。放射源は、任意の適切な用途で放射源として使用されてもよい。
【０２８３】
[00305]  「レンズ」という用語は、文脈によっては、屈折型、反射型、磁気型、電磁型、及び静電型光学コンポーネントを含む様々なタイプの光学コンポーネントのいずれか１つ、又はその組合せを指すことができる。
【０２８４】
[00306]  「ＥＵＶ放射」という用語は、５ｎｍ〜２０ｎｍの範囲内、例えば１３ｎｍ〜１４ｎｍの範囲内、又は例えば６．７ｎｍ若しくは６．８ｎｍなどの５ｎｍ〜１０ｎｍの範囲内の波長を有する電磁放射を包含するものと見なしてもよい。
【０２８５】
[00307]  「ＩＲ」という用語は、例えば０．６から５００μｍの範囲内、例えば１から１５μｍの範囲内の、例えば１０．６μｍの波長を有する電磁放射を包含するものと見なしてもよい。
【０２８６】
[00308]  以上、本発明の具体的な実施形態について説明してきたが、本発明は上記以外の方法でも実施できることを理解されたい。例えば、本発明は、上記開示した方法を記述する機械可読命令の１つ以上のシーケンスを含むコンピュータプログラム、又はそのようなコンピュータプログラムを内部に記憶したデータ記憶媒体（例えば、半導体メモリ、磁気又は光ディスク）の形態をとってもよい。上記説明は例示するものであって限定するものではない。したがって、添付の特許請求の範囲から逸脱することなく上記の本発明を様々に修正できることは当業者には明らかであろう。
【図１】
2015502665.tif 000004
【図２】
2015502665.tif 000005
【図３】
2015502665.tif 000006
【図４】
2015502665.tif 000007
【図５】
2015502665.tif 000008
【図６】
2015502665.tif 000009
【図７】
2015502665.tif 000010
【図８】
2015502665.tif 000011
【図９】
2015502665.tif 000012
【図１０】
2015502665.tif 000013
【図１１】
2015502665.tif 000014
【図１２】
2015502665.tif 000015
【図１３】
2015502665.tif 000016
【図１４】
2015502665.tif 000017
【図１５】
2015502665.tif 000018
【図１６】
2015502665.tif 000019
【図１７】
2015502665.tif 000020
【図１８】
2015502665.tif 000021
【図１９】
2015502665.tif 000022
【図２０】
2015502665.tif 000023
【図２１】
2015502665.tif 000024
【国際調査報告】
2015502665.tif 000025
2015502665.tif 000026